(57)【特許請求の範囲】
【請求項１】
ネットワークを介してアプリケーションサーバと通信可能に接続された複数のクライアントシステムを通して複数の利用者がアクセス可能な、ネットワークサービスを提供する前記アプリケーションサーバと、
前記アプリケーションサーバによって維持される医療サービス提案データベースを格納するデータ記憶システムとを備え、前記医療サービス提案データベースは、複数の医療サービス提案とそれぞれ関連付けられた複数の医療サービス提案情報記録を備え、前記複数の医療サービス提案は、バンドル型医療サービス一式の医療サービス提案を少なくとも一つ含み、各医療サービス提案情報記録は、前記関連付けられた医療サービス提案の一次医療サービスの指定と、前記関連付けられた医療サービス提案の購入額と、前記一次医療サービスに対する支払い額と、前記一次医療サービスの報酬情報とを備え、
前記クライアントシステムの一つの利用者によってアクセスされると、前記ネットワークサービスは、前記利用者の購入のための前記複数の医療サービス提案から選択されている、選択された医療サービス提案の指定を前記クライアントシステムから受信するよう動作可能で、
前記クライアントシステムから、前記選択された医療サービス提案の購入に使用される資金源を利用者が特定した購入情報を受信すると、前記ネットワークサービスは、前記利用者によって選択された医療サービス提案の購入を処理するため、前記選択された医療サービス提案に関連付けられた前記医療サービス提案情報記録に含まれる前記購入価格に相当する資金を、資金源に対して要請することができる、医療サービス提供者によって提案された医療サービスの購入を促進する装置。
【請求項２】
バンドル型の医療サービス一式の各医療サービス提案は、該当する医療サービス提供者によって提供されたバンドル型の医療サービスの一式を備える、請求項１に記載の装置。
【請求項３】
前記選択された医療サービス提案の前記一次医療サービスが実施されたという通知を、前記クライアントシステムの一つから受信すると、前記ネットワークサービスは、前記選択された医療サービス提案と関連付けられた前記医療サービス提案情報記録中の前記一次サービスの報酬情報に示された会計アカウントのサービサーにアクセスし、前記会計アカウントに対する前記一次サービスの支払い額に相当する資金の支払いを指示する、請求項１に記載の装置。
【請求項４】
バンドル型の医療サービス一式の医療サービス提案に関連付けられた各医療サービス提案情報記録は、前記関連付けられた医療サービス提案の前記一次医療サービスに関連付けられた一以上の二次サービスの各々について、前記二次サービスの指定と、前記二次サービスに対する支払い額と、及び、前記二次サービスに該当する報酬情報とを更に備える、請求項３に記載の装置。
【請求項５】
前記選択された医療サービス提案がバンドル型のサービス一式の医療サービス提案の場合、前記選択された医療サービス提案の前記一次サービスに関連付けられたいずれかの二次サービスが実施されたという通知を、前記クライアントシステムの一つから受信すると、前記ネットワークサービスは、前記選択された医療サービス提案に関連付けられた前記医療サービス提案情報記録中の前記二次サービスに該当する報酬情報に示された会計アカウントのサービサーにアクセスし、前記会計アカウントに対する前記二次サービスの前記支払い額に相当する資金の支払いを指示する、請求項４に記載の装置。
【請求項６】
バンドル型の医療サービス一式の医療サービス提案に関連付けられた医療サービス提案情報記録の少なくとも一つは、前記一次医療サービスを実施するための施設の指定と、前記施設の施設利用料と、前記施設利用料の報酬情報と、を更に備え、
前記選択された医療サービス提案がバンドル型の医療サービス一式の医療サービス提案であって、前記関連付けられた医療サービス提案情報記録が、前記医療サービス提案のために前記一次医療サービスを実施する施設の指定を含む場合、前記選択されたサービス提案の前記一次医療サービスが実施されたという通知を前記クライアントシステムの一つから受信すると、前記ネットワークサービスは、前記医療サービス提案情報記録中の前記施設利用料の報酬情報に示された会計アカウントのサービサーにアクセスし、前記会計アカウントに対する前記施設利用料に相当する資金の支払いを指示する、請求項４に記載の装置。
【請求項７】
バンドル型の医療サービス一式の医療サービス提案に関連付けられた少なくとも一つの医療サービス提案情報記録は、前記一次医療サービスに関連付けられた前記二次サービスの少なくとも一つが任意の二次サービスであるという指定を更に備え、前記選択された医療サービス提案がバンドル型の医療サービス一式の医療サービス提案であって、前記医療サービス提案のための少なくとも一つの前記二次サービスが任意のサービスである場合、前記ネットワークサービスは、前記医療サービス提案の各任意の二次サービスについて、前記任意の二次サービスが前記選択された医療サービス提案の購入に含まれるかの指定を、前記クライアントシステムの利用者から更に受信する、請求項４に記載の装置。
【請求項８】
前記データ記憶システムは、前記アプリケーションサーバによって維持されるプロファイルデータベースを格納し、前記プロファイルデータベースは、前記アプリケーションサーバに登録された複数の利用者アカウントのそれぞれについてのアカウント情報記録を備え、前記複数の利用者アカウントは、複数の顧客アカウントと、複数の提供者アカウントとを含み、各利用者アカウントの前記アカウント情報記録は、前記クライアントシステムの一つから前記ネットワークサービスにアクセスする利用者に、前記利用者アカウントで前記ネットワークサービスにアクセスする権限を付与するための情報を備える、請求項４に記載の装置。
【請求項９】
前記ネットワークサービスは、前記クライアントシステムの一つから前記ネットワークサービスに提供者アカウントでアクセスする利用者が、医療サービス提案に関する情報一式を前記ネットワークサービスに提出することで、前記ネットワークサービスを介した購入のための前記医療サービス提案を作成することを可能にし、前記医療サービス提案に関する情報一式を受信するのに応じて、前記医療サービス提案データベース内に、前記医療サービス提案及び前記提供者アカウントに関連付けられた医療サービス提案情報記録を構築することができる、請求項８に記載の装置。
【請求項１０】
各医療サービス提案情報記録は、前記一次医療サービスに対応する医療サービス提供者の指定を更に備え、バンドル型の医療サービス一式の医療サービス提案に関連付けられた各医療サービス提案情報記録は、前記医療サービス提案の一次医療サービスに関連付けられた前記一以上の二次サービスのそれぞれについて、前記二次サービスに対応するサービス提供者の指定を更に備える、請求項９に記載の装置。
【請求項１１】
前記複数の提供者アカウントは、複数の医師アカウントと、複数の診療グループアカウントとを含み、各診療グループアカウントのアカウント情報記録は、前記診療グループアカウントと提携した一以上の医師アカウントの指定を備え、前記ネットワークサービスは、前記クライアントシステムの一つから前記ネットワークサービスに診療グループアカウントでアクセスする利用者が、前記ネットワークサービスを介した購入のための医療サービス提案を作成することを可能にする機能を提供し、前記ネットワークサービスに提出された医療サービス提案に関する情報一式は、前記診療グループアカウントと提携した前記医師アカウントの一つを、前記一次医療サービスに対応する医療サービス提供者として特定する、請求項１０に記載の装置。
【請求項１２】
前記データ記憶システムは、前記アプリケーションサーバによって維持されるトランザクション情報データベースを格納し、前記トランザクション情報データベースは、前記クライアントシステムの一つから前記ネットワークサービスに提供者アカウントでアクセスする利用者によって作成された医療サービス提案を、前記クライアントシステムの一つから前記ネットワークサービスに顧客アカウントでアクセスする利用者が購入した、各処理済み購入についての購入情報記録を備え、各処理済み購入の購入情報記録は、前記購入された医療サービス提案に関連付けられた前記医療サービス提案情報記録の指定と、前記医療サービス提案の前記一次医療サービス及びすべての二次サービスの各々について、前記サービスに関して前記購入が清算されたかの指定とを備える、請求項１０に記載の装置。
【請求項１３】
医療サービス提案の購入を処理するために前記クライアントシステムの一つの利用者がアクセスすると、前記ネットワークサービスは、前記利用者に対して、前記購入に関する一意の確定番号、及び、前記購入された医療サービス提案の前記一次医療サービス及びすべての二次サービスの各々について該当するサービス提供者を指定する証書を作成し、前記購入された医療サービス提案の前記一次医療サービス及びいずれかの二次サービスの各々について、前記サービスに関して前記購入が未清算であることを示すように前記処理済み購入の購入情報記録を設定する、請求項１２に記載の装置。
【請求項１４】
前記アプリケーションサーバは、前記ネットワークサービスを提供するためにウェブアプリケーションを実装し、各クライアントシステムは、前記ウェブアプリケーションを介して前記アプリケーションサーバによって提供される前記ネットワークサービスにアクセスするためのウェブベースのユーザインタフェースを提供するよう構成されたクライアントアプリケーションを実装する、請求項１に記載の装置。
【請求項１５】
医療サービス提供者によって提案された医療サービスの購入を促進する方法であって、
アプリケーションサーバにて、ネットワークを介して前記アプリケーションサーバと通信可能に接続された複数のクライアントシステムを通して、複数の利用者がアクセス可能なネットワークサービスを提供することと、
データ記憶システムにおいて、複数の医療サービス提案とそれぞれ関連付けられた複数の医療サービス提案情報記録を備える医療サービス提案データベースを維持することと、各医療サービス提案情報記録は、複数の医療サービス提案とそれぞれ関連付けられた複数の医療サービス提案情報記録を備え、前記複数の医療サービス提案は、バンドル型のサービス一式の医療サービス提案を少なくとも一つ含み、各医療サービス提案情報記録は、前記関連付けられた医療サービス提案の一次医療サービスの指定と、前記関連付けられた医療サービス提案の購入価格と、前記一次医療サービスの支払い額と、前記一次医療サービスの報酬情報とを備え、
前記ネットワークサービスにアクセスするために利用者によって操作されている前記クライアントシステムの一つから、前記利用者による購入のために前記複数の医療サービス提案から選択されている選択された医療サービス提案の指定と、前記選択された医療サービス提案を購入する資金源を特定する前記利用者の購入情報とを受信することと、
前記利用者による前記選択された医療サービス提案の購入を処理するため、前記選択された医療サービス提案に関連付けられた前記医療サービス提案情報記録に含まれる前記購入価格に相当する資金を前記資金源に要請することと、を含む方法。
【請求項１６】
バンドル型の医療サービス一式の各医療サービス提案は、該当する医療サービス提供者によって提供されたバンドル型の医療サービスの一式を備える、請求項１５に記載の方法。
【請求項１７】
前記選択された医療サービス提案の前記一次医療サービスが実施されたという通知を、前記ネットワークサービスにアクセスしている前記クライアントシステムの一つから受信すると、前記選択された医療サービス提案と関連付けられた前記医療サービス提案情報記録中の前記一次医療サービスの報酬情報に示された会計アカウントのサービサーにアクセスし、前記会計アカウントに対する前記一次医療サービスの支払い額に相当する資金の支払いを指示することを更に含む、請求項１５に記載の方法。
【請求項１８】
バンドル型の医療サービス一式の医療サービス提案に関連付けられた各医療サービス提案情報記録は、前記関連付けられた医療サービス提案の前記一次医療サービスに関連付けられた一以上の二次サービスの各々について、前記二次サービスの指定と、前記二次サービスに対する支払い額と、前記二次サービスに該当する報酬情報とを更に備える、請求項１７に記載の方法。
【請求項１９】
前記選択された医療サービス提案がバンドル型のサービス一式の医療サービス提案の場合、前記選択された医療サービス提案の前記一次医療サービスに関連付けられたいずれかの二次サービスが実施されたという通知を、前記ネットワークサービスにアクセスしている前記クライアントシステムの一つから受信すると、前記選択サービス提案と関連付けられた前記サービス提案情報記録中の前記二次サービスに該当する報酬情報に示された会計アカウントのサービサーにアクセスし、前記会計アカウントに対する前記二次サービスの支払い額に相当する資金の支払いを指示することを更に含む、請求項１８に記載の方法。
【請求項２０】
バンドル型の医療サービス一式の医療サービス提案に関連付けられた医療サービス提案情報記録の少なくとも一つは、前記一次医療サービスを実施するための施設の指定と、前記施設の施設利用料と、及び、前記施設利用料の報酬情報とを更に備え、
前記選択された医療サービス提案がバンドル型の医療サービス一式の医療サービス提案であって、前記関連付けられた医療サービス提案情報記録が、前記医療サービス提案のために前記一次医療サービスを実施する施設の指定を含む場合、前記選択された医療サービス提案の前記一次医療サービスが実施されたという通知を、前記ネットワークサービスにアクセスしている前記クライアントシステムの一つから受信すると、前記医療サービス提案情報記録中の施設利用料の報酬情報に示された会計アカウントのサービサーにアクセスし、前記会計アカウントに対する前記施設利用料に相当する資金の支払いを指示することを更に含む、請求項１８に記載の方法。
【請求項２１】
バンドル型の医療サービス一式の医療サービス提案に関連付けられた少なくとも一つのサービス提案情報記録は、前記医療サービス提案の前記一次医療サービスに関連付けられた前記二次サービスの少なくとも一つが任意の二次サービスであるという指定を更に備え、前記選択された医療サービス提案がバンドル型の医療サービス一式の医療サービス提案であって、前記医療サービス提案のための少なくとも一つの前記二次サービスが任意のサービスである場合、前記サービス提案の各任意の二次サービスについて、前記任意の二次サービスが前記選択されたサービス提案の購入に含まれるかの指定を、前記ネットワークサービスにアクセスするよう操作されている前記クライアントシステムの利用者から受信することを更に含む、請求項１８に記載の装置。
【請求項２２】
前記データ記憶システムにおいて、前記アプリケーションサーバに登録された複数の利用者アカウントのそれぞれについてのアカウント情報記録を備えるプロファイルデータベースを維持することを更に含み、前記複数の利用者アカウントは、複数の顧客アカウントと、複数の提供者アカウントとを含み、各利用者アカウントの前記アカウント情報記録は、前記クライアントシステムの一つから前記ネットワークサービスにアクセスする利用者に、前記利用者アカウントで前記ネットワークサービスにアクセスする権限を付与するための情報を備える、請求項１８に記載の方法。
【請求項２３】
前記クライアントシステムの一つから前記ネットワークサービスに提供者アカウントでアクセスする利用者が、医療サービス提案に関する情報一式を前記ネットワークサービスに提出することで、前記ネットワークサービスを介した購入のための前記医療サービス提案を作成することを可能にすることと、前記医療サービス提案に関する情報一式を受信するのに応じて、前記医療サービス提案データベース内に、前記医療サービス提案及び前記提供者アカウントに関連付けられた医療サービス提案情報記録を構築することとを更に含む、請求項２２に記載の方法。
【請求項２４】
各医療サービス提案情報記録は、前記一次医療サービスに対応するサービス提供者の指定を更に備え、バンドル型の医療サービス一式の医療サービス提案に関連付けられた各医療サービス提案情報記録は、前記医療サービス提案の前記一次医療サービスに関連付けられた前記一以上の二次サービスのそれぞれについて、前記二次サービスに対応するサービス提供者の指定を更に備える、請求項２３に記載の方法。
【請求項２５】
前記複数の提供者アカウントは、複数の医師アカウントと、複数の診療グループアカウントとを含み、各診療グループアカウントのアカウント情報記録は、前記診療グループアカウントと提携した一以上の医師アカウントの指定を備え、前記方法は、診療グループアカウントで前記クライアントシステムの一つから前記ネットワークサービスにアクセスする利用者が、前記ネットワークサービスを介した購入のための医療サービス提案を作成することを可能にすることを更に含み、前記ネットワークサービスに提出された医療サービス提案に関する情報一式は、前記診療グループアカウントと提携した前記医師アカウントの一つを、前記一次医療サービスに対応する医療サービス提供者として指定する、請求項２４に記載の方法。
【請求項２６】
前記データ記憶システムにおいて、前記クライアントシステムの一つから前記ネットワークサービスに提供者アカウントでアクセスする利用者によって作成された医療サービス提案を、前記クライアントシステムの一つから前記ネットワークサービスに顧客アカウントでアクセスする利用者が購入した、各処理済み購入についての購入情報記録を備えるトランザクション情報データベースを維持することを更に含み、各処理済み購入の購入情報記録は、前記購入された医療サービス提案に関連付けられた前記医療サービス提案情報記録の指定と、前記サービス提案の前記一次医療サービス及びすべての二次サービスの各々について、前記サービスに関して前記購入が清算されたかの指定とを備える、請求項２４に記載の方法。
【請求項２７】
医療サービス提案の購入を処理するために前記クライアントシステムの一つの利用者が前記ネットワークサービスにアクセスすると、前記利用者に対して、前記購入に関する一意の確定番号、及び、前記購入された医療サービス提案の一次医療サービス及びすべての二次サービスの各々について該当する医療サービス提供者を指定する証書を作成することと、前記購入された医療サービス提案の前記一次医療サービス及びすべての二次サービスの各々について、前記サービスに関して前記購入が未清算であることを示すように前記処理済み購入の購入情報記録を設定することとを更に含む、請求項２６に記載の方法。
【請求項２８】
前記アプリケーションサーバは、前記ネットワークサービスを提供するためにウェブアプリケーションを実装し、各クライアントシステムは、前記ウェブアプリケーションを介して前記アプリケーションサーバによって提供される前記ネットワークサービスにアクセスするためのウェブベースのユーザインタフェースを提供するよう構成されたクライアントアプリケーションを実装する、請求項１５に記載の方法。
【請求項２９】
ネットワークサービスを提供するアプリケーションサーバと、
前記ネットワークサービスにアクセスするため、ネットワークを介して前記アプリケーションサーバに通信可能に接続するよう構成された複数のクライアントシステムと、
前記アプリケーションサーバによって維持される医療サービス提案データベースを格納するデータ記憶システムとを備え、前記医療サービス提案データベースは、複数の医療サービス提案とそれぞれ関連付けられた複数の医療サービス提案情報記録を備え、前記複数の医療サービス提案は、バンドル型の医療サービス一式の医療サービス提案を少なくとも一つ含み、各医療サービス提案情報記録は、前記関連付けられた医療サービス提案の一次サービスの指定と、前記関連付けられた医療サービス提案の購入価格と、前記一次医療サービスの支払い額と、前記一次医療サービスの報酬情報とを備え、
前記クライアントシステムの一つの操作によって利用者にアクセスされると、前記ネットワークサービスは、前記利用者の購入のために前記複数の医療サービス提案から選択されている、選択された医療サービス提案の指定を前記クライアントシステムから受信するよう動作可能で、
前記クライアントシステムから、前記選択された医療サービス提案の購入のための資金源を利用者が特定した購入情報を受信すると、前記ネットワークサービスは、前記利用者によって選択された医療サービス提案の購入を処理するため、前記選択された医療サービス提案に関連付けられた前記医療サービス提案情報記録に含まれる前記購入価格に相当する資金を、前記資金源に対して要請することができる、医療サービス提供者によって提案された医療サービスの購入を促進するシステム。
【請求項３０】
前記選択された医療サービス提案の前記一次医療サービスが実施されたという通知を、前記クライアントシステムの一つから受信すると、前記ネットワークサービスは、前記選択された医療サービス提案と関連付けられた前記医療サービス提案情報記録中の前記一次医療サービスの報酬情報に示された会計アカウントのサービサーにアクセスし、前記会計アカウントに対する前記一次医療サービスの支払い額に相当する資金の支払いを指示し、
バンドル型の医療サービス一式の医療サービス提案に関連付けられた各医療サービス提案情報記録は、前記関連付けられた医療サービス提案の前記一次医療サービスに関連付けられた一以上の二次サービスの各々について、前記二次サービスの指定と、前記二次サービスに対する支払い額と、及び、前記二次サービスに該当する報酬情報とを更に備え、
前記選択された医療サービス提案がバンドル型の医療サービス一式の医療サービス提案の場合、前記選択された医療サービス提案の前記一次医療サービスに関連付けられたいずれかの二次サービスが実施されたという通知を、前記クライアントシステムの一つから受信すると、前記ネットワークサービスは、前記選択されたサービス提案と関連付けられた前記サービス提案情報記録中の前記二次サービスの該当する報酬情報に示された会計アカウントのサービサーにアクセスし、会計アカウントに対して前記二次サービスの支払い額に相当する資金の支払いを指示する、請求項２９に記載のシステム。
【発明の詳細な説明】
【技術分野】
【０００１】
関連出願の相互参照
本願は、２０１３年８月１６日に出願された米国仮特許出願第６１／８６６，９２２号の利益を主張するものであり、該仮出願の内容は、参照によりその全体が本明細書に組み込まれる。
【０００２】
本発明の例示的実施形態は、サービス及び製品のマーケティング及び販売の促進に関する。より詳細には、例示的実施形態は、患者予備群が、地域の提供者によって提案されるバンドル型のサービス一式を含む医療サービス及び医療製品を検索し、比較することを可能にするウェブベースの機構を提供し、患者予備群がこれら医療サービス及び製品を先払いの割引価格で購入するのを促進する方法及び装置に関する。
【背景技術】
【０００３】
医療サービスの価格は、専門分野、処置、及び、医師の医療行為によって変化する。米国では、患者の多くは一般的な医療処置を購入したり、価格を比較したりするための簡易な方法を利用できない。米国における現在の管理型医療の保険者システムでは、治療費は往々にして管理型医療の保険者によって決定される。これら管理型医療の保険者は、患者個人が加入する医療プランに対して特別に設計された薬剤及び処置に関する特定の処方書を持ち、患者の特定の医療プランにおいて患者が利用可能な薬剤及び処置を制限している。患者はこれまで、これら価格一覧や処方書を利用できず、患者が医療サービスを探して、比較する、又は、処置費用の予算を決定するのを補助してくれるツールをほとんど持っていなかった。現在のところ、医療費を比較したい患者予備群は、治療を受ける前に医療処置を比較するために、広範囲に渡り、往々にして非効率的で、時間のかかる調査を行わなければならない。
【０００４】
医療費の高騰は、米国の医療システムに甚大な影響を与えている。医療費はインフレ成長を凌ぐ勢いで高騰を続け、提供者の回収率は下降の一途であり、患者の保険料にかかる費用は増えている。多くの患者は、月額保険料を下げるため、従来の保険料が高い優先医療給付機構（ＰＰＯ）の医療プランの代替として、定額控除額が高い医療プランの購入を選択している（そして、事業者はこれを提案することを選択している）。定額控除額が高いプランでは、患者は高い控除額に達するまでは医療サービスに対して現金で支払いをしなければならず、この控除額に達したところで保険会社が医療費をカバーし始める。その結果、多くの患者は、医療処置とサービスに対する自己負担額の雪だるま式増加を経験する。より多くの患者が定額控除額の高い医療プランを選択しているのに加えて、患者の多くは、支払いの増加を負担できず、無保険、又は、充分な保険に入っていない状態になっている。無保険、不充分な保険、又は、定額控除額の高い医療プランの患者数が増加するにつれ、患者が割引きのある医療サービスを探すことが出来る機構の需要が増加している。
【発明の概要】
【０００５】
本発明の例示的実施形態は、サービス提供者によって提案されるサービスの購入を促進する装置に関する。装置は、ネットワークを介してアプリケーションサーバに通信可能に接続する複数のクライアントシステムを通して複数の利用者がアクセス可能なネットワークサービスを提供するアプリケーションサーバと、アプリケーションサーバによって維持されるサービス提案データベースを格納するデータ記憶システムとを含む。サービス提案データベースは、複数のサービス提案にそれぞれ関連付けられた複数のサービス提案情報記録を備える。複数のサービス提案は、バンドル型のサービス一式のサービス提案を少なくとも一つ含む。各サービス提案情報記録は、関連するサービス提案の一次サービスの指定と、関連するサービス提案の購入価格と、一次サービスに対する支払い額と、及び、一次サービスの報酬情報とを備える。クライアントシステムの一つの利用者によってアクセスされると、ネットワークサービスは、利用者の購入のために複数のサービス提案の中から選択された、選択されたサービス提案の指定をクライアントシステムから受信することができる。選択されたサービス提案の購入に使用される資金源を利用者が特定した購入情報を、クライアントシステムから受信すると、ネットワークサービスは、利用者によって選択されたサービス提案の購入を処理するため、選択されたサービス提案に関連付けられたサービス提案情報記録に含まれる購入価格に相当する資金を、資金源に対して要請することができる。
【０００６】
例示的実施形態では、アプリケーションサーバは、ネットワークサービスの提供のためにウェブアプリケーションを実装し、各クライアントシステムは、ウェブアプリケーションを介してアプリケーションサーバによって提供されるネットワークサービスにアクセスするためのウェブベースのユーザインタフェースを提供するよう構成されたクライアントアプリケーションを実装する。
【０００７】
例示的実施形態では、バンドル型のサービス一式の各サービス提案は、該当する医療サービス提供者によって提供されたバンドル型の医療サービスの一式を備える。
【０００８】
例示的実施形態では、選択されたサービス提案の一次サービスが実施されたという通知を、クライアントシステムの一つから受信すると、ネットワークサービスは、選択されたサービス提案と関連付けられたサービス提案情報記録中の一次サービスの報酬情報に示された会計アカウントのサービサーにアクセスし、会計アカウントに一次サービスの支払い額に相当する資金を支払うよう指示する。
【０００９】
例示的実施形態では、バンドル型のサービス一式のサービス提案に関連付けられた各サービス提案情報記録は、関連付けられたサービス提案の一次サービスに関連付けられた一以上の二次サービスの各々について、二次サービスの指定と、二次サービスに対する支払い額と、及び、二次サービスに該当する報酬情報とを更に備える。選択されたサービス提案がバンドル型のサービス一式のサービス提案の場合、選択されたサービス提案の一次サービスに関連付けられたいずれかの二次サービスが実施されたという通知をクライアントシステムの一つから受信すると、ネットワークサービスは、会計アカウントに対して二次サービスの支払い額に相当する資金の支払いを指示するため、選択されたサービス提案と関連付けられたサービス提案情報記録中の二次サービスの該当する報酬情報に示された会計アカウントのサービサーにアクセスする。
【００１０】
例示的実施形態では、バンドル型のサービス一式のサービス提案に関連付けられたサービス提案情報記録の少なくとも一つは、一次サービスを実施するための施設の指定と、施設の施設利用料と、及び、施設利用料の報酬情報とを更に備える。選択されたサービス提案がバンドル型のサービス一式のサービス提案であって、関連付けられたサービス提案情報記録が、サービス提案のために一次サービスを実施する施設の指定を含む場合、選択されたサービス提案の一次サービスが実施されたという通知をクライアントシステムの一つから受信すると、ネットワークサービスは、会計アカウントに対して施設利用料に相当する資金の支払いを指示するため、サービス提案情報記録中の施設利用料の報酬情報に示された会計アカウントのサービサーにアクセスする。
【００１１】
例示的実施形態では、バンドル型のサービス一式のサービス提案に関連付けられた少なくとも一つのサービス提案情報記録は、一次サービスに関連付けられた二次サービスの少なくとも一つが任意の二次サービスであるという指定を更に備える。選択されたサービス提案がバンドル型のサービス一式のサービス提案であって、サービス提案のための少なくとも一つの二次サービスが任意のサービスである場合、ネットワークサービスは、サービス提案の各任意の二次サービスについて、任意の二次サービスが選択されたサービス提案の購入に含まれるかの指定を、クライアントシステムの利用者から更に受信する。
【００１２】
例示的実施形態では、データ記憶システムは、アプリケーションサーバによって維持されるプロファイルデータベースを格納する。プロファイルデータベースは、アプリケーションサーバに登録された複数の利用者アカウントのそれぞれについて、アカウント情報記録を備える。複数の利用者アカウントは、複数の顧客アカウントと、複数の提供者アカウントとを含む。各利用者アカウントのアカウント情報記録は、クライアントシステムの一つからネットワークサービスにアクセスする利用者に対し、ネットワークサービスに利用者アカウントでアクセスする権限を付与するための情報を備える。
【００１３】
例示的実施形態では、ネットワークサービスは、クライアントシステムの一つからネットワークサービスに提供者アカウントでアクセスする利用者が、サービス提案に関する情報一式をネットワークサービスに提出することで、ネットワークサービスを介した購入のためのサービス提案を作成することを可能にし、サービス提案に関する情報一式を受信するのに応じて、サービス提案データベース内に、サービス提案及び提供者アカウントに関連付けられたサービス提案情報記録を構築することができる。
【００１４】
例示的実施形態では、各サービス提案情報記録は、一次サービスに対応するサービス提供者の指定を更に備え、バンドル型のサービス一式のサービス提案に関連付けられた各サービス提案情報記録は、サービス提案の一次サービスに関連付けられた一以上の二次サービスのそれぞれについて、二次サービスに対応するサービス提供者の指定を更に備える。
【００１５】
例示的実施形態では、複数の提供者アカウントは、複数の医師アカウントと、複数の診療グループアカウントとを含み、各診療グループアカウントのアカウント情報記録は、診療グループアカウントと提携した一以上の医師アカウントの指定を備え、ネットワークサービスは、クライアントシステムの一つからネットワークサービスに診療グループアカウントでアクセスする利用者が、ネットワークサービスを介した購入のためのサービス提案を作成することを可能にする機能を提供し、ネットワークサービスに提出されたサービス提案に関する情報一式は、診療グループアカウントと提携した医師アカウントの一つを、一次サービスに対応するサービス提供者として指定する。
【００１６】
例示的実施形態では、データ記憶システムは、アプリケーションサーバによって維持されるトランザクション情報データベースを格納する。トランザクション情報データベースは、クライアントシステムの一つからネットワークサービスに提供者アカウントでアクセスする利用者によって作成されたサービス提案を、クライアントシステムの一つからネットワークサービスに顧客アカウントでアクセスする利用者が購入した、各処理済み購入についての購入情報記録を備え、各処理済み購入の購入情報記録は、購入されたサービス提案に関連付けられたサービス提案情報記録の指定と、サービス提案の一次サービス及びいずれかの二次サービスの各々について、サービスに関して購入が清算されたかの指定とを備える。
【００１７】
例示的実施形態では、サービス提案の購入を処理するためにクライアントシステムの一つの利用者がアクセスすると、前記ネットワークサービスは、利用者に対して、購入に関する一意の確定番号と、及び、購入されたサービス提案の一次サービス及びすべての二次サービスの各々について対応するサービス提供者とを指定する証書を作成し、購入されたサービス提案の一次サービス及びすべての二次サービスの各々について、サービスに関して購入が未清算であることを示す処理済み購入の購入情報記録を設定する。
【００１８】
コンピュータによって実施される処理に関連する本発明の例示的実施形態、及び、装置について上記概説された例示的実施形態に相当するコンピュータシステムもまた、本明細書に記載され、クレームされる。
【００１９】
本開示の技術によって実現される上述した、また、その他の機能及び効果は、以下の詳細な説明、図面、及び、末尾記載の特許請求の範囲の参照によってよりよく評価され、理解されるであろう。追加的な機能及び効果が、本発明の技術によって実現される。本発明のその他の実施形態及び局面は、本明細書中に詳細に解説されており、本願発明の一部とみなされる。
【図面の簡単な説明】
【００２０】
本発明とみなされる主題は、本明細書の末尾に記載される特許請求の範囲において特に記述され、明確に宣言される。上記、及び、その他の本発明の目的、特徴、及び、効果は、添付の図面と組み合わせた、以下の本発明の例示的実施形態の詳細な説明によって明確にされる。
【図１】本発明の例示的実施形態を実装するよう構成され得る、医療マーケットプレイスシステムのネットワーク構成例を示す概略図である。
【図２】本発明の例示的実施形態に係わるサーバシステムを示すブロック図である。
【図３Ａ】本発明の例示的実施形態に係わる顧客ポータル内で提供されるサービスによって実装されることがある、グラフィカルユーザインタフェースの例を示す数枚のスクリーンショットである。
【図３Ｂ】同上
【図３Ｃ】同上
【図３Ｄ】同上
【図４Ａ】本発明の例示的実施形態に係わる、購入されたサービスに対して顧客ポータル内で提供される機能によって、ユーザインタフェースで生成されることがある証書の一例の図である。
【図４Ｂ】本発明の例示的実施形態に係わる、バンドル型のサービス一式として提案され、購入されたサービスに対して顧客ポータル内で提供される機能によって、ユーザインタフェースで生成されることがある証書の一例の図である。
【図５】本発明の例示的実施形態の実装に使用され得る、典型的コンピュータシステム６００のブロック図である。
【００２１】
詳細な説明では、一例として図面を参照して、本発明の例示的実施形態を効果及び特徴とともに解説する。図面において、同様の数字は同様の構成要素を参照する。本明細書で図示されるフロー図は、ほんの一例である。図面又は図面中に記載される工程（又は、操作）には、本発明の精神から逸脱することなく、多くの変形例が考慮される。例えば、工程は異なる順序で行われてもよく、又は、工程は追加、削除、又は、変更されてもよい。これら変形例の全ては、本発明の特許請求の範囲内にあるとみなされる。
【発明を実施するための形態】
【００２２】
本明細書は、新規性が認められる本発明の特徴を定義する特許請求の範囲に帰するものであるが、図面と合わせて例示的実施形態の説明を検討することで、本発明のよりよい理解が得られるはずである。当然のことながら、本明細書に記載の実施形態は、発明のほんの一例であり、多様な形態で実現され得る。従って、本明細書に記載される例示的実施形態との関連で開示される特定の構造的、機能的詳細は、本発明を制限するものとは解釈されず、本発明を実質的にいずれの適切な形態にも多様に適用できるよう当業者に教示するための代表例としてのみ解釈される。本発明がこれら特定の詳細がなくとも実施され得ることは、当業者には明らかである。更に、本明細書中で使用される用語や言い回しは、制約を設けることを意図したものではなく、本発明の説明を分かりやすくするためのものである。
【００２３】
本発明に係わるトランザクションマーケットプレイスシステムの例示的実施形態を、図面を参照しながら説明する。本発明の例示的実施形態は、ネットワークベースのアプリケーション（例えば、ウェブベースアプリケーション）を介して、医療サービスや製品の費用の先払いと引き換えに、サービスや製品を割引価格で患者予備群に対して遠隔から提案する機構を、医療サービス提供者及び薬局に提供するよう実装されてもよい。その際、例示的実施形態は、このネットワークベースのアプリケーションにアクセスするよう構成されたネットワークに接続された機器を介して、地域の医療サービス提供者や薬局が提案するそのような医療サービスや製品を、遠隔から検索し、比較し、先払いで購入するための機構を患者予備群に提供するよう更に実装されてもよい。例示的実施形態は、そのようなネットワークベースの機構を通じて、複数の提供者が個別に実施するバンドル型の医療サービス一式を患者予備群に遠隔から提案する能力を、医療サービス提供者に提供するよう更に実装されてもよい。患者は、ネットワークに接続された機器を介して一度のトランザクションでそのようなバンドル型のサービス一式を先払いで購入する機会が与えられる。このように、ネットワークベースのアプリケーションは、バンドル型のサービス一式に含まれるサービスを実施する複数の医療サービス提供者に支払いが清算されている状態を促進する。
【００２４】
例示的実施形態は、個人医師、診療グループ、病院システムなどの多様な医療サービス提供者に対してこのようなネットワークベースの機構を介して互いに提携する能力を提供し、サービス提供者が、この提携に関連して遠隔から医療サービスを提案することを可能にする様々な選択肢を提供するよう更に実装されてもよい。
【００２５】
なお、本明細書に記載された本発明の例示的実施形態の様々な局面は、医療サービス（本明細書中で処置とも呼ばれる）及び医療製品に限られず、いかなる適切な分類及び種類のサービス提供者及び小売業者によって提案され得るいかなる適切な分類及び種類のサービス及び製品について実施されてもよい。
【００２６】
図１を参照すると、本発明の例示的実施形態を実装するよう構成され得る、医療マーケットプレイスシステム１００のネットワーク構成例を示す概略図が提供される。当然のことながら、図１は一例であり、本発明の異なる実施形態を構成的に制限することを意図しない。従って、図１に図示された特定の要素は、本発明の例示的実施形態が実装され得る環境を制約するものとみなされるべきではない。
【００２７】
図１に示される例では、医療マーケットプレイスシステム１００は、中央サーバシステム１１０を含むクライアントサーバシステムとして実装される。システムの各利用者は、通信ネットワーク１５０を介して中央サーバシステムに動作可能に接続された複数のクライアントシステム１４０のいずれかを操作することで、中央サーバシステム１１０に共通にアクセスする。中央サーバシステム１１０は、データストア１１４に接続されたデータベースサーバ１１２と、アプリケーションサーバ１１６とを更に含む。各クライアントシステム１４０は、利用者端末又はその他のクライアント機器であり、アプリケーションサーバ１１６によって実装されるネットワークベースのアプリケーション（本明細書において、ネットワークサービスとも呼ばれる）を介して提供されたサービスにアクセスするために、それぞれのクライアントアプリケーション１４２を実行するソフトウェアを実装する。このようなクライアントアプリケーションは、クライアントモジュール、又は単にクライアントとも呼ばれることがあり、様々な方法で実装されることがある。例示的実施形態では、このようなクライアントアプリケーションは、専売のクライアントアプリケーション（シッククライアント）から、ユーザエージェント機能がウェブサーバ及び／又はバックエンドプログラム（例えば、ＣＧＩプログラム）によって提供されるウェブベースインタフェースに及ぶ無数の適切なクライアントアプリケーションの種類のいずれかによって実装できる。
【００２８】
更に図示されているように、典型的なマーケットプレイスシステム１００は、本明細書に記載されるネットワークサービスを提供及び／又は強化するために、サーバシステム１１０によってアクセスされ、利用されることがあるその他の機能を有効にするため、少なくとも一つの第三者サーバシステム１６０も含むことがある。例示的実施形態では、マーケットプレイスシステム１００は、追加のサーバ、クライアント、及び、図１に示されないその他の機器を含んでもよい。図１に図示される特定の構成は、説明のために一例として提供されたもので、例示的実施形態では、幾つのクライアントシステム１４０が、何時ネットワーク１５０を介してサーバシステム１１０に接続してもよく、サーバシステム１１０は、複数のサーバ構成要素及びデータベースを一つのサーバシステム内に配置しても、複数のサーバシステム内に配置してもよい。複数のサーバシステムは、ネットワーク１５０を介した分散サーバシステムとして、クライアントシステム１４０と一体化されるか、クライアントシステム１４０の利用者によってアクセス可能である。
【００２９】
例示的実施形態では、パーソナルエリアネットワーク（ＰＡＮ）、ローカルエリアネットワーク（ＬＡＮ）、無線ネットワーク、広域ネットワーク（ＷＡＮ）、インターネット（インターネットプロトコル（ＩＰ）を用いて異種ネットワークから構成されるネットワーク）、仮想私設ネットワークを含むがこれらに限られないいずれかの適切な有線（光ファイバを含む）、無線技術、又は、いずれかの適切な組み合わせによって、ネットワーク１５０は、サーバシステム１１０とクライアントシステム１４０間の通信、及び、マーケットプレイスシステム１００内で接続されるその他の機器やコンピュータ間の通信を促進するよう構成され得る。また、ネットワークは、例えば、光ファイバ、イーサネット（登録商標）、ＩＳＤＮ（総合デジタル通信網）、Ｔ１又はＴ３接続、ＦＤＤＩ（光ファイバ分散データインタフェース）、ケーブル又は無線ローカル多地点配信サービス（ＬＭＤＳ）ネットワーク、無線ＬＡＮ、無線ＰＡＮ（例えば、ＩｒＤＡ、Ｂｌｕｅｔｏｏｔｈ（登録商標）、無線ＵＳＢ、Ｚ−Ｗａｖｅ及びＺｉｇＢｅｅ）、ＨｏｍｅＰＮＡ、電力線通信、又は、電話回線網などの機構を接続するために、いずれかの適切なハードウェア、ソフトウェア、及びファームウェア技術を利用することがある。このようなネットワーク接続は、イントラネット、エクストラネット、及び、インターネットを含むことができ、ルータ、スイッチ、ゲートウェイなどを含むネットワークインフラストラクチャ要素をいくつ含んでいてもよく、公衆電話網（ＰＳＴＮ）などの回線交換網、グローバルインターネットなどのパケット交換網、プライベートＷＡＮ又はＬＡＮ、電気通信ネットワーク、放送ネットワーク、ポイントツーポイントネットワークを備えていてもよく、伝送制御プロトコル／インターネットプロトコル（ＴＣＰ／ＩＰ）通信プロトコル一式を含むがこれらに限られない現在利用可能な、又は、今後開発される多様なネットワークプロトコルを利用してもよい。
【００３０】
例示的実施形態では、アプリケーションサーバ１１６、データベースサーバ１１２、サーバシステム１１０内で採用されるその他いずれかのサーバ、及び、マーケットプレイスシステム１００内で使用される第三者サーバは、ワークステーションコンピュータ、メインフレームコンピュータ、サーバシステム（例えば、ＳＵＮオペレーティングシステムが動作するＳＵＮ  ＵＬＴＲＡワークステーション、ＡＩＸオペレーティングシステムが動作するＩＢＭ  ＲＳ／６０００ワークステーション及びサーバ、又は、ｚ／ＯＳ、ｚ／ＶＭ、又はＬＩＮＵＸ（登録商標）  ＯＳが動作するＩＢＭ  ｚＳｅｒｉｅｓ  ｅＳｅｒｖｅｒ）、サーバクラスタ、分散コンピューティングシステム、クラウドベースのコンピューティングシステムなどいずれかの適切な一つ又は複数のコンピューティングシステム、更に、クライアントシステム１４０を参照して以下に説明される各種コンピューティングシステム及び機器のいずれかで実装され得る。サーバシステム１１０は、多様な構成のいずれを使用して実装されてもよい。例えば、アプリケーションサーバ１１６及びデータベースサーバ１１２は、独立して、又は、一つの統合された機器として実装されてもよい。図１に示される例示的実施形態は、アプリケーションサーバ１１６及びデータベースサーバ１１２を個別の構成要素として描写するが、これらサーバによって提供されたアプリケーション、又は、これらアプリケーションの各種組み合わせは、実際に別々の物理的機器上で動作するサーバアプリケーションであってもよい。その際、サーバシステム１１０はネットワークを介して接続した幾つかのコンピュータを備えることがあり、すなわち、複数の別々の論理的及び／又は物理的単位として、及び／又は、協調して又は独立して動作する複数のサーバとして存在することがあり、各サーバは多数の分離した論理的及び／又は物理的単位から構成されることがある。例示的実施形態では、サーバシステム１１０は、ハードウェア、ソフトウェア、又は、ハードウェア及びソフトウェアの組み合わせで実装されることがある一連の適切なセキュリティ装置を通してネットワーク１５０に接続できる。
【００３１】
図１に示されるように、アプリケーションサーバ１１６はデータベースサーバ１１２に通信可能に接続する。データベースサーバ１１２は、以下に詳述するように、データベースサーバ１１２によって維持される複数のデータベースを備えるデータストア１１４に接続し、データベースサーバ１１２が前面に提供するデータベースサービスを介してアプリケーションサーバ１１６によってアクセスされ、アプリケーションサーバが提供するネットワークサービスを介して提案されたサービスを提供する際に使用される多様な事項に関する情報を格納する。本明細書中において、「データストア」、「データ記憶部」、「記憶装置」などの用語は、マニュアルファイル、機械判読可能なファイル、及びデータベースを含む、データを格納するために使用されることがあるいかなる適切な記憶装置でもよい。例示的実施形態では、アプリケーションサーバ１１６、データベースサーバ１１２、及びデータストア１１４は、一つのコンピューティング装置として実装されても、シリアルポートケーブル、電話線、又は、無線周波数送受信機など、適切な通信媒体を介して互いにローカルで接続する複数のコンピューティング装置の中に実装されても、ネットワーク１５０を介して互いに遠隔から接続する複数のコンピューティング装置内に実装されても、又は、これらの適切な組み合わせのいずれかでもよい。
【００３２】
クライアントシステム１４０は、サービス又は製品を提案する医療提供者、又は、医療サービス又は医療製品を購入したい患者、又は、彼らの代理人（例えば、個人代理人又はアシスタント）、などの一以上の利用者がアクセスできるコンピュータ機器である。なお、本明細書中で使用される「利用者」という用語は、クライアントシステム１４０の一つなどのコンピュータシステムを使用する者を意味する。以下に詳述するように、クライアントシステム１４０は、そのような利用者によって操作されて、ネットワーク１５０を介してサーバシステム１１０にアクセスし、典型的なマーケットプレイスシステム１００内のサーバシステムが提供するネットワークサービスによって提案されるサービスにアクセスするクライアントとして動作する。このため、各クライアントシステムは、そのクライアントシステム上で動作するそれぞれのクライアントアプリケーション１４２を含み、利用者がアプリケーションサーバ１１６を介してサーバシステム１１０とやりとりするのを可能にする。
【００３３】
例示的実施形態では、クライアントシステム１４０のコンピュータシステムは、一以上のワークステーション、デスクトップコンピュータ、ラップトップ、又はその他のパーソナルコンピュータ（ＰＣ）（例えば、ＭＩＣＲＯＳＯＦＴ  ＷＩＮＤＯＷＳ（登録商標）オペレーティングシステム又はＬＩＮＵＸ（登録商標）  ＯＳが動作するＩＢＭ又はＩＢＭ互換ＰＣワークステーション、ＭＡＣ  ＯＳＸオペレーティングシステムが動作するＭＡＣＩＮＴＯＳＨコンピュータ、又は、同等のもの）、パーソナルデジタルアシスタント（ＰＤＡ）及びその他の手持ち又は携帯式電子機器などの非伝統的なコンピュータデジタル機器、スマートフォン及びその他の移動式電話機、タブレットコンピュータ、ネットブックコンピュータ、ゲーム機、ホームシアターＰＣ、デスクトップ代替コンピュータなど、又は、その他いずれかの適切な情報処理装置などの幅広い適切なコンピューティング装置のいずれでもよい。クライアントシステム１４０の典型的コンピュータシステムは、図５を参照して以下に詳述される。
【００３４】
一般的に、典型的なマーケットプレイスシステム１００の稼働中に、クライアントシステム１４０は、まず、ネットワーク１５０を介してサーバシステム１１０への接続を確立する。接続が確立すると、接続したクライアントシステムは、直接又は間接的にデータをアプリケーションサーバ１１６に送信し、アプリケーションサーバ１１６からコンテンツにアクセスしてもよい。接続されたクライアントシステムからアプリケーションサーバ１１６にアクセスする利用者は、以下に詳述するように、クライアントアプリケーション１４２を使用することで、クライアントアプリケーションによって実装されたユーザインタフェースを介して、アプリケーションサーバが提供するサービスにアクセスすることができ、クライアントアプリケーションは、アプリケーションサーバから供給された情報を提示する。
【００３５】
例示的実施形態では、アプリケーションサーバ１１６は、クライアントシステム１４０がアクセスしたサービスを提供するため、サーバシステム１１０内で非ウェブクライアントアプリケーション（モバイルアプリケーションなど）、ウェブクライアントアプリケーション、又は、その両方としてネットワークサービスを実装できる。そして、クライアントアプリケーション１４２は、クライアントシステムの利用者の操作によって、アプリケーションサーバ１１６とやりとりし、アプリケーションサーバによって提供されるサービスにアクセスするため、非ウェブクライアントアプリケーション、ウェブクライアントアプリケーション、又は、その両方として実装され得る。例えば、アプリケーションサーバ１１６は、クライアントシステム１４０上に実装されたクライアントアプリケーションに対してウェブアプリケーションを提供するよう構成されたウェブサーバを備えることができる。クライアントアプリケーションは、ウェブサーバが提供するサービスを利用するためのウェブベースのユーザインタフェースを提供するよう構成されている。例えば、クライアントシステム１４０上に実装されたクライアントアプリケーションのユーザインタフェースは、本明細書に記載される例示的実施形態において提案された機能に対応する各種選択肢を、適切なユーザインタフェースコントロール（例えば、メニュー選択、ポイントアンドクリック、ダイアログボックス、又は、キーボードからのコマンド入力）によって提供するよう構成できる。ある一般的な例では、クライアントアプリケーションの利用者が要請された情報をアプリケーションサーバ１１６に送信できるよう、ユーザインタフェースは「送信」又は「提出」ボタンを提供してもよい。ユーザインタフェースは、例えば、クライアントプラットフォームの利用者に対して、アプリケーションサーバ１１６が提供するネットワークサービスを表示するために、一般的な表示構成を提示するグラフィカルユーザインタフェース（ＧＵＩ）として実装できる。
【００３６】
より詳細には、このような例では、アプリケーションサーバ１１６は、例えば、幾つかのウェブページ（画面など）を含むウェブサイトを提供するウェブベースのソフトウェアアプリケーションを介してサービスを提供するように構成できる。そして、クライアントアプリケーション１４２は、アプリケーションサーバ１１６によって提供されるサービスが、インターネット又はイントラネットを使用してクライアントシステム１１４からアクセスできるように、クライアントシステム１４０上で実行されるウェブブラウザを備えることができる。クライアントシステム１４０の利用者は、例えば、ウェブブラウザ内にウェブサイトのユニフォームリソースロケーター（ＵＲＬ）を入力するか、リンクを辿ることによって、アプリケーションサーバ１１６が提供するウェブサイトにアクセスしてもよい。すると、利用者は、アプリケーションサーバ１１６が提供するウェブサイトのウェブページ内の情報、メディア、その他のコンテンツを表示し、やりとりすることができる。ウェブベースのソフトウェアアプリケーションは、例えば、ＪａｖａＳｃｒｉｐｔ（登録商標）、ＨＴＭＬ、ＨＴＭＬ５、及びＣＳＳなどのブラウザがサポートするプログラミング言語を使用してユーザインタフェースを提示するために、ウェブブラウザが処理可能な情報を送信することができ、そして、ウェブブラウザと、例えば、ＨＴＴＰＳ、ＰＯＳＴ及び／又はＧＥＴリクエストを使用して通信することができる。クライアントアプリケーション１４２及びアプリケーションサーバ１１６は、例えば、患者のプライバシーなどを保護するために、クライアントシステム１４０とサーバシステム１１０の間で送信される情報が、暗号化され、安全なネットワーク接続上を送信できるように構成されてもよい。
【００３７】
図２を参照すると、サーバシステム１１０の例示的実施形態を示すブロック図が提供される。図２に示されるように、アプリケーションサーバ１１６は、顧客ポータル１２０を介して複数のサービスを提供し、提供者ポータル１３０を介して複数のサービスを提供するように実装されている。本明細書に記載されるように、アプリケーションサーバ１１６は、各種利用者（例えば、未登録のゲスト、顧客、個人医師、看護師、事務スタッフ、診療グループの管理者、病院システムの管理者、薬局の管理者など）に対して、それぞれサービス一式を提供するように実装できる。アプリケーションサーバ１１６が提案するサービスの一部は、全ての種類の利用者に共通して適用でき、アクセス可能だが、一部のサービスは、特定の種類の利用者のみに適用でき、アクセス可能である。説明の目的で、本明細書で使用される「提供者」及び「提供者利用者」という用語は、システムに登録された顧客利用者による購入のために医療サービス又は製品を提案する、一般的な分類の登録された利用者を意味する。個人医師利用者、診療グループ管理者、病院システム管理者、薬局管理者などが含まれる。加えて、特定の提供者の利用者アカウントには、権限のある利用者が何人いてもよい。一例として、ある医師のために開設されたアカウントは、その医師を利用者の一人とすることができる。また、その他の権限のある利用者として、医師の下で働く看護師又は事務スタッフを利用者とすることもできる。その他の権限のある利用者は、医師の許可と監督の下でアカウントにログインし、様々な行為を行うことができる。一つの病院システムのアカウントが、複数のスタッフメンバの病院システムによって開設され、共有されてもよい。説明のため、アカウントの管理に責任を持つ特定の利用者（例えば、アカウント管理者）を指定するとする。管理者には、アカウントに対して、サーバシステム１１０内でより大きなアクセス権が付与されてもよい。例示的実施形態では、アプリケーションサーバ１１６にアクセスするために用いられる特定のクライアントアプリケーション１４２又は特定のクライアントシステム１４０は、利用者アカウントの種類毎に別個にカスタマイズされてもよい。例えば、アカウントの種類毎に利用される特定のクライアントアプリケーションは、そのアカウントの種類に対して提案されたサービスに特異的な仮想コンピューティングプラットフォームを提供するよう実装できる。
【００３８】
図２の例示的実施形態に更に示されるように、また、以下に詳述するように、顧客ポータル１２０を介して提供されるサービスは、登録及びアカウント管理サービス１２２、ナビゲーション及び検索サービス１２４、及び、購入サービス１２６を含み、提供者ポータル１３０を介して提供されるサービスは、登録及びアカウント管理サービス１３１、提携先管理サービス１３２、処置管理サービス１３３、製品管理サービス１３４、サービス販売サービス１３５、及び、トランザクション処理サービス１３６を含む。上述したように、アプリケーションサーバ１１６は、ウェブベースのアプリケーションを実装でき（例えば、幾つかのウェブページを含む該当するウェブサイトを提供する）、クライアントシステム１４０は、アプリケーションサーバによって提供されるサービスに利用者がアクセスすることを可能にする、ウェブベースのアプリケーションによって実装されたユーザインタフェースを提示するウェブブラウザを含むことができる。
【００３９】
図２の例示的実施形態に更に示されるように、また、以下に詳述するように、データストア１１４は、データベースサーバ１１２を介してアプリケーションサーバ１１６によって維持され、アクセス可能な複数のデータベースを備える。複数のデータベースには、顧客プロファイルデータベース１１４ａ、医師プロファイルデータベース１１４ｂ、診療グループプロファイルデータベース１１４ｃ、病院システムプロファイルデータベース１１４ｄ、薬局プロファイルデータベース１１４ｅ、身体状態情報データベース１１４ｆ、利用可能サービスデータベース１１４ｇ、サービス提案データベース１１４ｈ、利用可能な製品データベース１１４ｉ、製品提案データベース１１４ｊ、トランザクション情報データベース１１４ｋ、及び、サーバシステム１１０によって利用され得るその他いずれかの適切な情報を格納するのに使用され得る一以上の追加のデータベース１１４ｌ（例えば、システム使用データ、監査証跡データ、アプリケーションサーバ１１６によってシステム内部で使用されるデータなど）を含む。例示的実施形態では、データストア１１４内で維持される各種データベースは、一以上のより大きなデータベース内でグループとして維持されるか、又は、個別に維持されてもよい。例えば、顧客プロファイルデータベース１１４ａ、医師プロファイルデータベース１１４ｂ、診療グループプロファイルデータベース１１４ｃ、病院システムプロファイルデータベース１１４ｄ、及び、薬局プロファイルデータベース１１４ｅは、データストア１１４内で維持される総プロファイルデータベース内の一グループとして維持されてもよい。
【００４０】
以下で説明されるように、アプリケーションサーバ１１６は複数のデータベース内に様々な種類の情報記録を維持するよう構成されることができる。情報記録は、例えば、該当する種類の情報記録に関連する各種データを追跡するプログラム及び／又はデータ構造でもよい。本明細書中において、「データ」、「コンテンツ」、「情報」という用語及び類似した用語は、置き換え可能に使用され、各種実施形態の例において、捕捉、送信、受信、表示、及び／又は、格納されるデータを意味することがある。従って、このようないずれかの用語の使用は、本開示の精神と範囲を制限するとみなされるべきではない。更に、本明細書中で、コンピューティング装置は、他のコンピューティング装置からデータを受信するように記載されるが、当然のことながら、データは他のコンピューティング装置から直接受信しても、又は、例えば、一以上のサーバ、リレー、ルータ、ネットワークアクセスポイント、基地局などの一以上の仲介コンピューティング装置を介して間接的に受信してもよい。同様に、本明細書中で、コンピューティング装置は、他のコンピューティング装置にデータを送信するように記載されるが、データは他のコンピューティング装置に直接送信しても、又は、例えば、一以上のサーバ、リレー、ルータ、ネットワークアクセスポイント、基地局などの一以上の中継コンピューティング装置を介して間接的に送信してもよい。
【００４１】
上述したように、異なる種類の利用者が、サーバシステム１１０にアクセスできる。このように、アプリケーションサーバ１１６は、アカウントの一定の分類に従ってシステムに登録された様々な利用者のアカウント情報記録を維持し、管理するように構成できる。本例示的実施形態では、サーバシステム１１０に登録された提供者利用者によって提案される医療サービス及び製品を購入するために、顧客プロファイルデータベース１１４ａを用いて、サーバシステム１１０に登録された顧客利用者のアカウント情報記録を維持する。サーバシステム１１０に登録されたアカウントを持つ各顧客について、氏名、住所又は位置情報、連絡先情報、課金情報、その他いずれかの適切な識別情報、更に、アカウントにログインするときに使用できるアカウントに関連付けられた一意のユーザ名及びパスワードなどの、顧客に関連する各種情報項目が、顧客プロファイルデータベース１１４ａ内で維持される顧客の各アカウント情報記録に含まれ得る。各顧客のアカウント情報記録は、各種操作を行うためにアプリケーションサーバ１１６によって利用される顧客プロファイルデータベース１１４ａ内の一意の顧客アカウント識別子に関連付けられてもよい。
【００４２】
医師プロファイルデータベース１１４ｂは、システムに登録された顧客利用者が購入する医療サービスを提案するためにサーバシステム１１０に登録された個人医師利用者のアカウント情報記録、及び、診療グループ又は病院システム（以下に詳述する）と関連付けられてシステムに登録された個人医師のアカウント情報記録を維持するのに使用される。サーバシステム１１０に登録されたアカウントを持つ各医師について、氏名、診療分野、診療所立地及び診療時間、プロファイル写真、連絡先情報、経歴（受賞、栄誉、論文、患者証言、医師をシステムにアクセスする顧客に売り込むのに役立つその他の情報）、ウェブサイトやソーシャルメディアプロファイルへのＵＲＬ又は参照、グループ診療及び病院との提携、医師による特定の処置に使用される外部施設（例えば、特定の病院又は診療所）、報酬情報（システムを介して医師が提案したサービスの購入に対する支払いを受け取るための会計アカウントを示す）、及び、その他いずれかの適切な識別情報、更に、アカウントにログインするときに使用できるアカウントに関連付けられた一意のユーザ名及びパスワードなどの、医師に関連する各種情報項目が、医師プロファイルデータベース１１４ｂ内で維持される医師の各アカウント情報記録に含まれ得る。各医師のアカウント情報記録は、アプリケーションサーバ１１６が各種操作を行うために利用する、医師プロファイルデータベース１１４ｂ内のアカウント状態及び一意の医師アカウント識別子に関連付けられてもよい。
【００４３】
診療グループプロファイルデータベース１１４ｃは、システムに登録された顧客利用者が購入する、診療グループと提携した医師が提供する医療サービスを提案するために、サーバシステム１１０に登録する診療グループ管理者利用者がアカウント情報記録を維持するのに使用される。サーバシステム１１０に登録されたアカウントを持つ各診療グループについて、診療グループ名、立地及び診療時間、連絡先情報、診療グループのウェブサイトやソーシャルメディアプロファイルへのＵＲＬ又は参照、医師及び病院との提携、診療グループと提携した医師によって特定の処置に使用される外部施設、報酬情報（システムを介して提携医師から提案されたサービスの購入に対する支払いを受け取るための会計アカウントを示す）、及び、その他いずれかの適切な識別情報、更に、診療グループの管理者がアカウントにログインするときに使用できるアカウントに関連付けられた一意のユーザ名及びパスワードなどの、実践に関連する各種情報項目が、診療グループプロファイルデータベース１１４ｃ内で維持される診療グループの各アカウント情報記録に含まれ得る。各診療グループのアカウント情報記録は、システムに登録された医師利用者が診療グループと提携するために利用し、アプリケーションサーバ１１６が各種操作を行うために利用する、診療グループプロファイルデータベース１１４ｃ内のアカウント状態及び一意の診療グループアカウント識別子に関連付けられてもよい。
【００４４】
病院システムプロファイルデータベース１１４ｄは、マーケットプレイスシステム１００内でクライアントシステムを操作する患者が購入する、病院システムと提携した医師が提供する先払いの医療サービスのオンサイトの直接の販売を行うために、サーバシステム１１０に登録する病院システム管理者利用者がアカウント情報記録を維持するのに使用される。サーバシステム１１０に登録されたアカウントを持つ各病院システムについて、診療グループ及び医師との提携、病院システムと提携した医師によって特定の処置に使用される施設、報酬情報（システムを介して提携医師から提案されたサービスの購入に対する支払いを受け取るための会計アカウントを示す）、及び、その他いずれかの適切な識別情報、更に、病院システムの管理者がアカウントにログインするときに使用できるアカウントに関連付けられた一意のユーザ名及びパスワードなどの、病院システムに関連する各種情報項目が、病院システムプロファイルデータベース１１４ｄ内で維持される病院システムの各アカウント情報記録に含まれ得る。病院システムのそれぞれのアカウント情報記録は、病院システムのスタッフメンバがアカウントにログインするときに使用できるアカウントに関連付けられた複数の一意のユーザ名及びパスワードなどを更に含むことがある。また、各病院システムのアカウント情報記録は、病院システムプロファイルデータベース１１４ｄ内のアカウント状態及び一意の病院システムアカウント識別子と関連付けられてもよく、システムに登録された医師利用者が病院システムと提携するために使用したり、アプリケーションサーバ１１６が各種操作を行うために使用したりする。
【００４５】
薬局プロファイルデータベース１１４ｅは、システムに登録された顧客利用者が購入する、処方薬や医療用品などの医療製品を提案するために、サーバシステム１１０に登録する薬局管理者がアカウント情報記録を維持するのに使用される。サーバシステム１１０に登録されたアカウントを持つ各薬局について、名称、立地及び営業時間、連絡先情報、ウェブサイトやソーシャルメディアプロファイルへのＵＲＬ又は参照、報酬情報（システムを介して薬局から提案された製品の購入に対する支払いを受け取るための会計アカウントを示す）、及び、その他いずれかの適切な識別情報、更に、アカウントにログインするときに使用できるアカウントに関連付けられた一意のユーザ名及びパスワードなどの、薬局に関連する各種情報項目が、薬局プロファイルデータベース１１４ｅ内で維持される薬局の各アカウント情報記録に含まれ得る。各薬局のアカウント情報記録は、アプリケーションサーバ１１６が各種操作を行うために利用する、薬局プロファイルデータベース１１４ｅ内のアカウント状態及び一意の薬局アカウント識別子に関連付けられてもよい。
【００４６】
身体状態情報データベース１１４ｆは、システムに登録された顧客利用者が購入するために、サーバシステム１１０に登録された提供者が該当する医療サービス（例えば、検査及び治療）を提案できる各種健康状態及び疾病の情報記録を維持するのに使用される。例示的実施形態では、それぞれの情報記録が身体状態情報データベース１１４ｆで維持される各種身体状態及び疾病、及び、身体状態及び疾病についてそれぞれの情報記録に入力されている情報は、サーバシステム１１０のバックエンド管理者によって作成され、維持され得る。情報記録が作成される各身体状態又は疾病について、名称、説明、原因、リスク因子、症状、一般的治療、サーバシステム１１０に登録された提供者によって提案され得る該当する医療サービス（例えば、各関連付けられた医療サービスは、下記利用可能サービスデータベース１１４ｇ内のサービスの情報記録を識別するのに用いられる一意の処置識別子を用いて情報記録内で識別されることがある）、及び、その他いずれかの適切な情報などの、身体状態又は疾病に関連する各種情報項目が、身体状態情報データベース１１４ｆ内で維持される身体状態又は疾病のそれぞれの情報記録に含まれることがある。
【００４７】
利用可能サービスデータベース１１４ｇは、サーバシステムに登録された顧客利用者が購入するために、サーバシステム１１０に登録された提供者が提案できる各種医療サービス（例えば、検査及び治療）の情報記録を維持するのに使用される。例示的実施形態では、利用可能サービスデータベース１１４ｇで維持される医療サービスのそれぞれの情報記録、及び、サービスについてそれぞれの情報記録に入力されている情報は、サーバシステム１１０のバックエンド管理者によって作成され、維持され得る。情報記録が作成される各サービスについて、名称、処置詳細、その処置が一般的に関連付けられる一以上の医療専門分野、費用情報（例えば、保険未加入の患者、及び／又は、高い控除額の保険プランに加入している患者に対するサービスの平均価格、サーバシステム１１０に登録された提供者によって提案されたサービスの購入の平均価格）、正式な医学分類系統で用いられる命名法に従ってサービスを識別する医療コード番号（例えば、現代処置手術用語（Ｃｕｒｒｅｎｔ  Ｐｒｏｃｅｄｕｒａｌ  Ｔｅｒｍｉｎｏｌｏｇｙ；ＣＰＴ）コードセットに従ってサービスを識別するのに用いられるコード）、アプリケーションサーバ１１６が特定のサービスを一意に識別するのに用いる処置識別子、その他いずれかの適切な情報などのサービスに関連する各種情報項目が、利用可能サービスデータベース１１４ｇ内に維持されるサービスのそれぞれの情報記録に含まれることがある。
【００４８】
加えて、例示的実施形態では、利用可能サービスデータベース１１４ｇ内で維持される各サービスの情報記録は、サービスがマーケットプレイスシステム１００内の提供者によって、個別の一次サービスとして提案されるか、あるいは、バンドル型の複数サービスの一式の一次サービスとして提案されるかの指定を更に含むことがある（バンドル型のサービス一式に対する一回の支払いは、バンドル一式のサービスそれぞれの異なる提供者に支払われる）。このような実施形態では、サービスがバンドル型のサービス一式の一次サービスとして提案されているとの指定が情報記録に含まれる各サービスについては、一次サービスであることが示されたサービスに関連付けられたバンドル型のサービス一式に関連する追加情報の各種項目が、利用可能サービスデータベース１１４ｇ内に維持される一次サービスのそれぞれの情報記録内に含まれることがある。一次サービスの情報記録に含まれるバンドル型のサービス一式に関連する情報のそのような項目は、例えば、一次サービスと関連付けられた一以上の二次サービスを説明する情報項目（名称、正式な医学分類系統によって用いられる命名法に従ってサービスを識別するＣＰＴコードなどの医療コード番号、及び、アプリケーションサーバ１１６が、一次サービスの一意の処置識別子に関連付けられた特定の二次サービスを一意に識別するために用いる二次処置識別子）、その情報記録が利用可能サービスデータベース１１４ｇ内で維持され、一次サービスに関連付けられた二次サービスとみなされるその他のサービスの一以上の処置識別子、一以上の二次サービス（バンドル型のサービス一式に対する一回の顧客による支払いは、バンドル一式のそれぞれの異なる提供者に支払われる）のそれぞれの実施が任意であるか、又は、一次サービスの実施に伴い必要とされるかの指定、及び、一次サービスが外部施設で実施される必要があるかの指定を含むことがある。加えて、このような実施形態では、サービスがバンドル型のサービス一式の一次サービスとして提案されているとの指定が情報記録に含まれる各サービスについて、利用可能サービスデータベース１１４ｇ内に維持される一次サービスのそれぞれの情報記録に含まれる費用情報は、サーバシステム１１０に登録された提供者によって提案されるバンドル型のサービス一式を購入するための平均価格に加えて、一次サービス、一以上の二次サービス、及び、必要であれば、個々の一次サービスのための外部施設の使用（例えば、保険未加入の患者、及び／又は、高い控除額の保険プランに加入している患者のためのバンドル型のサービス一式の各サービス及び施設の平均価格）のそれぞれについての費用情報を含むことがある。
【００４９】
サービス提案データベース１１４ｈは、システムに登録された顧客利用者が購入するために、システムに登録された提供者が提案している医療サービスの情報記録を維持するのに使用される。なお、同じサービスがシステムに登録された複数の異なる提供者によって個別に提案されることがあり、従って、サービス提案データベース１１４ｈは、同じサービスに対して、それぞれ異なる提供者と関連付けられた複数の情報記録を含むことがある。サービス提案データベース１１４ｈ内でそれぞれの情報記録が維持される各提案されたサービスについて、利用可能サービスデータベース１１４ｇ内のそのサービスの情報記録に対する一意の処置識別子、システムを介してサービスを提案している提供者の（医師プロファイルデータベース１１４ｂ、診療グループプロファイルデータベース１１４ｃ、又は病院システムプロファイルデータベース１１４ｄ内の）アカウント情報記録に対する一意のアカウント識別子、サービスを実施する医師利用者の医師プロファイルデータベース１１４ｂ内のアカウント情報記録に対する一意の医師アカウント識別子、サービスが実施される場所、マーケットプレイス１００内でサービスを購入した場合の割引価格、サービスがシステム外部で購入された場合の通常価格、システムを通してサービスが購入された場合のサービス対価の支払い先となる提供者の（医師プロファイルデータベース１１４ｂ、診療グループプロファイルデータベース１１４ｃ、又は、病院システムプロファイルデータベース１１４ｄ内の）アカウント情報記録に対する一意のアカウント識別子、実施したサービス対価の支払い先となる提供者に送金される支払い額、サービスを提案する提供者によって提供されることがある追加の説明的情報、アプリケーションサーバ１１６がシステム内の提供者による特定のサービス提案を一意に識別するのに用いる処置提案識別子、及び、その他いずれかの適切な情報などの、提案されているサービスに関連する各種情報項目が、サービス提案データベース１１４ｈ内に維持される提案されたサービスのそれぞれの情報記録に含まれることがある。
【００５０】
加えて、例示的実施形態では、サービス提案データベース１１４ｈ内で維持される提案されたサービスの情報記録は、システムに登録された提供者からバンドル型のサービス一式として提案されたサービスの追加情報を含む情報記録を含み得る。その際、サービス提案データベース１１４ｈ内で維持される各提案されたサービスの情報記録は、提案されたサービスが、個別の一次サービスとして提案されているか、あるいは、バンドル型の複数サービスの一式の一次サービスとして提案されているかの指定を更に含むことがある（バンドル型のサービス一式に対する一回の顧客による支払いは、バンドル一式のサービスそれぞれの異なる提供者に支払われる）。このような実施形態では、サービスがバンドル型のサービス一式の一次サービスとして提供者から提案されているとの指定が情報記録に含まれる各提案されたサービスについて、一次サービスであることが示された提案されたサービスに関連付けられたバンドル型のサービス一式に関連する追加情報の各種項目が、サービス提案データベース１１４ｈ内に維持される提案されたサービスのそれぞれの情報記録内に含まれることがある。サービス提案データベース１１４ｈ内の、バンドル型のサービス一式の一次サービスであると示された提案されたサービスのそれぞれの情報記録に含まれるバンドル型のサービス一式に関連した情報項目は、例えば、利用可能サービスデータベース１１４ｇ内の、二次サービスの情報記録に対する一意の処置識別子などの、各二次サービスの情報項目（又は、利用可能サービスデータベース１１４ｇ内で提案されている一次サービスの情報記録が、当該サービスはバンドル型のサービス一式の一次サービスとして提案されているという指定を含む場合には、提案された一次サービスの一意の処置識別子と関連付けられた特定の二次サービスを一意に識別するための、利用可能なサービスデータベース１１４ｇに含まれる二次処置識別子。）、二次サービスを実施する医師利用者の医師プロファイルデータベース１１４ｂ内のアカウント情報記録に対する一意の医師アカウント識別子、二次サービスが実施される場所、マーケットプレイス１００内で二次サービスを購入する場合の割引価格、二次サービスがシステム外部で購入された場合の二次サービスの通常価格、システムを通して二次サービスが購入された場合の支払い先となる提供者の（医師プロファイルデータベース１１４ｂ、診療グループプロファイルデータベース１１４ｃ、又は、病院システムプロファイルデータベース１１４ｄ内の）アカウント情報記録に対する一意のアカウント識別子、二次サービスを実施した場合の支払い先となる提供者に送金される支払い額、及び、二次サービスの実施が任意か、一次サービスの実施に伴い必要とされるかの指定を含むことがある。サービス提案データベース１１４ｈ内の、バンドル型のサービス一式の一次サービスであると示された提案されたサービスのそれぞれの情報記録に含まれるバンドル型のサービス一式に関連した情報項目は、例えば、一次サービスが外部施設で実施されるかの指定、及び、一次サービスが外部施設で実施される場合には、一次サービスを実施するために使用されることがある一以上の施設のそれぞれに関する情報項目、例えば、名称、住所、連絡先情報、施設利用料、及び施設利用料を受け取るために施設によって用いられる会計アカウントを示す報酬情報などを更に含むことがある。
【００５１】
利用可能な製品データベース１１４ｉは、システムに登録された顧客利用者による購入のため、サーバシステム１１０に登録された薬局（つまり、アカウント情報記録が薬局プロファイルデータベース１１４ｅ内で維持される薬局）によって提案され得る各種医療製品（例えば、処方薬及び医療用品）の情報記録を維持するのに用いられる。例示的実施形態では、利用可能な製品データベース１１４ｉで維持される医療製品のそれぞれの情報記録、及び、製品についてそれぞれの情報記録に入力されている情報は、サーバシステム１１０のバックエンド管理者によって作成され、維持され得る。情報記録が作成された各製品について、名称、投与量の選択肢一覧（処方薬について）、大きさの選択肢（特定の医療用品について）などの製品に関連する情報の各種項目、製品の説明、製品の購入に処方箋が必要かの指定、ユーザインタフェース内で製品の処方箋情報を提出するための所定の入力可能なフォームを提示するための情報、費用情報（例えば、保険未加入の患者、及び／又は、高い控除額の保険プランに加入している患者のための製品の平均価格、サーバシステム１１０に登録された薬局によってサービスに対して提案された製品を購入する最低価格）、アプリケーションサーバ１１６が特定の製品を一意に識別するのに用いる製品識別子、及び、その他いずれかの適切な情報が利用可能な製品データベース１１４ｉ内に維持される製品のそれぞれの情報記録に含まれることがある。
【００５２】
製品提案データベース１１４ｊは、システムに登録された顧客利用者が購入するために、システムに登録された薬局が提案している医療用品の情報記録を維持するのに使用される。なお、同じ製品がシステムに登録された複数の異なる薬局によって個別に提案されることがあり、従って、製品提案データベース１１４ｊは、同じ製品に対して、それぞれ異なる提供者と関連付けられた複数の情報記録を含むことがある。情報記録が製品提案データベース１１４ｊで維持される薬局によって提案された各製品について、利用可能な製品データベース１１４ｉ内の製品に対する情報記録の一意の製品識別子、製品を提案している薬局の薬局プロファイルデータベース１１４ｅ内のアカウント情報記録に対する一意の薬局アカウント識別子、マーケットプレイスシステム１００内で識別された薬局から製品を購入する場合の割引価格、識別された薬局からシステム外でサービスを購入する場合の製品の通常価格、製品を提案する薬局に送金される支払い額、製品を提供する薬局によって提供されることがある追加の説明的情報、アプリケーションサーバ１１６がシステム内の薬局による特定の製品の提案の情報記録を一意に識別するのに用いる製品提案識別子、及び、その他いずれかの適切な情報などの提案されている製品に関連する各種情報項目が、製品提案データベース１１４ｊ内に維持される提案された製品のそれぞれの情報記録に含まれることがある。
【００５３】
トランザクション情報データベース１１４ｋは、登録された提供者によって提案されている医療サービス及び医療製品の、登録された顧客利用者によるシステムを介した購入の情報記録を維持するのに用いられる。システムを用いてこれまでになされたサービス又は製品の購入について、購入に関連する情報の各種項目が、トランザクション情報データベース１１４ｋ内で維持される購入の情報記録に含まれることがある。一般的に、トランザクション情報データベース１１４ｋ内で維持されるそれぞれの購入の情報記録に含まれる購入に関連した情報項目には、例えば、顧客プロファイルデータベース１１４ａ内の購入する顧客のアカウント情報記録の一意の顧客アカウント識別子、サービス提案データベース１１４ｈ内の購入されたサービスに関する情報記録の一意の処置提案識別子、又は、製品提案データベース１１４ｊ内の購入された製品に関する情報記録の一意の製品提案識別子、購入日、及び、アプリケーションサーバ１１６がシステム内のサービス又は製品の購入に関して情報記録を一意に識別するのに用いる一意のトランザクション識別子が含まれ得る。システムを用いてこれまでになされた各サービスの購入について、トランザクション情報データベース１１４ｋ内に維持される購入の情報記録に含まれる購入に関連する情報項目には、更に、サービス提案データベース１１４ｈ内の購入されたサービスの情報記録内において購入されたサービスを実施すると指定されている医師利用者の医師プロファイルデータベース１１４ｂ内のアカウント情報記録に対する一意の医師アカウント識別子、購入が清算されたかの指定、及び、購入が清算されている場合には清算日を含むことがある。
【００５４】
加えて、例示的実施形態では、トランザクション情報データベース１１４ｋ内で維持される購入されたサービスの情報記録は、システムに登録された提供者からバンドル型のサービス一式として提案された購入及びサービスの追加情報を含む情報記録を含み得る。その際、トランザクション情報データベース１１４ｋ内で維持される購入されたバンドル型のサービス一式の情報記録は、バンドル型のサービス一式の一次サービスを実施するために選択された特定の外部施設の指定、及び、購入に含まれるバンドル型のサービス一式の各サービスについて（例えば、一次サービスのみでなく、各必要な二次サービス、又は、顧客利用者によって購入に含めるよう選択された各任意の二次サービス）、サービス提案データベース１１４ｈ内の購入されたサービスの情報記録内でサービスを実施すると指定されている医師利用者の医師プロファイルデータベース１１４ｂ内のアカウント情報記録に対する一意の医師アカウント識別子、特定のサービスに関して購入が清算されたかの指定、及び、特定のサービスに関して購入が清算されている場合には特定のサービスの清算日を含むことがある。
【００５５】
上述したように、接続したクライアントシステム１４０の利用者が、該当するクライアントアプリケーション１４２を操作することによって、アプリケーションサーバによって提供された各種サービスに比較的容易にアクセスできるように、アプリケーションサーバ１１６はユーザインタフェースを実装できる。例示的実施形態では、ユーザインタフェースはウェブベースのユーザインタフェースで、幾つかのウェブページ（つまり、画面）を提供する該当するウェブサイトを提供するウェブベースのソフトウェアアプリケーションとして実装することで、アプリケーションサーバ１１６が実装するサービスを利用者に提案してもよい。例えば、利用者は、クライアントシステム１４２上で実行するクライアントアプリケーション１４２内で実装されるウェブブラウザを用いて、該当するウェブサイトにアクセスできる。
【００５６】
例示的実施形態では、利用者がシステム１１０に何らかの種類の利用者アカウントで登録されているか、あるいは、未登録の利用者であるかにかかわらず、いずれかの利用者が、アプリケーションサーバ１１６にアクセスするためにクライアントシステム１４０を操作する際（例えば、ネイティブクライアントアプリケーションを起動することで、又は、ウェブブラウザを用いてアプリケーションサーバ１１６にネットワークアドレスを提供するＵＲＬを送ることで）、アプリケーションサーバは、顧客ポータル１２０内にグループ化されたサービスのホームページに利用者を誘導するように既定の設定で構成されていてもよく、ホームページでは、検索インタフェースを通じてナビゲーション及び検索サービス１２４が提供する機能にアクセスするための多様な選択肢が利用者に提示される。
【００５７】
図３Ａは、そのような顧客ポータル１２０のホームページ３００によって提供されたグラフィカルユーザインタフェースの一例を示したスクリーンショットである。図３Ａの例では、ホームページ３００に備えられた検索インタフェースは、ドロップダウンメニュー３０２、検索入力フィールド３０４、位置入力フィールド３０６、及び、検索ボタン３０８を含むことがある。ドロップダウンメニュー３０２では一式の選択肢が提供され、利用者は、システムに登録された提供者利用者によって提案された特定の処置、システムに登録された薬局の利用者によって提案された特定の製品、システムに登録された提供者の情報、及び、システム内で維持される健康状態の情報を検索することができる。例示的実施形態では、ナビゲーション及び検索サービス１２４は、位置入力フィールド３０６内に既定の位置入力（例えば、市町村名及び／又は郵便番号）を提供するクライアントシステム上に実装される、いずれかの適切な位置決め機能によって収集され得る位置情報を使用するよう構成できる。そのような実施形態では、ナビゲーション及び検索サービス１２４は、この目的のためにそのような位置情報にアクセスし、利用することを可能にするため、ユーザインタフェースを介して利用者からの許可を要請するよう更に構成されてもよい。
【００５８】
一例では、システムに登録された提供者利用者によって提案される特定のサービスを検索するため、利用者がドロップダウンメニュー３０２内で選択肢を選択すると、利用者は、続いて、検索入力フィールド３０４へのサービス名の入力に進むことができる。例示的実施形態では、ナビゲーション及び検索サービス１２４は、利用者が検索するサービス名を入力すると、検索入力フィールド３０４に関連付けられた対応する入力を完成させる選択肢が特定され、示唆される（例えば、入力された文字を、利用可能サービスデータベース１１４ｇ内に維持される医療サービスの各情報記録に含まれる各種サービス名と比較するなどによって）。利用者は、いずれか時点でも示唆された入力を完成させる選択肢から一つを選択することができ、又は、引き続き手動でサービス名の入力を完成させることができる。別の例示的実施形態では、利用者が検索入力フィールド３０４に含める特定のサービスを選択できるようにするため、ホームページ１００は、ドロップダウンメニュー３０２内の選択肢の選択に併せた追加のドロップダウンメニューを提供して、特定のサービスを検索するように構成されてもよい。これによって、利用者は、まず、特定分野の一覧から選択し、利用者が特定の分野を選択すると、（例えば、利用可能サービスデータベース１１４ｇに維持される情報に基づいて）選択された分野に関連付けられたサービス一覧が提供され、利用者はそこから検索入力フィールド３０４に入力する特定サービスを選択できる。特定のサービスを選択するのに伴い、利用者は市町村名及び／又は郵便番号を入力でき、又は、位置入力フィールド３０６内の既定の位置入力を利用して、マーケットプレイスシステム１００を介して購入される選択されたサービスを提案する提供者の検索範囲を絞る選択をすることもできる。
【００５９】
適切な検索情報が入力されると、利用者は検索ボタンを選択して、ナビゲーション及び検索サービス１２４に、サーバシステム１１０に登録され、マーケットプレイスシステム１００を介した購入のために入力された医療サービスを提案する地域の提供者の検索を行わせることができる。ナビゲーション及び検索サービス１２４は、例えば、医師プロファイルデータベース１１４ｂ、診療グループプロファイルデータベース１１４ｃ、病院システムプロファイルデータベース１１４ｄ、及び／又は、アプリケーションサーバがアクセスできるその他いずれかの適切な情報及びデータベースと併せてサービス提案データベース１１４ｈにアクセスすることで、そのような位置ベースの検索を実施でき、指定された検索条件と一致する医療サービスで利用可能サービスデータベース１１４ｇ内の情報記録を絞込み、その検索結果を検索結果一覧ページ内で利用者に提示する。
【００６０】
例示的実施形態では、ナビゲーション及び検索サービス１２４が（例えば、入力された医療サービスを提案する地域の提供者、又は、以下に説明するように、地域の提供者一般、又は、医療製品を提案する地域の薬局提供者を探すため）位置ベースの検索を実施するよう利用者が指示したときはいつでも、アプリケーションサーバ１１６が利用者のために維持するセッションにおいてデータオブジェクト内を検索するために、ナビゲーション及び検索サービスは、位置入力フィールド３０６内で指定された位置を維持するよう構成され得る。本明細書で言及される限り、「セッション」という用語は、一つの連続したやりとりの間、各種ページに渡ってやりとり及び移動することで連続的に実施可能な一連のトランザクションに言及していることがある。このようなセッションが終了することがあるのは、例えば、クライアントシステム上で動作し、利用者によって操作されているネイティブクライアントアプリケーションを、利用者が終了させた場合、アプリケーションサーバ１１６によって提供されたウェブアプリケーションにアクセスするために使用中のウェブブラウザを利用者が終了させた、もしくは、アプリケーションサーバによって提供されるウェブサイトのドメイン内でページを選択又は移動するのを止めて、異なるドメインのウェブサイトに移動した場合、又は、利用者が、顧客プロファイルデータベース１１４ａ内に維持される特定の顧客アカウント情報記録に関連して、アプリケーションサーバによって提供されたサービスにアクセスするために使用された顧客アカウントからログアウトした場合である。例示的実施形態では、利用者のために現在維持されているアプリケーションサーバ１１６のセッションのためのセッションデータオブジェクトは、アプリケーションサーバ１１６にローカルで格納され、維持されることがある。
【００６１】
図３Ｂは、顧客ポータル１２０の検索結果一覧ページ３１０によって提供されたＧＵＩの一例を示すスクリーンショットである。位置入力フィールド３０６に指定された位置の既定の検索範囲（例えば、５０マイル）内の、ナビゲーション及び検索サービス１２４による検索で戻された、検索入力フィールド３０４で指定されたサービスを提案する提供者一覧を提示する。図３Ｂの例では、検索結果一覧ページ３１０は、結果一覧セクション３１１、結果絞込みセクション３１６、及び、結果並び替えセクション３１８を含む。結果一覧セクション３１１は、サービス提案データベース１１４ｈ内に維持された情報記録が指定された検索条件と一致する各提案されたサービスに対するエントリを提示する。結果絞込みセクション３１６は、検索条件を修正して、又は、追加検索条件を入力して、結果一覧セクション３１１内に提示された検索結果を絞り込むための、各種ユーザインタフェースコントロールを提供する。図３Ｂの例では、結果絞込みセクション３１６は、検索入力フィールド３０２で指定されたサービスを提案する検索された提供者の地理的検索範囲を大小させる、利用者がアクセス可能な縮尺スライドバーと、サービスを実施する医師の一以上の特定分野に基づいて結果を絞り込むための選択肢とを含む。その際、ナビゲーション及び検索サービス１２４は、利用者がユーザインタフェースのコントロールにアクセスして、検索条件を変更したり、追加検索条件を入力したりするのに応じて、新しく指定された検索条件に基づいて、利用可能サービスデータベース１１４ｇ内の医療サービスに関する情報記録の更新された検索を行い、更新された検索で返された結果に基づいて、結果一覧セクション３３１内の提案されたサービスのエントリを更新するよう構成されてもよい。結果並び替えセクション３１８は、利用者がアクセスできるユーザインタフェースのコントロールを提供し、指定された条件に基づいて（例えば、サーバシステム１１０を介して提案したサービスを購入する価格に基づいて、又は、提案されたサービスの位置と、位置入力フィールド３０６に指定された位置との間の距離に基づいて）、ナビゲーション及び検索サービス１２４に結果一覧セクション３１１の提案されたサービスのエントリ一覧を整列させる。例示的実施形態では、このような検索結果一覧ページ３１０は、例えば、利用可能サービスデータベース１１４ｇ内に維持される検索条件で指定されたサービスの情報記録に含まれる平均費用情報を図示するグラフィックなど、利用者によって指定された検索条件に関連したその他いずれかの適切な情報を提示するよう実装できる。
【００６２】
図３Ｂに図示されるスクリーンショットの例では、結果一覧セクション３１１に表示された提案されたサービスの各エントリは、サービス提案データベース１１４ｈ内の提案されたサービスの情報記録で指定されたサービスを実施する医師の医師プロファイルデータベース１１４ｂ内のアカウント情報記録からの情報を提示する第１の部分３１２（例えば、医師の氏名、専門分野、及び、プロファイル写真）、システムを通してサービスを提案する提案者のアカウント情報記録（例えば、提供者名）及び提案されたサービスが実施される場所（例えば、住所及び電話番号）からの情報を提示する第２の部分３１３、及び、アプリケーションサーバ１１６を通して提案されたサービスを購入するための費用情報を提示する第３の部分３１４（例えば、サービス提案データベース１１４ｈ内の提案されたサービスの情報記録で指定されたサービスの割引価格、サービスの割引価格と、サービス提案データベース１１４ｈ内の提案されたサービスの情報記録で指定される提供者からサービスがシステム外部で購入された場合の通常価格との間の節約費用の差異）、及び、エントリ内に記載された提案されたサービスを購入することを選択する選択肢（例えば、第３の部分３１４に含まれる「カートに追加」ボタン）を含む。利用者が、結果一覧セクション３１１に表示される提案されたサービスを購入するための選択肢を選択すると、ナビゲーション及び検索サービス１２４は、利用者が購入のために提案されたサービスを選択したことの指定を含むため（例えば、提供者による特定のサービスの提案を一意に識別する、サービス提案データベース１１４ｈ内に維持される処置提案識別子を含むことで）、現在維持されているアプリケーションサーバ１１６とのセッションのセッションデータオブジェクトを更新するよう構成されてもよい。以下に詳述するように、アプリケーションサーバ１１６とのセッションに関連して購入のために一以上のサービス及び／又は製品を選択すると、利用者は、顧客プロファイルデータベース１１４ａ内で登録された顧客利用者のために維持されるアカウント情報記録に関連して選択した項目の購入に進む顧客購入ページ（例えば、「会計」ページ）に移動する選択肢が与えられる。
【００６３】
例示的実施形態では、結果一覧セクション３１１は、検索結果に含まれる提案されたサービスに関連したその他いずれかの適切な情報を提示するよう更に実装できる。加えて、結果一覧セクション３１１に記載された提案されたサービスの各エントリについて、第一の部分３１２は、提案されたサービスを実施する医師に関連する情報を提示する医師プロファイルページに移動するための、利用者がユーザインタフェースを介してアクセス可能なハイパーリンク又はその他の参照を更に含むことがある（このような医師プロファイルページの例は、図３Ｄを参照して以下に説明される）。検索結果一覧ページ３１０は、指定されたサービスに関する情報を提示する医療サービス情報ページへの参照など（このような医療サービス情報ページの例は、図３Ｃを参照して以下に記載される）、利用者が指定した検索条件に関連した情報を提供するその他の関連ページへの追加のハイパーリンク又はその他の参照を含むよう更に実装できる。
【００６４】
図３Ａに示されるホームページ３００の例に戻る。別の例では、システムに登録された薬局に提案された特定の製品を検索するため、利用者はドロップダウンメニュー３０２内の選択肢を選択し、続いて、利用者は、検索入力フィールド３０４内に特定の製品の名称を入力する。例示的実施形態では、ナビゲーション及び検索サービス１２４は、利用者が検索する製品の名称を入力すると、検索入力フィールド３０４に関連付けられた対応する入力を完了させる選択肢を特定し、示唆するように構成できる（例えば、入力された文字を、利用可能な製品データベース１１４ｇ内に維持される医療製品の情報記録に含まれる各種製品名と比較するなどによって）。利用者は、次に、いずれか時点でも、示唆された入力を完了させる選択肢から一つを選択することができ、又は、引き続き手動で製品名の入力を完成させることができる。例示的実施形態では、利用者が検索入力フィールド３０４に入れる特定の製品を選択可能にするため、ホームページ１００は、利用者がアクセスできる適切なユーザインタフェースのコントロール又はハイパーリンク又はその他の参照を提供するように構成されてもよく、利用者に製品名のアルファベット順の一覧を提示し、利用者は、アルファベット順の一覧から、検索入力フィールド３０４に入れる特定の製品を選択できる。その際、ナビゲーション及び検索サービス１２４は、処方薬及び医療用品の製品名の個別のアルファベット順一覧表を提供し、利用者が所望の特定の製品名を見つけるために一覧表のうち適切なものを選択できるよう構成されてもよい。
【００６５】
利用者によって検索入力フィールド３０４に所望の製品名が入力されると、利用者は次に検索ボタンを選択して、ナビゲーション及び検索サービス１２４に、サーバシステム１１０に登録され、マーケットプレイスシステム１００を介した購入のために入力された医療製品を提案する薬局の検索を開始させることができる。検索を行う前に、利用者が入力した特定の製品に関して更なる情報が必要な場合（例えば、利用者のために書かれた処方箋に基づく処方薬の特定の投与レベルと量、医療製品の特定サイズの選択肢など）、ナビゲーション及び検索サービス１２４は、利用者が追加で要求される情報を指定できるような適切なユーザインタフェースのコントロールを実装するよう構成できる。例えば、ナビゲーション及び検索サービス１２４は、ユーザインタフェースをあるページに移動させ、選択可能な選択肢の一覧から適当な情報を利用者が選択することによって追加で要求される情報が指定できるよう構成できる。このようなページで提供される情報及び選択肢は、利用可能な製品データベース１１４ｉに維持される特定の医療製品の情報記録に基づいて作成されることが可能で、製品の説明、及び、製品の購入には医療専門家によって書かれた処方箋が必要であるかの指定など、利用者が閲覧することのできる製品関連情報の各種項目の提示を更に含むことがある。
【００６６】
利用者によってなんらかの追加で要求される情報が指定されると、ナビゲーション及び検索サービス１２４は、例えば、製品提案データベース１１４ｊにアクセスし、指定された検索条件と一致する医療製品で、製品提案データベース１１４ｊに含まれる情報記録を絞り込むため、薬局プロファイルデータベース及び／又はアプリケーションサーバ１１６がアクセスできるその他いずれかの適切な情報及びデータベースにも併せてアクセスすることで、このような検索ができ、検索入力フィールド３０４で指定された製品を提案している薬局の一覧を提示する製品検索結果一覧ページ内で、検索結果を利用者に提示できる。このような製品検索結果一覧ページは、製品提案データベース１１４ｊ内に維持された情報記録が指定された検索条件に一致する各提案されたサービスのエントリを提示できる。また、製品検索結果一覧ページは、ナビゲーション及び検索サービス１２４に、指定された条件に基づいて（例えば、サーバシステム１１０を介して提案された製品を購入する価格に基づいて）ページ内の提案された製品のエントリ一覧を整列させる、利用者がアクセス可能なユーザインタフェースのコントロールを提供してもよい。
【００６７】
例示的実施形態では、このような検索結果一覧ページ３１０は、例えば、検索条件で指定された特定製品の、利用可能な製品データベース１１４ｊで維持される情報記録に含まれる平均費用情報を示す図式など、利用者によって指定された検索条件に関連したその他いずれかの適切な情報を提示するよう実装できる（処方薬製品については、当該処方薬の既定の用量に対する平均費用情報を提供するか、又は、既定の用量に対する平均費用情報を参照してナビゲーション及び検索サービス１２４が行う計算に基づいて、利用者が指定した量に対する平均費用情報を提供することができる）。製品検索結果一覧ページに表示された提案された製品の各エントリは、システムを通して製品を提案している薬局のアカウント情報記録からの情報を提示する部分（例えば、薬局名、住所、及び連絡先情報）、マーケットプレイスシステム１００を通して提案された製品を購入するための費用情報（例えば、製品提案データベース１１４ｊ内で提案された製品の情報記録中で指定された製品の割引価格、又は、処方薬については、利用者が指定した量に対する指定された割引価格に基づいて計算された価格）、及び、提案された製品の情報記録内で指定される割引価格と製品がシステム外部で購入された場合の製品の通常価格との節約費用の差異）、及び、エントリに表示された提案された製品の購入を選択するための選択肢（例えば、「カートに追加」ボタンによって）を含むことがある。利用者が、製品検索結果一覧ページに記載された提案された製品を購入するための選択肢を選択すると、ナビゲーション及び検索サービス１２４は、その他いずれかの必要な情報に関連して（例えば、処方薬の場合、利用者が指定した量と、利用者が指定した量に対する製品提案データベース１１４ｊ内の提案された製品の情報記録で指定された製品の割引価格に基づいて計算される価格）、利用者が購入のために提案された製品を選択したとの指定を含むために（例えば、薬局からの特定の製品の提案を一意に識別する、製品提案データベース１１４ｊ内で維持される製品提案識別子を含むことで）現在維持されているアプリケーションサーバ１１６とのセッションについて、セッションデータオブジェクトを更新するよう構成されてもよい。上述したように、更に以下にも詳述するが、アプリケーションサーバ１１６とのセッションに関連して購入のために一以上のサービス及び／又は製品を選択すると、利用者は、登録された顧客利用者のために顧客プロファイルデータベース１１４ａ内で維持されるアカウント情報記録に関連して選択した項目の購入に進む、顧客購入ページ（例えば、「会計」ページ）に移動する選択肢が与えられる。
【００６８】
例示的実施形態では、製品検索結果一覧ページは、検索結果に含まれる提案された製品に関連したその他いずれかの適切な情報を提示するよう更に実装できる。例えば、製品検索結果一覧ページは、指定された製品に関する情報を提示する医療製品情報ページへの参照など、利用者が指定した検索条件に関連した情報を提供するその他の関連ページへの追加のハイパーリンク又はその他の参照を含むよう実装できる。
【００６９】
図３Ａに示されるホームページ３００の例に戻る。別の例では、サーバシステム１１０に維持された健康状態の情報を検索するため、利用者はドロップダウンメニュー３０２内の選択肢を選択し、続いて、利用者は検索入力フィールド３０４に特定の健康状態の名称を入力することができる。例示的実施形態では、ナビゲーション及び検索サービス１２４は、利用者が検索する身体状態の名称を入力すると、検索入力フィールド３０４に関連付けられた対応する入力を完成させる選択肢を特定し、示唆するように構成できる（例えば、入力された文字を、身体状態情報データベース１１４ｆに維持される身体状態の情報記録に含まれる各種身体状態名と比較するなどによって）。利用者は、次に、いずれか時点でも、示唆された入力を完成させる選択肢から一つを選択することができ、又は、引き続き手動で身体状態名の入力を完成させてもよい。例示的実施形態では、利用者が検索入力フィールド３０４に入れる特定の身体状態を選択可能にするため、ホームページ１００は、利用者がアクセスできる適切なユーザインタフェースのコントロール又はハイパーリンク又はその他の参照を提供するように構成されてもよく、利用者に身体状態名のアルファベット順の一覧を提示し、利用者は、アルファベット順の一覧から、検索入力フィールド３０４に入れる特定の身体状態を選択できる。
【００７０】
利用者によって、検索入力フィールド３０４に所望の身体状態が入力されると、利用者は、次に、検索ボタンを選択して、ナビゲーション及び検索サービス１２４のユーザインタフェースを指定された身体状態の身体状態情報ページに移動させる。その際、ナビゲーション及び検索サービス１２４は、検索入力フィールド３０４に入力されたテキストが、その情報記録が身体状態情報データベース１１４ｆで維持される身体状態に対応することを要求するように構成されてもよい。例えば、利用者が検索ボタンを選択すると、ナビゲーション及び検索サービス１２４は、検索入力フィールド３０４に入力されたテキストと類似していると判断された示唆される身体状態名の一覧を提供するよう構成できる。利用者は、検索入力フィールド３０４に入力したテキストが、その情報記録が身体状態情報データベース１１４ｆに維持される特定の身体状態とあまり密接に対応していないと判断した場合、示唆された身体状態名の一覧から選択できる。
【００７１】
利用者が、検索入力フィールド３０４で指定された適切な身体状態で検索ボタンを選択すると、ナビゲーション及び検索サービス１２４は、ユーザインタフェースに、指定された身体状態の情報ページを提示できる。特定の身体状態の身体状態情報ページは、身体状態情報データベース１１４ｆに維持される身体状態のそれぞれの情報記録に維持される情報に基づいた、例えば、名称、説明、原因、危険因子、症状、及び一般的な治療などの身体状態に関連する適切な一式の情報を提示するよう実装できる。例示的実施形態では、特定の身体状態の身体状態情報ページは、サーバシステム１１０に登録された提供者が提案できる対応する医療サービスの一覧を提供するよう実装でき、対応するサービス毎に、指定されたサービスに関する情報を提示する医療サービス情報ページに移動するための、ユーザインタフェース内で利用者がアクセス可能なハイパーリンク（又はその他の参照）が付随する。
【００７２】
図３Ｃを参照すると、特定の医療サービスについて、ナビゲーション及び検索サービス１２４に実装された医療サービス情報ページ３２０が提供するＧＵＩの例を示すスクリーンショットが提供される。図３Ｃの例では、医療サービス情報ページ３２０は、処置概要セクション３２２、費用比較図３２４、及び、提供者一覧セクション３２６を含む。処置概要セクション３２２で提示される情報は、利用可能サービスデータベース１１４ｇ内で特定のサービスのために維持される情報記録に含まれる処置詳細情報に基づいて作成できる。同様に、費用比較図３２４で提示される情報は、利用可能サービスデータベース１１４ｇで特定のサービスのために維持される情報記録に含まれる平均費用情報に基づいて作成できる（例えば、サーバシステム１１０に登録された提供者によって提案されるバンドル型のサービス一式を購入する際の平均価格と比較した、保険未加入の患者及び／又は高い定額控除保険プランに加入する患者に対するサービスの平均価格を表示するため）。
【００７３】
上述したように、バンドル型のサービス一式として提案された特定の医療サービスについて、利用可能サービスデータベース１１４ｇ内で維持される一次サービスのそれぞれの情報記録に含まれる費用情報は、一次サービス、一以上の二次サービス、及び、必要であれば、一次サービスの外部施設の使用のそれぞれの費用情報を含むことがある。その際、このようなバンドル型のサービス一式について費用比較図３２４で提示される情報は、サーバシステム１１０に登録された提供者によって提案されたバンドル型のサービス一式の購入の平均価格と比較した、保険未加入、及び／又は、定額控除額の高い保険プランに加入している患者に対する、一次サービス、一以上の二次サービス、及び、必要であれば、一次サービスに関する外部施設の使用のそれぞれの価格の合計額表示を提示するために生成できる。このように、一次サービスの費用だけでなく、バンドル型のサービス一式全体に関する費用情報が、バンドル型のサービス一式として提案されている特定の医療サービスについての医療サービス情報ページを閲覧する利用者に明示され得る。ナビゲーション及び検索サービス１２４によって実装されるバンドル型のサービス一式として提案されている特定の医療サービスに関する医療サービス情報ページは、バンドル型のサービス一式に関連した追加情報も提示することがある。
【００７４】
提供者一覧セクション３２６で提示された情報は、図３Ｂで示される検索結果一覧ページ３１０の例の結果一覧セクション３１１に含まれる情報に類似した方法で作成でき、ナビゲーション及び検索サービス１２４によって決められた位置から既定の検索範囲（例えば５０マイル）内で、特定のサービスを提案する提供者一覧を提示する。この目的で使用される特定の位置は、例えば、アプリケーションサーバ１１６が利用者のために現在維持しているセッションのセッションデータオブジェクト内に記憶された位置、又は、既定の位置入力を提供するために、クライアントシステム上で実装されるいずれかの適切な位置決め機能によって収集された位置情報を用いて決定されてもよい。本例では、提供者一覧セクション３２６は、各提案されたサービスのエントリを提示する。各提案されたサービスのそれぞれの情報記録は、医療サービス情報ページ３２０が作成される特定のサービスに一致し、決められた位置と一緒にサービス提案データベース１１４ｈ内に維持されている。提供者一覧セクション３２６に表示される提案されたサービスの各エントリは、サービス提案データベース１１４ｈ内の提案されたサービスの情報記録によって指定されたサービスを実施する医師の、医師プロファイルデータベース１１４ｂ内のアカウント情報記録からの情報（例えば、医師の氏名及びプロファイル写真）、及び、アプリケーションサーバ１１６を通じて提案されたサービスを購入した場合の費用情報（例えば、サービス提案データベース１１４ｈ内の提案されたサービスの情報記録で指定されたサービスの割引価格）を提示する。本例では、提供者一覧セクションは、「提出」ボタン３２８が付属した位置入力フィールド３２７を更に含み、利用者が特定の位置を指定し（例えば、市町村名、及び／又は、郵便番号）、ナビゲーション及び検索サービス１２４が提供者一覧セクション３２６に提示される情報を検索及び更新して、新しく指定された位置からの既定の検索範囲内で特定のサービスを提案する提供者一覧を提示する要請を提出することを可能にする。ナビゲーション及び検索サービス１２４は、このような要請に応答して、アプリケーションサーバ１１６が利用者のために現在維持しているセッションのセッションデータオブジェクト内で維持される位置を更新するよう構成できる。
【００７５】
例示的実施形態では、提供者一覧セクション３２６は、検索結果に含まれる提案されたサービスに関連したその他いずれかの適切な情報を提示するよう更に実装できる。加えて、提供者一覧セクション３２６に表示された提案されたサービスの各エントリは、エントリで指定された提案されたサービスを実施する医師に関連する情報を提示する医師プロファイルページに移動するための、利用者がユーザインタフェースを介してアクセス可能なハイパーリンク又はその他の参照を更に含むことがある。サーバシステム１１０に登録された特定の医師利用者について、ナビゲーション及び検索サービス１２４によって実装される医師プロファイルページ３３０に提供されるＧＵＩの一例を示したスクリーンショットが、図３Ｄに提供される。
【００７６】
図３Ｄの例では、医師プロファイルページ３３０は、医師情報セクション３３２と、提案された処置セクション３３６とを含む。医師情報セクション３３２に提示される情報は、医師プロファイルデータベース１１４ｂで特定の医師利用者のために維持されるアカウント情報記録に含まれる情報に基づいて作成でき、氏名、診療分野、病院の立地及び診療時間、プロファイル写真、連絡先情報、経歴情報（受賞、栄誉、論文、患者証言、システムにアクセスする顧客予備群が関心がありそうなその他の情報）、ウェブサイト及びソーシャルメディアへのＵＲＬ又は参照、及び、グループ診療及び病院との連携など、医師に関連した各種情報項目を含むことがある。
【００７７】
例示的実施形態では、図３Ｄに更に示されるように、医師情報セクション３３２は、「レビューを残す」ボタン３３３、「予約を申し込む」ボタン３３４、及び、医師プロファイルデータベース１１４ｂ内で特定の医師利用者のために維持されるアカウント情報記録に含まれる勤務先立地の地図上の位置を示す地図要素３３５（ナビゲーション及び検索サービス１２４は、第三者地図サービスに遠隔からアクセスすることで地図要素３３５を作成するよう構成されてもよい）などの追加のインタフェース要素を更に含むことがある。利用者が「レビューを残す」ボタン３３３を選択するのに応答して、ナビゲーション及び検索サービス１２４は、利用者が特定の医師のレビューをサーバシステム１１０に投稿又は提出することが可能な、適切なユーザインタフェースのコントロールを実装するよう構成できる。このようなレビューを受信するのに応答して、ナビゲーション及び検索サービス１２４は、例えば、医師プロファイルデータベース１１４ｂ内で特定の医師利用者のために維持されるアカウント情報記録内にレビューに係わる情報を含めるか、又は、例えば、医師のアカウント情報記録で指定された連絡先情報を利用して、電子メール経由などで電子メッセージをレビューに係わる医師利用者に送るよう構成され得る。
【００７８】
利用者が「予約を申し込む」ボタン３３４を選択するのに応答して、ナビゲーション及び検索サービス１２４は、利用者が特定の医師の利用者に対して予約を予定に組み込むよう要請を提出することができる、適切なユーザインタフェースのコントロールを実装するよう構成できる（例えば、医師のアカウント情報記録で指定された連絡先情報を利用して、医師利用者に対して、利用者の連絡先情報を含む通知を送信する）。ナビゲーション及び検索サービス１２４は、また、利用者が特定の医師利用者と予約の予定を合わせることを可能にする、適切なユーザインタフェースコントロールを実装するよう構成できる。ナビゲーション及び検索サービス１２４は、例えば、特定の医師利用者と関連付けられているサービスにアクセスすることで、この機能を提供することがあり、このサービスはアプリケーションサーバ１１６によって提案されても、第三者のサービス提供者によって提案されるサービスであってもよい。
【００７９】
本例では、図３Ｄに示されるように、医師プロファイルページ３３０の提案された処置セクション３３６で提示される情報は、マーケットプレイスシステム１００を通じた購入のために特定の医師によって提案された医療サービスの一覧を含むことがある。より詳細には、提案された処置セクション３３６は、その情報記録が、サービス提案データベース１１４ｈ内で維持される各提案されたサービスのエントリを提示する。サービス提案データベース１１４ｈは、特定の医師の医師プロファイルデータベース１１４ｂ内のアカウント情報記録の一意の医師アカウント識別子を、サービスを実施する医師として識別する。図３Ｄに示されるスクリーンショットの例では、提案された処置セクション３３６に表示される提案されたサービスの各エントリは、サービス提案データベース１１４ｈ内に維持される提案されたサービスの情報記録と、利用可能サービスデータベース１１４ｇで維持されるサービスの情報記録とに基づいて作成されることがあり、（図３Ｃに関連して上述した、名称の付されたサービスに関連した情報を提示する医療サービス情報ページに移動するため、ユーザインタフェース内の利用者がアクセスできるハイパーリンク又はその他の参照が付属することがある）サービス名、サービスの平均費用情報、及び、サービス提案データベース１１４ｈ内の提案されたサービスの情報記録で指定された提案されたサービスの購入に対する割引価格を含む。例示的実施形態では、提案された処置セクション３３６に表示される提案されたサービスの各エントリは、ナビゲーション及び検索サービス１２４に、エントリに記載された提案されたサービスに関する追加の情報を、提案されたサービスの購入を選択する選択肢（例えば、「カートに追加」ボタンで）と共にユーザインタフェース内に提示させるための、利用者がアクセス可能なユーザインタフェース要素を更に含むように実装できる。利用者が提案されたサービスを購入するためにこのような選択肢を選択すると、ナビゲーション及び検索サービス１２４は、利用者が購入のために提案されたサービスを選択したことの指定を含むために、アプリケーションサーバ１１６が利用者のために現在維持しているセッションのセッションデータオブジェクトを更新するよう構成できる。
【００８０】
図３Ａに示されるホームページ３００の例に戻る。別の例では、システムに登録された提供者を検索するため、利用者はドロップダウンメニュー３０２内の選択肢を選択し、続いて、利用者は、検索入力フィールド３０４に特定の提供者の氏名を入力する。例示的実施形態では、ナビゲーション及び検索サービス１２４は、利用者が検索する提供者名を入力すると、検索入力フィールド３０４に関連付けられた対応する入力を完成させる選択肢を特定し、示唆するように構成できる（例えば、入力された文字を、医師のプロファイルデータベース１１４ｂ、診療グループプロファイルデータベース１１４ｃ、及び、病院システムプロファイルデータベース１１４ｄに維持される各種提供者の情報記録に含まれる各種提供者名と比較するなどによって）。利用者は、いずれの時点でも、示唆された入力を完成させる選択肢から一つを選択することができ、又は、引き続き手動でサービス名の入力を完成させることができる。
【００８１】
利用者によって、検索入力フィールド３０４に所望の提供者名が入力されると、利用者は、次に、検索ボタンを選択して、ナビゲーション及び検索サービス１２４のユーザインタフェースを指定された提供者の提供者プロファイルページに移動させる。その際、ナビゲーション及び検索サービス１２４は、検索入力フィールド３０４に入力されたテキストが、該当するアカウント情報記録が医師プロファイルデータベース１１４ｂ、診療グループ診療グループプロファイルデータベース１１４ｃ、及び、病院システムプロファイルデータベース１１４ｄにある提供者に対応することを要求するよう構成されてもよい。例えば、利用者が検索ボタンを選択すると、ナビゲーション及び検索サービス１２４は、検索入力フィールド３０４に入力されたテキストと類似していると判断された示唆される提供者名の一覧を提供するよう構成できる。利用者は、検索入力フィールド３０４に入力したテキストが、そのアカウント情報記録がデータベースサーバ１１２に維持される特定の提供者とあまり密接に対応していないと判断した際に、示唆された提供者名の一覧から選択できる。
【００８２】
利用者が、検索入力フィールド３０４で指定された適切な提供者名で検索ボタンを選択すると、ナビゲーション及び検索サービス１２４は、ユーザインタフェースに、指定された提供者名の提供者プロファイルページを提示できる。例えば、提供者のプロファイル名が、サーバシステム１１０に登録された医師利用者に該当する場合、ナビゲーション及び検索サービス１２４は、ユーザインタフェースに、該当する医師の医師プロファイルページを提示できる（図３Ｄを参照して上述したように）。或いは、提供者のプロファイル名がサーバシステム１１０に登録された診療グループに該当する場合、ナビゲーション及び検索サービス１２４は対応する診療グループの診療グループプロファイルページをユーザインタフェースに提示することができる。診療グループプロファイルページは、診療グループプロファイルデータベース１１４ｃの特定の診療グループのために維持されるそれぞれのアカウント情報記録に基づいて作成された情報を含むことがあり、診療グループ名、立地及び診療時間、連絡先情報、診療グループのウェブサイト及びソーシャルメディアプロファイルへのＵＲＬ又は参照、及び、提携医師の一覧など、診療グループに関連する各種情報項目を含むことがある。該当する診療グループの診療グループプロファイルページは、マーケットプレイスシステム１００を通じた購入のため、特定の診療グループにより提案された医療サービスの一覧を更に含むことがある。一覧では、その情報記録がサービス提案データベース１１４ｈ内で維持される各提案されたサービスに対して一つのエントリが提示される。サービス提案データベース１１４ｈは、特定の診療グループの診療グループプロファイルデータベース１１４ｃ内のアカウント情報記録を、システムを通じてサービスを提案する提供者として、一意のアカウント識別子で特定する。同様に、提供者プロファイル名がサーバシステム１１０に登録された病院システムに該当する場合、ナビゲーション及び検索サービス１２４は、ユーザインタフェース内に当該病院システムの病院システムプロファイルページを提示することができる。病院システムプロファイルページには、病院システムプロファイルデータベース１１４ｄ内の特定の病院システムのために維持されるアカウント情報記録に基づいて作成された情報が含まれることがあり、病院システム名、診療グループ及び医師の提携先一覧、病院システムと提携する医師によって実施される特定の処置に用いられる施設、及び、病院システムのウェブサイト及びソーシャルメディアプロファイルへのＵＲＬ又は参照など、病院システムに関連した各種情報項目を含むことがある。該当する病院システムの病院システムプロファイルページは、マーケットプレイスシステム１００を通じた購入のため、特定の病院システムにより提案された医療サービスの一覧を更に含むことがある。一覧では、その情報記録がサービス提案データベース１１４ｈ内で維持される各提案されたサービスに対して一つのエントリが提示される。サービス提案データベース１１４ｈは、特定の病院システムの病院システムプロファイルデータベース１１４ｄ内のアカウント情報記録を、システムを通じてサービスを提案する提供者として、一意のアカウント識別子で特定する。
【００８３】
或いは、システムに登録された提供者を検索するために、利用者がドロップダウンメニュー３０２内の選択肢を選択する場合、利用者は、特定の提供者を名前で検索するのではなく、検索入力フィールド３０４を空欄にし、代わりに、市町村名及び／又は郵便番号を入力することで地域の提供者を検索することを選ぶか、又は、検索範囲を絞るため、位置入力フィールド３０６内の既定の位置入力を利用することを選ぶことができる。適切な検索情報が入力されると、利用者は次に検索ボタンを選択し、ナビゲーション及び検索サービス１２４に、サーバシステム１１０に登録された地域の提供者の検索を行わせることができる。ナビゲーション及び検索サービス１２４は、医師プロファイルデータベース１１４ｂ、診療グループプロファイルデータベース１１４ｃ、及び、病院システムプロファイルデータベース１１４ｄにアクセスすることで、このような位置ベースの検索ができ、データベースサーバ１１２で維持される提供者のアカウント情報記録を地域の提供者で絞込み、そして、検索結果を提供者検索結果一覧ページで利用者に提示する。このような提供者検索結果一覧ページは、ナビゲーション及び検索サービス１２４による検索で返された位置入力フィールド３０６内で指定される場所から既定検索範囲（例えば、５０マイル）内の登録された提供者の一覧を提示できる。一覧は、データベースサーバ１１２に維持されるアカウント情報記録で提供者の位置が既定検索範囲内を示す、各登録された提供者に対して一つのエントリを含む。例示的実施形態では、このような提供者検索結果一覧ページは、（検索結果一覧ページ３１０について図３Ｂを参照して上述したのと同じ方法で）検索範囲を変更するか、追加検索条件を入力することで提示される検索結果を絞り込むための、各種ユーザインタフェースのコントロールも提供できる。提供者検索結果一覧ページに返された登録された提供者の一覧内に提供された各エントリは、ユーザインタフェース内にハイパーリンク又はその他の参照を更に含むことがあり、利用者がアクセスすることで、ナビゲーション及び検索サービス１２４に該当する提供者の提供者プロファイルページを提示させる。
【００８４】
同様に、図３Ａを再度参照すると、特定の分野に関して検索するために利用者がドロップダウンメニュー３０２内の選択肢を選択すると、利用者は、続いて、検索入力フィールド３０４に特定の診療分野の名称を入力することができる。例示的実施形態では、ナビゲーション及び検索サービス１２４は、検索入力フィールド３０４内にドロップダウンを提供するよう構成でき、利用者は、サーバシステム１１０によって認識された複数の分野から一つを選択できる。利用者によって検索入力フィールド３０４に所望の分野が入力されると、利用者は、市町村名及び／又は郵便番号を入力することで、指定された診療分野を有する地域の提供者を検索できる、又は、位置入力フィールド３０６内の既定の位置入力を利用して検索範囲を絞ることを選べる。適切な検索条件が入力されると、利用者は、次に、検索ボタンを選択し、ナビゲーション及び検索サービス１２４に、サーバシステム１１０に登録された地域の提供者の検索を行わせることができる。ナビゲーション及び検索サービス１２４は、医師プロファイルデータベース１１４ｂ及び診療グループプロファイルデータベース１１４ｃにアクセスすることでこのような位置ベースの検索ができ、データベースサーバ１１２によって維持される提供者のアカウント情報記録を指定された診療分野を有する地域の提供者で絞込み、検索結果を提供者検索結果一覧ページで利用者に提示する。検索結果は、システムに登録された提供者を検索するために利用者がドロップダウンメニュー３０２で選択肢を選択する状況について上述した、提供者検索結果一覧ページと類似した方法で提示されてもよい。
【００８５】
上述したように、例示的実施形態では、クライアントシステムを操作する利用者が、提案された医療サービス又は提案された医療製品の購入のために、クライアントシステム上で動作する該当するクライアントアプリケーション内で、アプリケーションサーバ１１６が実装するユーザインタフェースに提示された選択肢を選択すると、ナビゲーション及び検索サービス１２４は、利用者が購入のために提案されたサービス又は製品を選択したことの指定を含むために、アプリケーションサーバ１１６が利用者のために現在維持しているセッションのセッションデータオブジェクトを更新するよう構成できる。以下に詳述するように、例示的実施形態では、アプリケーションサーバ１１６とのセッションに関連して購入のために一以上のサービス及び／又は製品を選択すると、利用者は、登録された顧客利用者のために顧客プロファイルデータベース１１４ａ内で維持されるアカウント情報記録について選択した項目の購入に進む、顧客購入ページ（例えば、「会計」ページ）に移動する選択肢が与えられる。
【００８６】
このような実施形態では、マーケットプレイスシステム１００を介した医療サービス及び医療製品を先払い購入するためには、顧客利用者は、まず、サーバシステム１１０に登録し、顧客プロファイルデータベース１１４ａ内にアカウント情報記録を構築しなければならない。例示的実施形態では、利用者が、クライアントシステム上で実行する該当するクライアントアプリケーションを介してアプリケーションサーバ１１６にアクセスするクライアントシステムを操作する際、アプリケーションサーバ１１６によって実装されるユーザインタフェース内に、サーバシステム１１０への登録を開始するために利用者がアクセスできるユーザインタフェース要素が提供されてもよい。このようなユーザインタフェース要素は、例えば、ナビゲーション及び検索サービス１２４によって実装されるいずれかのページのユーザインタフェースに含まれる「アカウントを作成する」ボタンとして提供され、クライアントアプリケーションで提示されてもよい。ナビゲーション及び検索サービス１２４は、利用者がこのユーザインタフェース要素にアクセスするのに応答して、利用者がサーバシステム１１０に登録したいユーザアカウントの種類を指定できるようにするユーザインタフェースのコントロールを更に提供するよう構成されてもよい。
【００８７】
利用者が顧客利用者として登録する意図を示すと、利用者は、顧客アカウントでサーバシステム１１０に登録するため、アカウント管理サービス１２２の登録セッションを開始できる。アカウント管理サービス１２２は、例えば、利用者がアクセスできるユーザインタフェースコントロールを有する一連のページを含むユーザインタフェースを実装し、利用者のアカウント登録プロセスをガイドし、顧客プロファイルデータベース１１４ａ内に利用者のために構築されたアカウント情報記録に、データベースサーバ１１２によって維持されるようになる各種情報、例えば、氏名、住所又は位置情報、連絡先情報（電子メールアドレス及び／又は電話番号など）、購入に対する課金情報（銀行口座情報、クレジットカード情報、又は、利用者が行った購入に対して使用するその他いずれかの資金源を指定する情報）、及び、その他いずれかの適切な識別又は説明的情報を、利用者が入力するよう促すように構成されてもよい。アカウント管理サービス１２２は、データベースサーバ１１２にアクセスして、登録プロセス中に利用者によって入力された情報に基づいて、顧客プロファイルデータベース１１４ａ内にそれぞれの利用者のアカウント情報記録を作成するように構成され得る。アカウント管理サービス１２２は、作成されたアカウント情報記録に対して一意の顧客アカウント識別子を生成するよう更に構成でき、顧客アカウント情報識別子は、例えば、データベースサーバ１１２内に作成されたアカウント情報記録に索引をつけ、参照する際に使用されてもよい。作成されたアカウント情報記録は、一意のユーザ名で識別され、パスワードで保護されるようにでき、利用者が、アプリケーションサーバ１１６にアクセスする際に、関連する顧客アカウントにログインするために利用できる。
【００８８】
例示的実施形態では、アカウント管理サービス１２２が実装するユーザインタフェースは、マーケットプレイスシステム１００内で提案される医療サービス及び医療製品の先払い購入をする能力へのアクセスを得るために、所定料金の支払い承認を要請するユーザインタフェースコントロールを提供するよう更に構成されてもよい。このような料金は、例えば、一括払い、又は、定期払い（月ごと、年２回、又は、年払いなど）でもよい。このような支払い承認の要請と併せて、アカウント管理サービス１２２によって提供されるユーザインタフェースのコントロールは、利用者に対して、所定のアクセス料金の支払いに利用者が使用する資金源を指定する支払い情報の入力を促すように実装されてもよい。利用者による支払い情報の入力は、顧客プロファイルデータベース１１４ａ内で利用者のために開設されたアカウント情報記録に含まれる課金情報を使用するという指示、又は、例えば、銀行口座情報、クレジット又はデビットカード情報、又は、その他の電子支払い情報など（ＰａｙＰａｌ又はインターネットを介した支払い及び送金を媒介するその他いずれかの事業者に有する利用者のアカウントを利用するための情報など）、利用者のために維持されるアカウント、又は、利用者がこの目的で利用することが許可されている別の人物又は事業者のアカウントなどの代替支払い情報の提出であってもよい。アカウント管理サービス１２２は、承認と適切な支払い情報が利用者によって提供されると、該当する第三者の決算サービスシステムにアクセスし、支払い情報を使用して、決算サービスシステムに、利用者のアカウントサービサーから、マーケットプレイスシステム１００の提供者によって維持される会計アカウントに、利用者が承認した支払い額を送金させるよう構成できる。その際、顧客プロファイルデータベース１１４ａ内に、利用者のために開設されたアカウント情報記録は、利用者のアカウント状態を更に含むことがある。利用者のアカウント状態は、アカウント管理サービス１２２によって管理され、利用者がマーケットプレイスシステム１００内で提案された医療サービス及び製品の先払いの購入能力を現在備えるかを示す。
【００８９】
利用者が、顧客プロファイルデータベース１１４ａ内にアカウント情報記録を構築するため、サーバシステム１１０に顧客アカウントを登録し、利用者の顧客アカウントにログインすると（例えば、顧客ポータル１２０が実装するユーザインタフェース内のログインユーザインタフェース要素又はログイン画面にアクセスして、アカウントに関連付けられたユーザ名及びパスワードを提供することで）、利用者は、続いて、利用者のためにアプリケーションサーバ１１６が維持するセッションのセッションデータオブジェクトが、利用者が購入のために選択したことの指定を含むいずれかの提案されたサービス又は製品の購入に進む。例えば、利用者は、ナビゲーション及び検索サービス１２４によって実装されるユーザインタフェース内の選択肢を選択し、顧客購入ページに移動して、購入サービス１２６で購入セッションを開始し、利用者のために登録された顧客アカウントに関連したセッションデータオブジェクト内で利用者が選択した一以上の提案された項目を購入する。
【００９０】
購入サービス１２６は、例えば、利用者の購入プロセスをガイドし、利用者が各種情報を入力及び選択するのを促すために、利用者がアクセス可能なユーザインタフェースコントロールを有する一以上のページを含むユーザインタフェースを実装するよう構成されてもよい。例えば、ユーザインタフェース内に提供される支払いページに、購入情報セクションが含まれてもよく、購入情報セクションは、セッションデータオブジェクトに利用者が選択したことが示された各提案された項目のエントリを含む。エントリが購入情報セクションに含まれる提案された製品ごとに、エントリは、例えば、薬局プロファイルデータベース１１４ｅ、利用可能な製品データベース１１４ｉ、製品提案データベース１１４ｊから取り出された情報、薬局名、製品名とその投与レベル、薬の形状、処方薬の量又は医療用品の大きさの選択肢、及び、製品の購入に処方箋が必要かの指定などのセッションデータオブジェクトを含むことがある。購入情報セクションに含まれる提案された製品のエントリは、購入情報セクションから提案された製品を削除したり（それに伴って、購入サービス１２６に、提案された製品がセッションデータオブジェクト内で選択されているとの指定を削除させる）、及び／又は、利用者が購入する製品の量を調節したりするために、利用者がアクセス可能なユーザインタフェースのコントロールと、利用者に指定された製品量、及び、製品提案データベース１１４ｊ内の提案された製品の情報記録で指定された製品の割引価格に基づいて計算された提案された製品の購入価格、又は、処方薬の場合、利用者が指定した量に対して指定された割引価格に基づいて計算された価格とを更に含むことがある。）
【００９１】
エントリが購入情報セクションに含まれる提案されたサービスについて、エントリは、例えば、医師プロファイルデータベース１１４ｂ、利用可能サービスデータベース１１４ｇ、サービス提案データベース１１４ｈから取り出された情報、及び、サービスを実施する医師の氏名、サービス名、及び、サービスがバンドル型のサービス一式の一次サービスとして提案されているかの指定などのセッションデータオブジェクトを含むことがある。購入情報セクションに含まれる提案されたサービスのエントリは、購入情報セクションから提案されたサービスを削除したり（それに伴って、購入サービス１２６に、提案されたサービスがセッションデータオブジェクト内で選択されているとの指定を削除させる）、及び／又は、利用者が購入するサービスの量を調節したりするために、利用者がアクセス可能なユーザインタフェースのコントロールと、利用者に指定されたサービス量、及び、サービス提案データベース１１４ｈ内の提案されたサービスの情報記録で指定された、利用者に指定された量に対するサービスの割引価格に基づいて計算された提案されたサービスの購入価格とを更に含むことがある。
【００９２】
加えて、バンドル型のサービス一式の一次サービスとして提案される、購入情報セクションに含まれる提案されたサービスのエントリについて、エントリは、バンドル型のサービス一式の追加情報を提示し、提案されたサービスに関して追加の選択ができる利用者がアクセス可能なユーザインタフェースコントロールを更に含むことがある。追加の情報は、例えば、各二次サービスを実施する医師の氏名、各二次サービスのサービス名、各二次サービスが必須か任意かの指定、及び、一次サービスが外部施設で実施される必要があるかの指定などの、医師プロファイルデータベース１１４ｂ、利用可能サービスデータベース１１４ｇ、及び、サービス提案データベース１１４ｈから取り出された情報を含むことがある。二次サービスが任意であるとの指定が提示された各二次サービスに関連して、追加情報は、サービス提案データベース１１４ｈ内の提案されたサービスの情報記録で指定される二次サービスの割引価格を更に含むことがあり、利用者が提案されたサービスに関連付けられた任意の二次サービスを購入するかを選択可能にする関連付けられたユーザインタフェースのコントロールが提供されることがある。一次サービスが外部施設で実施されることを要するという指定に関連して、追加情報は、サービス提案データベース１１４ｈ内の提案されたサービスの情報記録で指定された施設の名称と立地情報とを更に含むことがあり、提案されたサービスの情報記録に２以上の施設の情報が指定される場合、一次サービスが実施される施設の一つを利用者が選択できるように、各指定された施設の施設利用料がユーザインタフェースのコントロールと関連付けられて提示されることがある。購入サービス１２６は、購入情報セクションに含まれた、バンドル型のサービス一式の一次サービスとして提案されている提案されたサービスのエントリに関して、利用者がいずれの任意の二次サービス及び施設を選択するかに基づいて、提案されたサービスのエントリで提示された提案されたサービスの購入価格を再計算し、更新するよう構成できる。例示的実施形態では、バンドル型のサービス一式の一次サービスとして提案されているサービスに関するいずれかの任意の二次サービス及び複数の施設選択肢の既定の初期設定、及び、提案されたサービスのエントリに提示された提案されたサービスの購入のための既定の初期価格は、各任意の二次サービス購入の選択及び最も低い施設利用料の施設の選択に基づいてもよい。
【００９３】
支払いページに実装されたユーザインタフェース内の購入情報セクションは、購入情報セクション内の各エントリに含まれる該当する提案された項目を購入するための価格の合計と同額の、購入の合計額を更に含むことがある。例示的実施形態では、購入サービス１２６は、いずれかの適切な国税又は利用者が提出したいずれかの割引コードに基づいて合計額を調整するように構成され得る。その際、購入サービス１２６は、利用者がいずれかのアプリケーション割引コードをアプリケーションサーバ１１６に提出するのを可能にするユーザインタフェース要素を提供するように更に実装されることがある。
【００９４】
利用者が購入情報セクションに提供された情報を確認し、支払いページ内に実装されたユーザインタフェースコントロールを介していずれかの所望の修正及び選択を行うと、利用者は、続いて、支払いページの支払いセクション内に実装された更なるユーザインタフェースコントロールにアクセスし、選択されたサービス提案の購入のために使用される資金源を指定する顧客購入情報を提出して、サーバシステム１１０に購入情報セクションに記載された購入の合計金額の資金を資金源に要請する承認を与えることで、購入サービス１２６の一回のトランザクションにおいて、そのエントリが購入情報セクションに含まれる一以上の提案された項目を先払いで購入する。この目的のため、支払いセクション内に実装されたユーザインタフェースのコントロールは、購入に使用する資金源を指定する購入情報を入力するために利用者がアクセス可能な適切なユーザインタフェース要素と、それに付随して、指定された資金源に対して要請の承認を提供する利用者がアクセス可能なボタンを含むことがある（例えば、「提出」又は「購入」ボタン）。利用者による支払い情報の入力は、顧客プロファイルデータベース１１４ａ内の利用者の顧客アカウントのアカウント情報記録に含まれる課金情報を使用するという指示、又は、例えば、銀行口座情報、クレジット又はデビットカード情報、又は、その他の電子支払い情報など（ＰａｙＰａｌ、又は、インターネットを介した支払い及び送金を媒介するその他いずれかの事業者に有する利用者のアカウントを利用するための情報など）の代替購入情報の提出であってもよい。購入情報は、例えば、利用者のために維持されるアカウント、利用者がこの目的のために利用する権限のある、他の人物又は事業者のために維持されるアカウント、又は、マーケットプレイスシステム１００内の利用者によってなされる医療サービス及び製品の購入に対して請求書を作成し、償還を提供するよう手配された事業者を指定することがある。
【００９５】
以下に詳述するように、利用者が承認と適切な顧客購入情報を提供するのに際し、購入に含まれる各提案された項目について、購入サービス１２６によって利用者の購入が処理される方法と、利用者によって実施される必要のあるその他の操作は、提案された項目がサービスか、製品か、提案された製品の購入には処方箋が必要か、及び、提案されたサービスはバンドル型のサービス一式の一次サービスとして提案されるか、によって変化することがある。また、以下に記載されるように、購入サービス１２６によって購入が処理される方法は、利用者によって提供される顧客購入情報の特定の種類にも依存することがある。
【００９６】
より詳細には、提案された製品の購入に処方箋が必要とされない場合に、支払いを処理するため、購入サービス１２６は、利用者が提供した顧客購入情報を利用して、利用者によって承認された提案された製品に割り当てられた支払い額相当分を、購入情報で指定された資金源に要請するよう構成されてもよい。例えば、マーケットプレイスシステム１００内で利用者が行った医療サービス及び医療製品の購入について、請求書を受け取り償還することに同意した事業者を購入情報が使用する資金源として指定する状況において、購入サービス１２６は、資金源に提出するため作成される請求書の形式で要請を行ってもよい。この例では、購入サービス１２６は、作成された請求書を、償還のために、指定された資金源に電子的に送信するよう更に構成されてもよく（例えば、電子メールを介して、指定された資金源によってこの目的のために維持される電子メールアカウントへ、又は、この種類の請求書を受信するため、資金源によって直接又は間接的に維持される第三者の決算サービスシステムへ）、又は、償還のために、資金源にアクセスして手作業で請求書を提出できるように、作成された請求書をサーバシステム１１０の管理者が利用できるようにしてもよい。このような請求書がどのように資金源に提出されるかに関する情報は、利用者によって提供される購入情報と併せて指定されてもよく、又は、この目的のために、マーケットプレイスシステム１００の提供者と資金源との間で予め取り交わされた契約に基づいて、サーバシステム１１０内で維持されてもよい。購入サービス１２６は、製品を提案する薬局の、薬局プロファイルデータベース１１４ｅ内のアカウント情報記録に含まれる報酬情報で指定される会計アカウントに対して、製品提案データベース１１４ｊ内の提案された製品の情報記録に示される薬局に送信されるよう指定された支払い額の信用貸し、又は、資金の支払いを指示するように更に構成され得る。資金源から受領中の請求額の償還を受けるに際して、マーケットプレイスシステム１００の提供者によって維持される会計アカウントは、システムを介して購入される製品を提案するために交渉された、又は、契約された委託手数料（例えば、支払額の固定割合、及び／又は、定率手数料など）が信用貸しされる。
【００９７】
別の例では、顧客購入情報が、利用者のために維持されるアカウント、又は、この目的のために利用者が使用する権限のある、別の人物又は事業者のために維持されるアカウントを指定する状況において、購入サービス１２６は、指定された資金源によって直接又は間接的に提供される第三者決済サービスシステムにアクセスし、顧客購入情報を利用して、決済サービスシステムに対して、利用者によって承認された提案された製品に割り当てられた支払い額相当分を対応する会計アカウントから送金するよう要請し、製品を提案する薬局の薬局プロファイルデータベース１１４ｅ内のアカウント情報記録に含まれる報酬情報によって指定された会計アカウントに対して、製品提案データベース１１４ｊ内の提案された製品の情報記録に示される薬局に送金されるよう指定された該当する支払い額の信用貸し、又は、資金の支払いを指示し、及び、システムを介して購入される製品を提案するために交渉された、又は、契約された委託手数料（例えば、支払額の固定割合、及び／又は、定率手数料）を、マーケットプレイスシステム１００の提供者によって維持される会計アカウントに信用貸しするよう構成されてもよい。
【００９８】
購入サーバ１２６は、提案された製品の購入に対する支払い処理に際して、ユーザインタフェースを購入確定ページに移動させ、例えば、顧客と薬局のそれぞれのアカウント情報記録に指定された連絡先情報を利用して、電子メールによって、電子確定メッセージを顧客利用者に送信し、電子通知を薬局管理者に送信するよう構成されてもよい。また、購入サーバ１２６は、トランザクション情報データベース１１４ｋ内に、完了した購入について、該当する情報と併せて情報記録を作成してもよい。
【００９９】
なお、以下に記載される追加の例は、購入サービス１２６が、異なる種類の医療製品及びサービスに対して支払いを処理し得る各種方法を説明し、顧客購入情報が利用者のために維持されるアカウント、又は、この目的で利用者が使用する権限がある別の人物又は事業者のために維持されるアカウントを指定する状況に関して説明されるが、これらの例で実施される支払い処理は、これらの状況に制約されるとみなされるべきではなく、例えば、顧客購入情報が、利用者のマーケットプレイスシステム１００内での医療サービス及び医療製品の購入のために請求書を受け取り償還を提供する契約のある事業者を指定する状況でも、購入に処方箋を必要としない提案された製品の支払い処理に関して上述した方法と同様の方法で、支払い処理が実施されることがある。
【０１００】
提案された製品の購入に処方箋が必要とされる場合の支払いについて、支払いの承認をするために支払いページのユーザインタフェースに利用者がアクセスすると、購入サービス１２６は、提案された処方箋製品の支払いを処理するのに先立って、ユーザインタフェースを処方箋提出ページに移動させるよう構成されてもよい。利用者が提案された製品の購入に必要な処方箋情報を提出することを可能にするユーザインタフェースのコントロールを提供するため、購入サービス１２６によって処方箋提出ページが実装され得る。例えば、処方箋提出ページは、利用者が要求された処方箋情報を提出するための複数の選択肢から選択できるよう、アクセス可能なドロップダウンメニューを提供するよう実装されてもよい。複数の選択肢には、例えば、サーバシステム１１０と関連してこのような目的で維持されるアカウントの電子メールアドレスに電子メールで処方箋文書の画像を送信、サーバシステム１１０と関連してこのような目的で利用されるファックス番号に、ファックスで処方箋文書の写しを送信、処方箋文書の写しをアプリケーションサーバ１１６にアップロード、及び、ユーザインタフェース内で特定製品に対して処方箋文書を作成するための所定の入力可能なフォームの情報フィールドへ記載、などがある。利用者が、処方箋文書の画像を電子メールで送信する選択肢か、処方箋文書の写しをファックスで送信する選択肢を選択した場合、処方箋提出ページは、選択した選択肢に基づいて利用者が処方箋文書を提出するために従う指示を提示するよう実装できる。利用者が処方箋文書の写しをアップロードする選択肢を選択した場合、処方箋提出ページは、利用者がこの操作を実施できるように適切なインタフェースのコントロールを提供するよう実装できる。
【０１０１】
利用者が、処方箋文書を作成するための所定の入力可能なフォームに入力する選択肢を選択した場合、購入システム１２６は、利用可能な製品データベース１１４ｉ内で対象製品のために維持されるそのような所定の入力可能なフォームを提示するために、情報にアクセスし、ユーザインタフェース内でフォームを提示するよう構成されてもよい。このようなフォームには、利用者に関わる各種情報項目（氏名、住所、及びその他関連情報）、処方製品（名称、投薬量、薬の形状、量、製品の推奨投与頻度やその他の指示、及び、継続した処方のための補充情報）、及び、製品を処方した医療専門家（氏名、診療グループ、電話番号又はその他の希望連絡先情報、及び、製品の処方日）が入力できる幾つかのフィールドが、利用者の入力のために含まれることがある。例示的実施形態では、購入システム１２６は、自動的に特定のフィールドに入力するように構成されてもよく（例えば、利用者に関する情報を受け付けるフィールドは、顧客プロファイルデータベース１１４ａ内で利用者のために維持されるアカウント情報記録に含まれる情報に基づいて、自動的に入力されてもよい。）、その他のフィールドの情報はユーザインタフェースを介して利用者が手動で入力できる。入力可能なフォームの適当なフィールドが適切に入力されると、利用者はユーザインタフェース要素を選択してフォームを購入サービス１２６に提出してもよく、購入サービス１２６は、次に、提出された情報に基づいて処方箋文書を作成するよう構成できる。
【０１０２】
処方箋文書を利用者から受け取ると、又は、利用者が提供した情報に基づいて処方箋文書が作成されると、処方箋文書は、製品提案データベース１１４ｊ内で提案された製品に対して指定された薬局に開示され得る（薬局プロファイルデータベース１１４ｅ内で維持される薬局のためのアカウント情報記録で指定される連絡先情報に基づいて、マーケットプレイスシステム１００の管理者によって、ＦＡＸ又は郵送など手作業で開示されても、又は、薬局へ電子メールメッセージを送信するなど、電子送信によってサーバシステム１１０に自動的に開示されてもよい）。処方箋文書を受け取ると、薬局は、例えば、製品を処方したことが記載された医療専門家に連絡するなどして、処方箋文書を検証できる。
【０１０３】
処方箋文書の検証を待っている間、購入サービス１２６は、利用者が提供した購入情報を利用して、利用者によって承認された、提案された製品に割り当てられた支払い額相当分を、購入情報で指定された資金源に要請するよう構成されてもよい。例えば、購入サービス１２６は、指定された資金源によって直接又は間接的に提供された該当する第三者決算サービスシステムにアクセスし、購入情報を利用して、利用者によって承認された、提案された製品に割り当てられた支払い額相当分の資金を一時保留するよう、該当する会計アカウントのアカウントサービサーに要請してもよい。処方箋文書の検証済みの通知を薬局から受け取ると、購入サービスは、該当する第三者決算サービスシステムにアクセスし、利用者によって指定された購入情報を利用して、該当する会計アカウントのアカウントサービサーに資金の一時保留を解除させ、決算サービスシステムに、利用者によって承認された提案された製品に割り当てられた支払い額相当分を、対応する会計アカウントから移転させ、薬局の薬局プロファイルデータベース１１４ｅ内のアカウント情報記録に含まれる報酬情報によって指定された会計アカウントに対して、製品提案データベース１１４ｊ内の提案された製品の情報記録に示される薬局に送金されるよう指定された該当する支払い額の入金、又は、他の方法での資金の支払いを指示し、及び、システムを介して購入される製品を提案するために交渉、又は、契約された委託手数料を、マーケットプレイスシステム１００の提供者によって維持される会計アカウントに入金するよう構成されてもよい。購入サーバ１２６は、提案された製品の購入に対する支払い処理に際して、ユーザインタフェースを購入確定ページに移動させ、例えば、顧客と薬局のそれぞれのアカウント情報記録に指定された連絡先情報を利用して、電子メールによって、電子確定メッセージを顧客利用者に送信し、電子通知を薬局管理者に送信するよう構成されてもよい。また、購入サーバ１２６は、トランザクション情報データベース１１４ｋ内に、完了した購入について、該当する情報と併せて情報記録を作成してもよい。
【０１０４】
提案されたサービスがバンドル型のサービス一式と併せて提案されていない場合の支払いを処理するため、購入サービス１２６は、利用者が提供した購入情報を利用して、利用者によって承認された、提案されたサービスに割り当てられた支払い額相当分を、購入情報で指定された資金源に要請するよう構成されてもよい。例えば、購入サービス１２６は、指定された資金源によって直接又は間接的に提供された該当する第三者決算サービスシステムにアクセスし、購入情報を利用することで、利用者が承認した、提案された製品に割り当てられた、支払い額相当分を、該当する会計アカウントのアカウントサービサーからマーケットプレイスシステム１００の提供者によって維持される会計アカウントに送金するよう決算サービスシステムに要請してもよい。ここで、この会計アカウントには、交渉、又は、契約された購入処理委託手数料が入金され、また、（サービス提案データベース１１４ｈに指定された）サービス対価の支払い先である提供者に移転されるべき支払い額が一時保留される。これは、サービス提案データベース１１４ｈ内でサービスを実施すると指定された医師によって購入サービスが実施されたという指定が届くまで続く（以下に詳述する）。
【０１０５】
購入サーバ１２６は、提案された製品の購入に対する支払い処理に際して、ユーザインタフェースを購入確定ページに移動させ、例えば、提案されたサービスの顧客、医師、及び提供者のそれぞれのアカウント情報記録に指定された連絡先情報を利用して、電子メールによって、電子確定メッセージを顧客利用者に送信し、電子通知をサービスを実施する医師利用者、及び、（サービス提案データベース１１４ｈ内で提案されたサービスの情報記録に基づいて指定される）提案されたサービスの提供者利用者に送信してもよい。購入サーバ１２６は、また、トランザクション情報データベース１１４ｋ内に、完了した購入について、該当する情報と併せて情報記録を作成するよう構成できる。初期状態では、購入が未清算であることが示されている。
【０１０６】
購入サーバ１２６は、提案されたサービスの購入に対する支払い処理に際して、顧客利用者に対して、購入されたサービスの証書をユーザインタフェース内で作成するよう構成でき、証書は、顧客利用者が購入を清算し、提案されたサービスについて指定された医師からサービスを受けるために使用できる（マーケットプレイスシステム１００の提供者は、システムに登録された提供者と、購入されたサービスに対して、購入サーバ１２６によって作成されたこのような証書の内容を履行することに同意するという契約を予め結ぶことができる）。このような証書の例を図４Ａに示す。図４Ａの例に示されるように、証書４００の例は、顧客利用者４０２の識別情報、提案されたサービスについて指定された医師の識別情報及び連絡先情報４０４、購入されたサービスの説明４０６、トランザクション情報データベース１１４ｋ内で維持される購入の情報記録に含まれる一意のトランザクション識別子に基づいて購入サーバ１２６によって作成されることがある購入の確定番号４０８、及び、証書の清算指示４１０を含んで作成されてもよい。確定番号は、顧客利用者への電子確定メッセージ、サービスを実施する医師利用者への電子通知、及び、購入システム１２６が顧客利用者に送信する提案されたサービスの提供者利用者への電子通知でも提供されることがある。証書は、例えば、印刷可能及び／又は機械判読可能な形式で、ユーザインタフェース内で利用者に提示できる。
【０１０７】
同様に、提案されたサービスがバンドル型のサービス一式と併せて一次サービスとして提案される場合の支払いを処理するため、購入サービス１２６は、利用者によって提供された購入情報を利用して、利用者によって承認された、提案されたサービスに割り当てられた支払い額相当分を、購入情報で指定された資金源に要請するよう構成されてもよい。例えば、購入サービスは１２６は、指定された資金源によって直接又は間接的に提供された該当する第三者決済サービスシステムにアクセスし、購入情報を利用して、利用者によって承認された、提案された製品に割り当てられた支払い額相当分を、該当する会計アカウントのアカウントサービサーからマーケットプレイスシステム１００の提供者によって維持される会計アカウントに送金するよう決算サービスシステムに要請してもよい。ここで、この会計アカウントには、交渉、又は、契約された、購入処理委託手数料が入金され、支払い額の残りの金額が一時保留される。提案されたサービスがバンドル型のサービス一式と併せて提案されていない場合に購入サービス１２６が実施する処理とは異なり、提案されたサービスに対する支払い金額の各部分が一次サービス、二次サービス、及び、購入された提案されたサービスに対して指定される施設に関して（サービス提案データベース１１４ｈで指定されたバンドル型のサービス一式の各局面について、サービス対価の支払がなされるべき各々の提供者もしくは施設に対して移転されると指定された金額に応じて）別々に一時保留され、サービス提案データベース１１４ｈに処置を実施すると指定された医師によって該当するサービスが実施されたという指定が受け取られるまで、又は、該当する施設が一次サービスとの関連で使用されるまで、支払い金額の各部分が一時保留される（以下に詳述する）。
【０１０８】
購入サーバ１２６は、提案されたサービスがバンドル型のサービス一式の一次サービスとして提案されている場合の購入に対する支払い処理に際して、ユーザインタフェースを購入確定ページに移動させ、例えば、提案されたサービスの顧客、医師、及び提供者のアカウント情報記録に指定された連絡先情報を利用して、電子メールによって、電子確定メッセージを顧客利用者に送信し、電子通知をバンドル型のサービス一式のサービスを実施する医師、及び、（サービス提案データベース１１４ｈ内の提案されたサービスの情報記録に基づいて指定された）提案されたサービスの提供者利用者に送信してもよい。また、購入サーバ１２６は、トランザクション情報データベース１１４ｋ内に、完了した購入について、該当する情報と併せて情報記録を作成するよう構成できる。初期状態では、一次サービス、二次サービス、及び、購入された提案されたサービスに対して指定された施設に関する購入が未清算であることが示されている。
【０１０９】
購入サーバ１２６は、提案された製品がバンドル型のサービス一式の一次サービスとして提案されている場合の購入に対する支払い処理に際して、顧客利用者に、購入されたサービスの証書をユーザインタフェース内で作成するよう構成でき、証書は、顧客利用者が購入を清算し、バンドル型のサービス一式の各サービスについて指定された医師からサービスを受けるために使用できる（マーケットプレイスシステム１００の提供者は、システムに登録された提供者と、購入されたサービスに対して購入サーバ１２６によって作成されたこのような証書の内容を履行することに同意するという契約を予め結ぶことができる）。バンドル型のサービス一式のこのような証書の例を図４Ｂに示す。図４Ｂの例に示されるように、証書４００の例は、顧客利用者の識別情報４０２、提案されたサービスに含まれるサービス及びいずれかの施設に対して指定された医師の識別情報及び連絡先情報４０４、購入されたサービスの各サービスの説明４０６、トランザクション情報データベース１１４ｋ内で維持される購入の情報記録に含まれる一意のトランザクション識別子に基づいて購入サーバ１２６によって作成されることがある購入の確定番号４０８、及び、証書の清算指示４１０を含んで作成されてもよい。確定番号（又は、一次元又は二次元のバーコード、ＱＲコード（登録商標）、又は、その他の機械判読可能な情報形式など、その他いずれかの適切な償還情報）は、顧客利用者への電子確定メッセージ、サービスを実施する医師利用者への電子通知、購入システム１２６が顧客利用者に送信する提案されたサービスの提供者利用者への電子通知でも提供されることがある。証書は、例えば、印刷可能及び／又は機械判読可能な形式で、ユーザインタフェース内で利用者に提示できる。
【０１１０】
図２に示された例示的実施形態を再度参照する。顧客ポータル１２０は、サーバシステム１１０に登録された顧客アカウントを持つ利用者が利用者の顧客アカウントにログインすると（例えば、アプリケーションサーバ１１６によって実装されたユーザインタフェース内のログインユーザインタフェース要素、又は、ログイン画面にアクセスすることで、アカウントと関連付けられたユーザ名とパスワードを提供する）、ユーザインタフェースに利用者がアクセス可能なユーザインタフェース要素を提供し、利用者は、アカウント管理サービス１２２によって提供されるプロファイル管理インタフェースを通して各種アカウント管理機能にアクセスすることができる。例えば、このようなプロファイル管理インタフェースは、顧客利用者が個人情報を管理し、サーバシステム１１０内で利用者が実施した購入トランザクションの履歴（及び、証書償還状態を含む各購入の関連情報）を閲覧し、継続中の処方箋のいずれかを管理、閲覧し、及び、購入されたサービスのために作成された証書を印刷し、又は、証書償還情報にアクセスできるように実装されてもよい。
【０１１１】
上述したように、例示的実施形態では、クライアントシステム上で実行される該当するクライアントアプリケーションを介してアプリケーションサーバ１１６にアクセスするためにクライアントシステムを操作する利用者は、ナビゲーション及び検索サービス１２４によって実装されるいずれかのページ上に、サーバシステム１１０への登録を開始するために利用者がアクセス可能なユーザインタフェース要素が提供されてもよく、利用者がユーザインタフェース要素にアクセスするのに応答して、ナビゲーション及び検索サービス１２４は、利用者がサーバシステム１１０に登録する意図のある利用者アカウントの種類を指定することが可能になるユーザインタフェースのコントロールを更に提供するよう構成されてもよい。
【０１１２】
利用者が医師利用者として登録する意図を示すと、利用者は、医師アカウントをサーバシステム１１０に登録するため、アカウント管理サービス１３１の登録セッションを開始できる。アカウント管理サービス１３１は、例えば、利用者のアカウント登録プロセスをガイドし、医師プロファイルデータベース１１４ｂ内に利用者のために構築されたアカウント情報記録に、データベースサーバ１１２に維持されることになる各種情報又はメディア、例えば、氏名、診療分野、病院立地及び診療時間、プロファイル写真、連絡先情報（電子メールアドレス及び／又は電話番号）、履歴情報（賞与、栄誉、論文、患者証言、及び、システムにアクセスする顧客に医師を売り込むのに役立つその他の情報）、ウェブサイト及びソーシャルメディアプロファイルへのＵＲＬ又は参照、報酬情報（システムを介して医師が提案したサービスの購入に対する支払いを受け付ける会計アカウントを示す）、医師によって実施される特定のサービスのために使用される外部施設に係わる情報（例えば、名称、住所、連絡先情報、施設利用料、及び、施設利用料を受け取るために施設によって使用される会計アカウントを示す報酬情報など、特定の病院又は診療所に係わる情報）、及び、その他いずれかの適切な識別情報又は説明的情報などを利用者が入力するのを促す、利用者がアクセスできるユーザインタフェースコントロールを有する一連のページを含むユーザインタフェースを実装してもよい。また、ユーザインタフェースはアカウント管理サービス１３１によって実装されて、利用者をいずれかのグループ提携コード又は病院提携コードに促してもよい。
【０１１３】
アカウント管理サービス１３１は、データベースサーバ１１２にアクセスし、登録プロセス中に利用者によって入力された情報に基づいて医師プロファイルデータベース１１４ｂ内にそれぞれの利用者のアカウント情報記録を作成するように構成され得る。アカウント管理サービス１３１は、作成されたアカウント情報記録に対して一意の医師アカウント識別子を生成するよう更に構成でき、医師アカウント識別子は、例えば、データベースサーバ１１２内に作成されたアカウント情報に索引をつけ、参照するために使用されてもよい。利用者によって提出されたいずれかのグループ提携コード又は病院提携コードについて、アカウント管理サービス１３１は、提出されたグループ提携コードに対応する各診療グループに対する診療グループプロファイルデータベース１１４ｃ内で維持される診療グループのアカウント情報記録内に、及び、提出された病院提携コードに対応する各病院システムに対する病院システムプロファイルデータベース１１４ｄ内で維持される病院システムのアカウント情報記録内に、作成されたアカウント情報記録の一意の医師アカウント識別子を含み、更に、医師プロファイルデータベース１１４ｂ内の利用者のためのアカウント情報記録内に、該当する病院システム及びグループ診療アカウント識別子も含むよう構成され得る。作成されたアカウント情報記録は、一意のユーザ名で識別され、パスワードで保護され、利用者が、アプリケーションサーバ１１６にアクセスする際に、関連する医師アカウントにログインするために利用できる。
【０１１４】
例示的実施形態では、アカウント管理サービス１３１が実装するユーザインタフェースは、マーケットプレイスシステム１００内で購入される医療サービスを提案する能力へのアクセスを得るために、所定料金の支払い承認を要請するユーザインタフェースコントロールを提供するよう更に構成されてもよい。このような料金は、例えば、一括払い、又は、定期払い（月ごと、年２回、又は、年払いなど）でもよい。このような支払い承認の要請と併せて、アカウント管理サービス１３１によって提供されるユーザインタフェースのコントロールは、利用者に対して、所定のアクセス料金の支払いに利用者が使用する資金源を指定する支払い情報の入力を促すように実装されてもよい。利用者による支払い情報の入力は、顧客プロファイルデータベース１１４ａ内で利用者のために構築されたアカウント情報記録に含まれる報酬情報を使用するという指示、又は、例えば、銀行口座情報、クレジット又はデビットカード情報、又は、その他の電子支払い情報など（ＰａｙＰａｌ又はインターネットを介した支払い及び送金を媒介するその他いずれかの事業者に有する利用者のアカウントを利用するための情報など）の代替支払い情報の提出であってもよい。アカウント管理サービス１３１は、承認と適切な支払い情報が利用者によって提供されると、該当する第三者の決算サービスシステムにアクセスし、支払い情報を使用して、決算サービスシステムに、利用者のアカウントサービサーから、マーケットプレイスシステム１００の提供者によって維持される会計アカウントに、利用者が承認した支払い額を送金させるよう構成できる。或いは、アカウント管理サービス１３１によって実装されたユーザインタフェースは、マーケットプレイスシステム１００内の購入のために医療サービスを提案する能力にアクセスを得るための起動コードを受け取るためのユーザインタフェースコントロールを提供するよう構成されてもよく、又は、利用者から特定のグループ又は病院提携コードを受信するのに応答して、このようなアクセスを利用者に提供するように構成されてもよい。その際、医師プロファイルデータベース１１４ｂ内に、利用者のために構築されたアカウント情報記録は、利用者のアカウント状態を更に含むことがある。利用者のアカウント状態はアカウント管理サービス１３１によって管理され、利用者が、マーケットプレイスシステム１００内での購入のために医療サービスを提案する能力を現在備えるかを示す。
【０１１５】
利用者が、プロファイルデータベース１１４ｂ内にアカウント情報記録を構築するためにサーバシステム１１０に医師アカウントを登録し、利用者の医師アカウントにログインすると（例えば、ナビゲーション及び検索サービス１２４に実装されたユーザインタフェース内のログインユーザインタフェース要素又はログイン画面にアクセスし、アカウントに関連付けられたユーザ名とパスワードを提供することで）、利用者は、提供者ポータル１３０に実装された医師アカウントページに誘導されることがある。医師アカウントページには利用者がアクセスできる一式のユーザインタフェースのコントロールが提供され、処置管理サービス１３３によって提供される、システムに登録された顧客利用者が購入する医療サービスを提案するための機能へのアクセス、トランザクション処理サービス１３６によって提供される、実施済みの購入されたサービスに対する支払いを要請するための機能へのアクセス、及び、アカウント管理サービス１３１によって提供される各種アカウント管理機能へのアクセスが可能になる。
【０１１６】
利用者が、購入されるための医療サービスを提案する意図を示すと（例えば、提供者ポータル１３０によって実装される医師アカウントページ内で「サービスの提案」タブを選択することで）、利用者は、サーバシステム１１０を介した購入に対して医療サービスを提案するため、処置管理サービス１３３においてサービス提案を開始することができるようになる。処置管理サービス１３３は、例えば、利用者がアクセス可能なユーザインタフェースのコントロールを有する一連のページを含むユーザインタフェースを実装してもよく、利用者のサービス提案プロセスをガイドし、サービス提案データベース１１４ｈ内に医師の一意の医師アカウント識別子に関連付けられて構築された情報記録に、利用者がデータベースサーバ１１２によって維持されることになる各種情報を入力するのを促すよう構成されてもよい。例えば、利用者に選択可能な医療分野一覧のドロップダウンメニューが提供されてもよく、そして、特定の医療分野を選択すると、利用者に、サービスの情報記録が医療分野に関連付けられて利用可能サービスデータベース１１４ｇ内に維持される、選択可能な医療サービス一覧が提示され得る。
【０１１７】
利用者が一覧から特定のサービスを選択すると、処置管理サービス１３３は、利用者が購入のためのサービスを提案するのを補助し、利用可能サービスデータベース１１４ｇ内の選択されたサービスの情報記録に対する一意の処置識別子、システムを通してサービスを提案する提供者及びサービスを実施する医師利用者の両方としての、医師プロファイルデータベース１１４ｂ内の医師利用者のアカウント情報記録に対する一意のアカウント識別子、サービスが実施される場所、医師利用者から受信した利用者の入力に示される、システムを通して購入された場合のサービスに対する支払い先となっている提供者の（医師プロファイルデータベース１１４ｂ、診療グループプロファイルデータベース１１４ｃ、又は、病院システムプロファイルデータベース１１４ｄ内の）アカウント情報記録（又は、その他の会計アカウント情報）に対する一意のアカウント識別子、医師利用者から受信した利用者の入力に示される、サービスに対する支払い先となっている提供者又はその他の会計アカウントに送金される支払い額、マーケットプレイスシステム１００内でのサービス購入の割引価格（例えば、医師利用者によって指定された支払い額に交渉された委託手数料を加えて計算されてもよい）、サービスがシステム外部で購入された場合のサービスの通常価格、医師利用者から受け付けられた入力を介して提供されることがある追加の説明的情報、処置提案識別子、及び、その他いずれかの適切な情報（サービスが外部施設で実施される必要があるという指定、及び、医師利用者から受信した入力によって指定される関連施設情報）を情報記録に入力することで、サービス提案データベース１１４ｈ内に提案されたサービスの情報記録を構築することができる。
【０１１８】
上述したように、提案されたサービスに対する支払いが購入サービス１２６によって処理される場合、マーケットプレイスシステム１００の提供者によって維持される会計アカウントは、サービス対価の支払い先である提供者に移転されるべき支払い額を一時保留する。これは、サービス提案データベース１１４ｈ内でサービスを実施すると指定された医師によって購入サービスが実施されたという指定が届くまで続く。また、購入サーバ１２６は、トランザクション情報データベース１１４ｋ内に、完了した購入の情報記録を作成できる。初期値は、個別のサービスの購入、又は、バンドル型のサービス一式の各サービスの購入に対して未清算であることが示され、購入されたサービスに対して顧客利用者が使用する証書を作成し、顧客利用者は購入に含まれた各サービスに指定された医師からサービスを受けることで購入を清算することができる。このような証書は、購入に対する確定番号又はその他の償還コードを含んでもよい。
【０１１９】
利用者が、実施済みの購入したサービスに対する支払い要請の意図を示すと（例えば、提供者ポータル１３０によって実装された医師アカウントページ内の「証書処理」タブを選択して）、利用者は、トランザクション処理サービス１３６の証書処理セッションを開始できるようになる。特に、トランザクション処理サービス１３６は、例えば、ユーザインタフェース内に証書履歴ページを実装してもよい。証書履歴ページは、その医師利用者に関連した購入の一覧の情報を提示する。購入一覧のそれぞれの購入の情報記録は、トランザクション情報データベース１１４ｋ内に維持されており、医師プロファイルデータベース１１４ｂ内の医師利用者の一意の医師アカウント識別子を、購入に含まれるサービス（例えば、バンドル型のサービス一式の一次又は二次サービス）を実施する医師利用者として含む。購入一覧の関連情報は、例えば、証書確定番号又は償還コード、顧客利用者の氏名及び連絡先情報、購入に対して医師利用者が実施すると指定されたサービスの説明、購入日、及び、証書償還状態を含むことがある。また、このような証書履歴ページは、証書と関連してサービスが実施されることを要請する顧客が提示する証書を検証するために、医師利用者のユーザアカウントの関連でアクセスされてもよい。
【０１２０】
証書履歴ページは、購入一覧の各購入と関連付けられたユーザインタフェース要素も提供できる。各購入について、医師利用者が実施することが指定されたサービスの証書償還状態は、サービスがまだ実施されていないことを示す。医師利用者はユーザインタフェース要素にアクセスして、購入に基づいて医師利用者が顧客利用者にサービスを実施したという検証をアプリケーションサーバ１１６に提出することができる。トランザクション処理サービス１３６は、このような検証が提出されると、サービス提案データベース１１４ｈの医師利用者が実施したサービスに対して指定され、マーケットプレイスシステム１００の提供者によって維持される会計アカウント内で一時保留されている支払い額の、サービス提案データベース１１４ｈで指定されたサービスに対する支払い額を受け取るための会計アカウントへの送金を開始するよう構成できる。加えて、医師によって実施されるサービスが、バンドル型のサービス一式の一次サービスで、一次サービスの実施のために特定の外部施設が選択された場合、トランザクション処理サービス１３６は、サービス提案データベース１１４ｈ内の医師利用者によって実施されるサービスのために指定され、マーケットプレイスシステム１００の提供者によって維持される会計アカウント内に一時保留された施設利用料の、施設の報酬情報に示される施設の会計アカウントへの送金を開始、又は、償還を指示するよう構成できる。トランザクション処理サービス１３６は、購入が特定のサービス（及び、購入のサービスに施設が関連付けられている場合、施設）に対して清算されたかの指定を更新し、トランザクション情報データベース１１４ｋ内に維持される購入サービスの情報記録に、特定のサービスの償還日を含むよう構成されてもよい。加えて、トランザクション処理サービスは、例えば、顧客、医師、及び、提案されたサービスの提供者のアカウント情報記録に指定された連絡先情報を利用して、電子メールによって、顧客利用者、医師利用者、及び、（サービス提案データベース１１４ｈ及びトランザクション情報データベース１１４ｋ内の該当する情報記録に基づいて指定される）提案されたサービスの提供者利用者に電子通知を送信するよう更に構成されてもよい。
【０１２１】
利用者が、提供者ポータル１３０に実装された医師アカウントページ内で、各種アカウント管理機能へのアクセスの意図を示すと、利用者は、アカウント管理サービス１３１によって提供される各種ユーザインタフェース要素にアクセスでき、例えば、個人情報及び支払い情報又は購入情報の管理、医師利用者によって購入のために提案されたサービスに関する情報の管理、グループ診療及び病院提携の管理、及び、サーバシステム１１０（及び、証書償還状態を含む、各購入の関連情報）内の医師利用者によって購入のために提案されたサービスに対して実施されたトランザクションの履歴の閲覧が可能になる。
【０１２２】
図２を再度参照すると、例示的実施形態では、アプリケーションサーバ１１６にアクセスするために、クライアントシステム上で実行される該当するクライアントアプリケーションを介してクライアントシステムを操作する利用者が、サーバシステム１１０への登録を開始し、診療グループ管理者として登録する意図を示すと（例えば、ナビゲーション及び検索サービス１２４に実装されるいずれかのページのユーザインタフェース要素を介して）、サーバシステム１１０に診療グループアカウントを登録するため、利用者はアカウント管理サービス１３１の登録セッションを開始できる。アカウント管理サービス１３１は、例えば、利用者がアクセスできるユーザインタフェースコントロールを有する一連のページを含むユーザインタフェースを実装し、利用者のアカウント登録プロセスをガイドし、診療グループプロファイルデータベース１１４ｃ内に利用者のために開設されたアカウント情報記録内に、データベースサーバ１１２が維持することになる各種情報又はメディア、例えば、診療グループ名、病院立地及び診療時間、連絡先情報（ｅメールアドレス及び／又は電話番号）、診療グループのウェブサイト及びソーシャルメディアプロファイルへのＵＲＬ又は参照、診療グループと提携する医師によって特定の処置のために使用される外部施設に係わる情報（例えば、名称、住所、連絡先情報、施設利用料、及び、施設が施設利用料を受け取るために使用する会計アカウントを示す報酬情報など、特定の病院又は診療所に係わる情報）、（システムを介して提携医師が実施するサービスの購入に対する支払いを受け取る会計アカウントを示す）報酬情報、及び、その他いずれかの適切な識別情報又は説明的情報などを利用者が入力するのを促すように構成されてもよい。
【０１２３】
また、ユーザインタフェースは、利用者が提携医師利用者を指定し、いずれかの病院提携コードを入力するのを促すため、アカウント管理サービス１３１によって実装されてもよい。その際、アカウント管理サービス１３１は、利用者がサーバシステム１１０に登録された医師利用者を検索し（例えば、氏名、及び／又は、電子メールアドレスによって）、医師プロファイルデータベース１１４ａにアクセスして検索条件に一致する医師利用者のアカウント情報記録を見つけ出すのを可能にするユーザインタフェースコントロールを提供し、更に、利用者が検索で返されたいずれかの医師利用者との提携をサーバシステム１１０内に登録するのを可能にするユーザインタフェースコントロールを提供するよう実装されてもよい。アカウント管理サービス１３１は、医師利用者の登録で上述したのと同様の方法で、利用者が提携医師の新しい医師アカウントをサーバシステム１１０に登録するのを可能にするユーザインタフェースコントロールを提供するよう実装されてもよく、診療グループによって提案され、医師利用者によって実施されるサービスに関連してサーバシステム１１０によって送信された電子メッセージが医師の電子メールアドレスに配信されるか、診療グループの電子メールアドレスに配信されるか、両方に配信されるかを示すため選択肢を利用者に提供してもよい。
【０１２４】
アカウント管理サービス１３１は、データベースサーバ１１２にアクセスして、登録プロセス中に利用者によって入力された情報に基づいて、診療グループプロファイルデータベース１１４ａ内に利用者のそれぞれのアカウント情報記録を作成するように構成され得る。アカウント管理サービス１３１は、作成されたアカウント情報記録に対して一意の診療グループアカウント識別子を生成するよう更に構成でき、診療グループアカウント識別子は、例えば、データベースサーバ１１２内に作成されたアカウント情報記録に索引をつけ、参照するために使用されてもよい。利用者によって指定されたいずれかの提携医師利用者又は病院提携コードについて、アカウント管理サービス１３１は、医師プロファイルデータベース１１４ａ内で各指定された医師利用者に対して維持される医師のアカウント情報記録内に、及び、病院システムプロファイルデータベース１１４ｄ内で提出された病院提携コードに対応する各病院システムに対して維持される病院システムのアカウント情報記録内に、作成されたアカウント情報記録に対する一意の診療グループアカウント識別子を含み、更に、診療グループプロファイルデータベース１１４ｃ内の利用者のためのアカウント情報記録内に、該当する病院システム及び医師アカウント識別子も含むよう構成され得る。作成されたアカウント情報記録は、一意のユーザ名で識別され、パスワードで保護され、利用者が、アプリケーションサーバ１１６にアクセスする際に、関連する診療グループアカウントにログインするために利用できる。
【０１２５】
例示的実施形態では、アカウント管理サービス１３１が実装するユーザインタフェースは、マーケットプレイスシステム１００内で購入される医療サービスを提案する能力へのアクセスを得るために、所定料金の支払い承認を要請するユーザインタフェースコントロールを提供するよう更に構成されてもよい。このような料金は、例えば、一括払い、又は、定期払い（月ごと、年２回、又は、年払いなど）でもよい。利用者によって診療グループの提携医師としてサーバシステム１１０に新しく登録された医師アカウントのそれぞれに対しても、料金を決めるようにしてもよいアカウント管理サービス１３１は、アカウント管理サービス１３１によって提供されたユーザインタフェースコントロールを介して承認と適切な支払い情報が利用者によって提供されると、該当する第三者の決算サービスシステムにアクセスし、支払い情報を使用して、決算サービスシステムに、利用者のアカウントサービサーから、マーケットプレイスシステム１００の提供者によって維持される会計アカウントに、利用者が承認した支払額を送金させるよう構成できる。或いは、アカウント管理サービス１３１によって実装されたユーザインタフェースは、マーケットプレイスシステム１００内の購入のために医療サービスを提案する能力にアクセスを得るための起動コードを受け取るためのユーザインタフェースコントロールを提供するよう構成されてもよく、又は、利用者から特定の診療グループ又は病院提携コードを受信するのに応答して、このようなアクセスを利用者（及び／又は、利用者によって、提携された医師としてサーバシステム１１０に登録されたいずれかの新しい医師アカウント）に提供するように構成されてもよい。その際、診療グループプロファイルデータベース１１４ｃ内に、利用者のために構築されたアカウント情報記録は、利用者のアカウント状態を更に含むことがある。利用者のアカウント状態は、アカウント管理サービス１３１によって管理され、診療グループが、マーケットプレイスシステム１００内での購入のために医療サービスを提案する能力を現在備えるかを示す。
【０１２６】
利用者が、診療グループプロファイルデータベース１１４ｃ内にアカウント情報記録を構築するためにサーバシステム１１０に診療グループアカウントを登録し、利用者の診療グループアカウントにログインすると（例えば、ナビゲーション及び検索サービス１２４に実装されたユーザインタフェース内のログインユーザインタフェース要素又はログイン画面にアクセスし、アカウントに関連付けられたユーザ名とパスワードを提供することで）、利用者は、提供者ポータル１３０に実装された診療グループアカウントページに誘導されることがある。診療グループアカウントページには利用者がアクセスできる一式のユーザインタフェースのコントロールが提供され、システムに登録された顧客利用者が購入するために提携医師によって実施される医療サービスを提案するために処置管理サービス１３３によって提供される機能へのアクセス、実施済みの購入されたサービスに対する支払いを要請するためにトランザクション処理サービス１３６によって提供される機能へのアクセス、アカウント管理サービス１３１によって提供される各種アカウント管理機能へのアクセスが可能になる。
【０１２７】
利用者が、購入されるための医療サービスを提案する意図を示すと（例えば、提供者ポータル１３０によって実装される診療グループアカウントページ内で「サービスの提案」タブを選択することで）、利用者は、サーバシステム１１０を介した購入に対して提携医師によって実施される医療サービスを提案するため、処置管理サービス１３３においてサービス提案を開始することができるようになる。処置管理サービス１３３は、例えば、利用者がアクセス可能なユーザインタフェースのコントロールを有する一連のページを含むユーザインタフェースを実装してもよく、利用者のサービス提案プロセスをガイドし、サービス提案データベース１１４ｈ内に診療グループの一意な診療グループアカウント識別子に関連付けて構築された情報記録に、利用者がデータベースサーバ１１２によって維持されることになる各種情報を入力するのを促すよう構成されてもよい。例えば、利用者に選択可能な医療分野一覧のドロップダウンメニューが提供されてもよく、そして、特定の医療分野を選択すると、利用者は、サービスの情報記録がその分野に関連付けられて利用可能サービスデータベース１１４ｇ内に維持される、選択可能な医療サービス一覧が提示される。
【０１２８】
利用者がこの一覧から特定のサービスを選択すると、処置管理サービス１３３は、購入されるために利用者がサービスを提案するのを補助し、サービス提案データベース１１４ｈ内に提案されたサービスの情報記録を構築することができる。特に、処置管理サービス１３３は、利用者に診療グループと提携した医師利用者の選択可能な一覧を提示することができ、そこから、利用者は、診療グループアカウントと協同してサービスを提案する、一以上の提携医師の指定を提出できる。各選択された提携医師ユーザに対して、処置管理サービス１３３は、利用可能サービスデータベース１１４ｇ内の選択されたサービスの情報記録に対する一意の処置識別子、システムを通してサービスを提案する提供者として、医師プロファイルデータベース１１４ｂ内の診療グループのアカウント情報記録に対する一意のアカウント識別子、サービスを実施する医師利用者として、医師プロファイルデータベース１１４ｂ内の医師利用者のアカウント情報記録に対する一意のアカウント識別子、サービスが実施される場所、診療グループ管理者から受信した利用者入力（又は、その他の会計アカウント情報）に示される、システムを通して購入された場合のサービス対価の支払い先となっている提供者の（医師プロファイルデータベース１１４ｂ、診療グループプロファイルデータベース１１４ｃ、又は、病院システムプロファイルデータベース１１４ｄ内の）アカウント情報記録の一意のアカウント識別子、診療グループ管理者から受信した利用者入力に示される、サービス対価の支払い先となっている提供者又はその他の会計アカウントに送金される支払い額、マーケットプレイスシステム１００内でのサービス購入の割引価格（例えば、診療グループ管理者によって指定された支払い額に交渉された委託手数料を加えて計算されてもよい）、サービスがシステム外で購入された場合のサービスの通常価格、診療グループ管理者から受信した入力によって提供されることがある追加の説明的情報、処置提案識別子、及び、その他いずれかの適切な情報（サービスが外部施設で実施される必要があるという指定、及び、診療グループ管理者から受信した利用者入力によって指定される関連施設情報）を情報記録に入力することで、提案されたサービスの情報記録をサービス提案データベース１１４ｈ内に構築することができる。
【０１２９】
例示的実施形態では、処置管理サービス１３３は、診療グループ管理者が、マーケットプレイスシステム１００内でバンドル型のサービス一式として購入されるためにサービスを提案し、サービス提案データベース１１４ｈ内にバンドル型のサービス一式として提案されたサービスの情報記録を構築するのを補助することができる。特に、処置管理サービス１３３は、利用者によって選択された特定のサービスがバンドル型のサービス一式の一次サービスとして提案されるべきものであると指定する選択肢を利用者に提示することができる、又は、利用可能サービスデータベース１１４ｇ内で維持される利用者によって選択された特定のサービスの情報記録が、サービスがマーケットプレイスシステム１００内の提供者によってバンドル型の複数のサービス一式の一次サービスとして提案され得るという指定を含むことがある。
【０１３０】
このような指定が提供される選択されたサービスについて、処置管理サービス１３３は、例えば、利用者がアクセス可能なユーザインタフェースコントロールを実装し、利用者の選択されたサービスをバンドル型のサービス一式の一次サービスとして提案するプロセスをガイドし、サービス提案データベース１１４ｈ内の診療グループに対する一意の診療グループアカウント識別子に関連して構築された情報記録に入力するために、利用者に各種情報の入力を促すよう構成されてもよい。処置管理サービス１３３は、まず、診療グループと提携した医師利用者の選択可能な一覧を利用者に提示する。利用者は、一覧から診療グループアカウントと併せて一次サービスを提案する提携医師の指定を提出でき、次に、利用可能サービスデータベース１１４ｇ内の選択されたサービスの情報記録に対する一意の処置識別子、システムを通して一次サービスを提案する提供者として、医師プロファイルデータベース１１４ｂ内の診療グループのアカウント情報記録に対する一意のアカウント識別子、一次サービスを実施する医師利用者として、医師プロファイルデータベース１１４ｂ内の医師利用者のアカウント情報記録に対する一意のアカウント識別子、一次サービスが実施される場所、診療グループ管理者から受信した利用者の入力に示される、システムを通して購入された場合の一次サービス対価の支払い先になっている提供者の（医師プロファイルデータベース１１４ｂ、診療グループプロファイルデータベース１１４ｃ、又は、病院システムプロファイルデータベース１１４ｄ内の）アカウント情報記録（又は、その他の会計アカウント情報）に対する一意のアカウント識別子、診療グループ管理者から受信した利用者の入力で指定される、一次サービスに対する支払い先となっている提供者又はその他の会計アカウントに送金される支払い額、マーケットプレイスシステム１００内での一次サービス購入の割引価格（例えば、診療グループ管理者によって指定された一次サービスの支払い額に交渉された委託手数料を加えて計算されてもよい）、一次サービスがシステム外部で購入された場合の一次サービスの通常価格、診療グループ管理者から受信した入力によって提供されることがある追加の説明的情報、処置提案識別子、及び、その他いずれかの適切な情報を、情報記録内の一次サービスに係わる情報に入力することができる。
【０１３１】
処置管理サービス１３３は、次に、利用可能サービスデータベース１１４ｇ内に維持される利用者によって選択された特定のサービスの情報記録から、又は、サービスの情報記録が利用可能サービスデータベース１１４ｇで維持される提携医師によって提案されたサービスを利用者が選択することによって、バンドル型のサービス一式に含まれる一以上の二次サービスの指定を受け取ることができる。処置管理サービスは、次に、利用可能サービスデータベース１１４ｇ内の二次サービスの情報記録に対する一意の処置識別子（又は、提案された一次サービスの一意の処置識別子と関連付けて特定の二次サービスを一意に識別するための、利用可能サービスデータベース１１４ｇに含まれる二次処置識別子。利用可能サービスデータベース１１４ｇ内で提案されている一次サービスの情報記録は、サービスがバンドル型のサービス一式の一次サービスとして提案されているという指定を含む）、二次サービスを実施する医師利用者の医師プロファイルデータベース１１４ｂ内のアカウント情報記録に対する一意の医師アカウント識別子、サービスが実施される場所、診療グループ管理者から受信した利用者入力によって示される、システムを通して購入された場合の一次サービス対価の支払い先（又は、その他の会計アカウント情報）となる提供者の（医師プロファイルデータベース１１４ｂ、診療グループプロファイルデータベース１１４ｃ、又は、病院システムプロファイルデータベース１１４ｄ内の）アカウント情報記録に対する一意のアカウント識別子、診療グループの管理者から受信した利用者入力に示される、二次サービス対価の支払い先となっている提供者又はその他の会計アカウントに送金される支払い額、マーケットプレイス１００内で二次サービスを購入する際の割引価格（例えば、交渉された委託手数料を診療グループの管理者によって指定された二次サービスの支払額に加えて計算されてもよい）、二次サービスがシステム外部で購入された場合の二次サービスの通常価格、及び、二次サービスの実施が任意か一次サービスの実施に伴い必要とされるかの指定を、情報記録内の各二次サービスに係わる情報に入力することができる。処置管理サービスは、更に、一次サービスが外部施設で実施されるかの表示、及び、一次サービスが外部施設で実施される場合、一次サービスを実施するために用いられることがある一以上の施設それぞれに係わる情報項目、例えば、名称、住所、連絡先情報、施設利用料、及び、施設利用料を受け取るために施設によって使用される（診療グループの管理者から受信した利用者入力によって指定される）会計アカウントを示す報酬情報を、情報記録の情報に入力できる。
【０１３２】
利用者が、実施済みの購入したサービスに対する支払い要請の意図を示すと（例えば、提供者ポータル１３０によって実装された診療グループアカウントページ内の「証書処理」タブを選択するなどで）、利用者は、トランザクション処理サービス１３６の証書処理セッションを開始できるようになる。特に、トランザクション処理サービス１３６は、例えば、ユーザインタフェース内に証書履歴ページを実装してもよい。証書履歴ページは、その診療グループの管理者に関連した購入の一覧の情報を提示する。購入一覧のそれぞれの購入の情報記録は、トランザクション情報データベース１１４ｋ内に維持されており、診療グループプロファイルデータベース１１４ｃ内の診療グループの一意の診療グループアカウント識別子を、購入のためのサービス（例えば、バンドル型のサービス一式の一次又は二次サービス）を提案している提供者として含む。購入一覧の各購入の関連情報は、例えば、証書確定番号又は償還コード、顧客利用者の氏名及び連絡先情報、購入のために医師利用者が実施するとされたサービスの説明、購入日、及び、証書償還状態を含むことがある。
【０１３３】
証書履歴ページは、一覧の購入のうちでサービスの償還状態がサービス未実施となっている購入の各々と関連付けられたユーザインタフェース要素も提供できる。診療グループ利用者はユーザインタフェース要素にアクセスして、購入に基づいてサービスを実施すると指定された提携医師利用者が顧客利用者にサービスを実施したという検証をアプリケーションサーバ１１６に提出することができる。トランザクション処理サービス１３６は、このような検証が提出されると、サービス提案データベース１１４ｈの提携医師利用者が実施したサービスに対して指定され、マーケットプレイスシステム１００の提供者によって維持される会計アカウントで一時保留されている支払い額の、サービス提案データベース１１４ｈで指定されたサービスに対する支払い額を受け取るための会計アカウントへの送金を開始するよう構成できる。加えて、医師によって実施されるサービスが、バンドル型のサービス一式の一次サービスで、一次サービスの実施のために特定の外部施設が選択された場合、トランザクション処理サービス１３６は、サービス提案データベース１１４ｈ内の医師利用者によって実施されるサービスのために指定され、マーケットプレイスシステム１００の提供者によって維持される会計アカウント内に一時保留された施設利用料の、施設の報酬情報に示される施設の会計アカウントへの送金を開始するよう構成できる。トランザクション処理サービス１３６は、購入が特定のサービス（及び、購入のサービスに施設が関連付けられている場合、施設）に対して清算されたかの指定を更新し、トランザクション情報データベース１１４ｋ内に維持される購入サービスの情報記録に、特定のサービスの償還日を含むよう構成されてもよい。加えて、トランザクション処理サービスは、例えば、顧客、医師、及び、提案されたサービスの提供者のアカウント情報記録に指定された連絡先情報を利用して、電子メールによって、顧客利用者、医師利用者、及び、（サービス提案データベース１１４ｈ及びトランザクション情報データベース１１４ｋ内の該当する情報記録に基づいて指定される）提案されたサービスの提供者利用者に電子通知を送信するよう更に構成されてもよい。
【０１３４】
利用者が、提供者ポータル１３０に実装された診療グループアカウントページ内で、各種アカウント管理機能へのアクセスの意図を示すと、利用者は、アカウント管理サービス１３１によって提供される各種ユーザインタフェース要素にアクセスでき、例えば、診療グループ及び提携医師の両方のプロファイル及び支払い情報又は報酬情報の管理、診療グループと提携医師の両方によって購入のために提案されたサービス関する情報の管理、医師及び病院システム提携の管理、及び、サーバシステム１１０内の診療グループによって購入のために提案されたサービスに対して実施されたトランザクションの履歴（及び、証書償還状態を含む、各購入の関連情報）の閲覧が可能になる。
【０１３５】
例示的実施形態では、アプリケーションサーバ１１６にアクセスするために、クライアントシステム上で実行される該当するクライアントアプリケーションを介してクライアントシステムを操作する利用者が、サーバシステム１１０への登録を開始し、病院システム管理者として登録する意図を指定すると（例えば、ナビゲーション及び検索サービス１２４に実装されるいずれかのページのユーザインタフェース要素を介して）、サーバシステム１１０に病院システムアカウントを登録するため、利用者はアカウント管理サービス１３１の登録セッションを開始できるようになる。アカウント管理サービス１３１は、例えば、利用者がアクセス可能な、ユーザインタフェースコントロールを有する一連のページを含むユーザインタフェースを実装してもよく、利用者のアカウント登録プロセスをガイドし、利用者が、データベースサーバ１１２によって維持されることになる各種情報又はメディア、例えば、連絡先情報（電子メールアドレス及び／又は電話番号など）、病院システムと提携した医師の特定の処置に使用することができる外部施設に係わる情報（例えば、名称、住所、連絡先情報、施設利用料、及び、施設利用料を受け取るための施設が使用する会計アカウントを示す報酬情報などの、特定の病院又は診療所に係わる情報）、報酬情報（システムを介して提携医師によって実施されたサービスの購入に対する支払いを受け取るための会計アカウントを示す）、及び、その他いずれかの適切な識別情報又は説明的情報を、病院システムプロファイルデータベース１１４ｄ内に利用者のために構築されたアカウント情報記録に入力するのを促すよう構成されてもよい。
【０１３６】
また、ユーザインタフェースは、アカウント管理サービス１３１によって実装され、利用者が提携医師利用者を指定し、いずれかの診療グループ提携コードを入力するのを促してもよい。その際、アカウント管理サービス１３１は、利用者がサーバシステム１１０に登録された医師利用者を検索し（例えば、氏名、及び／又は、電子メールアドレスによって）、医師プロファイルデータベース１１４ａにアクセスして検索条件に一致する医師利用者のアカウント情報記録を見つけ出すのを可能にするユーザインタフェースコントロールを提供し、更に、利用者が検索で返されたいずれかの医師利用者との提携をサーバシステム１１０内に登録するのを可能にするユーザインタフェースコントロールを提供するよう実装されてもよい。アカウント管理サービス１３１は、また、病院システムによって提案され（又は、現地で販売され）、提携医師利用者によって実施されたサービスに関連して、サーバシステム１１０によって送信された電子メッセージを医師の電子メールアドレスに配信するか、病院システムの電子メールアドレスに配信するか、その両方かを指定するための選択肢も利用者に提供してもよい。
【０１３７】
アカウント管理サービス１３１は、データベースサーバ１１２にアクセスして、登録プロセス中に利用者によって入力された情報に基づいて、病院システムプロファイルデータベース１１４ｄ内にそれぞれの利用者のアカウント情報記録を作成するように構成され得る。アカウント管理サービス１３１は、作成されたアカウント情報記録に対して一意の病院システムアカウント識別子を生成するよう更に構成でき、病院システムアカウント識別子は、例えば、データベースサーバ１１２内に作成されたアカウント情報記録に索引をつけ、参照するために使用されてもよい。利用者によって指定されたいずれかの提携医師利用者又はグループ診療提携コードについて、アカウント管理サービス１３１は、医師プロファイルデータベース１１４ａ内で提携医師利用者に対して維持される医師のアカウント情報記録内に、及び、診療グループプロファイルデータベース１１４ｃ内で提出された病院提携コードに対応する診療グループに対して維持される診療グループのアカウント情報記録内に、作成されたアカウント情報記録に対する一意の病院システムアカウント識別子を含み、更に、病院システムプロファイルデータベース１１４ｄ内の利用者のためのアカウント情報記録内に、該当する診療グループ及び医師アカウント識別子も含むよう構成され得る。作成されたアカウント情報記録は、また、一意のユーザ名で識別され、パスワードで保護され、利用者が、アプリケーションサーバ１１６にアクセスする際に、関連する病院システムアカウントにログインするために利用できる。更に、作成されたアカウント情報記録は、関連する病院システムアカウントにアクセスする権限を持つその他いずれかの利用者が、アプリケーションサーバ１１６にアクセスする際に、それぞれの一意のユーザ名で識別され、パスワードで保護され得る。上述したように、病院システムアカウントは、病院システムアカウントのために提供者ポータル１３０内に提供された各種機能への異なるレベルのアクセス権を有する複数の利用者と関連付けられ、アクセスされることがある。
【０１３８】
例示的実施形態では、アカウント管理サービス１３１が実装するユーザインタフェースは、マーケットプレイスシステム１００内で購入される医療サービスを提案する能力へのアクセスを得るために、所定料金の支払い承認を要請するユーザインタフェースコントロールを提供するよう更に構成されてもよい。このような料金は、例えば、一括払い、又は、定期払い（月ごと、年２回、又は、年払いなど）でもよい。アカウント管理サービス１３１は、アカウント管理サービス１３１によって提供されるユーザインタフェースコントロールを介して、承認と適切な支払い情報が利用者によって提供されると、該当する第三者の決算サービスシステムにアクセスし、支払い情報を使用して、決算サービスシステムに、利用者のアカウントサービサーから、マーケットプレイスシステム１００の提供者によって維持される会計アカウントに、利用者が承認した支払額を送金させるよう構成できる。或いは、アカウント管理サービス１３１によって実装されたユーザインタフェースは、マーケットプレイスシステム１００内の購入のために医療サービスを提案する能力にアクセスを得るための起動コードを受信するためのユーザインタフェースコントロールを提供するよう構成されてもよく、又は、利用者から特定の病院提携コードを受信するのに応答して、このようなアクセスを利用者に提供するよう構成されてもよい。その際、病院システムプロファイルデータベース１１４ｄ内に、利用者のために構築されたアカウント情報記録は、利用者のアカウント状態を更に含むことがある。利用者のアカウント状態は、アカウント管理サービス１３１によって管理され、病院システムが、マーケットプレイスシステム１００内での購入のために医療サービスを提案する能力を現在備えるかを示す。
【０１３９】
病院システム管理者が、診療グループプロファイルデータベース１１４ｃ内にアカウント情報記録を構築するため、サーバシステム１１０に病院システムアカウントを登録し、権限のある利用者が病院システムアカウントにログインすると（例えば、ナビゲーション及び検索サービス１２４によって実装されるユーザインタフェース内のログインユーザインタフェース要素又はログイン画面にアクセスして、アカウントに関連付けられたユーザ名及びパスワードを提供することで）、利用者は、病院システムアカウントページに誘導されてもよい。病院システムアカウントページには、提供者ポータル１３０が実装され、病院システムアカウントの利用者のために提供された機能にアクセスするために利用者がアクセス可能なユーザインタフェースコントロールの一式を提供する。
【０１４０】
例示的実施形態では、提供者ポータル１３０で病院システムアカウントの利用者が提供される機能は、上述の非限定的例に説明した、提供者ポータル１３０内で診療グループアカウントの利用者に対して提供された機能に実質的に類似しているといえる。例えば、提供者ポータル１３０は、病院システムアカウントの利用者が、マーケットプレイスシステム１００内で購入される医療サービスを（提携医師又は提携診療グループと提携した医師と関連付けて）提案することを可能し、これによって、マーケットプレイスシステム１００内で購入されるサービスをバンドル型のサービス一式として提案できる機能と、各購入の情報記録がトランザクション情報データベース１１４ｋ内で維持され、病院システムプロファイルデータベース１１４ｄ内の病院システムの一意の病院システムアカウント識別子を、目的のためにサービス（例えば、バンドル型のサービス一式の一次又は二次サービス）を提案する提供者として含む、病院グループ利用者に関連した購入の一覧情報を提示するユーザインタフェース内の証書履歴ページにアクセスすることを可能にする機能と、証書処理セッションを開始して、購入されすでに実施されたサービスの検証、及び、支払い処理の要請を提出することを可能にする機能と、例えば、病院システム及び提携医師の両方に関するプロファイル及び支払い情報又は報酬情報を管理し、病院システム及び提携医師の両方によって購入のために提案されたサービスに係わる情報を管理し、医師及びグループ診療との提携を管理し、及び、サーバシステム１１０内で病院システムによって購入のために提案されたサービスのトランザクション履歴（及び、証書償還状態を含む購入の関連情報）を閲覧するため、各種アカウント管理機能にアクセスすることを可能にする機能とをユーザインタフェース内に実装できる。
【０１４１】
例示的実施形態では、提供者ポータル１３０で病院システムアカウントの利用者に提供される機能は、上述した非制限的例で説明した、提供者ポータル１３０内で診療グループアカウントの利用者に提供され得る機能とはいくつか異なる箇所があり得る。例えば、病院システムアカウントと提携している医師に関して、この病院システムアカウントの利用者には、提携医師利用者によって医師アカウントとの関連で病院処置として指定された、購入のために提案されたサービスへのアクセス権のみ（例えば、病院システムが提案している購入のためのサービスの閲覧、修正、指定）が提供されてもよい。また、病院システム利用者は、サーバシステム１１０を介した購入のために提携医師によって実施されるサービスを提案するため、処置管理サービス１３３でサービスの提案を開始する際に、選択可能な医療分野の一覧にアクセスすることでサービスを選択する代わりに、説明的用語、又は、（例えば、ＣＰＴコードセットに基づいて）サービスを識別するのに使用される医療コード番号を入力することで、サービスの検索クエリを提出する機能、又は、提携医師の一覧にアクセスし、一覧から特定の提携医師を選択すると、サービス提案データベース１１４ｈ内で維持されているそのサービスの情報記録が選択された医師をサービスを実施する医師として示している選択可能な医療サービスの一覧が提示される機能が提供されてもよい。加えて、病院システムは、他の種類の提供者利用者に比べて、マーケットプレイスシステム１００内で購入されるバンドル型のサービス一式としてより高品質なサービスを提案する傾向があるため、ユーザインタフェース内で提供者ポータル１３０によって実装された機能は、病院システムアカウントの利用者が病院システムによって購入のために提案されたサービスに係わる情報を管理し、サーバシステム１１０内で病院システムによって購入のために提案されたサービスに関して実施されたトランザクションの履歴を閲覧するのを可能にするが、病院システムアカウントの管理のために利用者がアクセス可能な追加的なユーザインタフェース要素を含み、バンドル型のサービス一式として病院システムによって提案されたサービスのみに係わる情報を管理し、表示してもよい。
【０１４２】
例示的実施形態では、病院システムアカウントの利用者のために提供者ポータル１３０に提供された機能は、例えば、顧客が訪れる診療所などに配置されたクライアントシステムを操作してアプリケーションサーバ１１６にアクセスすることによって、サービスを先払い購入で顧客本人に販売するために病院システムアカウントの利用者がアクセス可能なサービス販売サービス１３５によって実装された一式のユーザインタフェースコントロールを更に含むことがある。その際、サービス販売サービス１３５は、病院システムアカウントの利用者が、サーバシステム１００内で購入されるために病院によって提案されたサービスに加え、顧客のための治療仕様と、クライアントシステムの操作（特定の施設、又は、特定のサービスを実施する特定の提携医師の選択など）を通じて顧客より受領した指示とに基づいて病院システムアカウントの利用者によって構築された、バンドル型のサービス一式を含むサービスを販売することを可能にする機能を提供してもよい。サービス販売サービス１３５は、上述した処置管理サービス１３３によって病院システムの利用者が、サーバシステム１１０を介した購入のために、提携医師によって実施される医療サービスを提案するためのサービス提案を確立できるように提供された機能に類似した方法で、このような機能を提供してもよい。その際、サービス販売サービス１３５は、病院システムの利用者が、顧客のためにサーバシステム１１０に登録された顧客アカウントに関連して顧客にサービスを直接販売することを可能にし、顧客が登録されたアカウントを持たない場合、顧客登録セッションに関連して上述したアカウント管理サービス１２２によって提供される機能に類似した機能を提供することで、顧客から指定された情報に基づいて利用者のために顧客アカウントをサーバシステム１１０に登録するための登録セッションを実施し、新しく登録された顧客アカウントに関連したサービスの直接販売を可能にする機能も提供してもよい。
【０１４３】
加えて、サービス販売サービス１３５は、このような顧客へのサービスの直接販売などのために、支払いを処理する購入サーバ１２６によって提供される機能と同様の機能を提供してもよい。例えば、サービス販売サービス１３５は、このような構築されたサービスの購入に対する顧客の支払い処理に際して、直接購入されたサービスのために、顧客が購入を清算するために利用できる証書をユーザインタフェース内で作成するように実装されてもよく、証書は、病院システムの利用者が証書の写しを印刷して、顧客に提供できるような形式で、クライアントシステムのユーザインタフェース内に提示されてもよい。
【０１４４】
図２を再度参照すると、例示的実施形態では、アプリケーションサーバ１１６にアクセスするために、クライアントシステム上で実行されている該当するクライアントアプリケーションを介してクライアントシステムを操作する利用者が、サーバシステム１１０への登録を開始し、薬局管理者として登録する意図を指定すると（例えば、ナビゲーション及び検索サービス１２４に実装されるいずれかのページ上のユーザインタフェース要素を介して）、サーバシステム１１０に薬局アカウントを登録するため、利用者はアカウント管理サービス１３１の登録セッションを開始できるようになる。アカウント管理サービス１３１は、例えば、利用者がアクセスできるユーザインタフェースコントロールを有する一連のページを含むユーザインタフェースを実装し、利用者のアカウント登録プロセスをガイドし、薬局プロファイルデータベース１１４ｅ内に利用者のために構築されたアカウント情報記録内に、データベースサーバ１１２が維持することになる各種情報、例えば、名称、病院立地及び診療時間、連絡先情報（電子メールアドレス及び／又は電話番号）、ウェブサイト及びソーシャルメディアプロファイルへのＵＲＬ又は参照、報酬情報（システムを介して薬局が提案した製品の購入に対する支払いを受け取る会計アカウントを示す）、及び、その他いずれかの適切な識別情報などを利用者が入力するのを促すように構成されてもよい。
【０１４５】
アカウント管理サービス１３１は、データベースサーバ１１２にアクセスして、登録プロセス中に利用者によって入力された情報に基づいて、薬局プロファイルデータベース１１４ｅ内にそれぞれの薬局のアカウント情報記録を作成するように構成され得る。アカウント管理サービス１３１は、作成されたアカウント情報記録に対して一意の薬局アカウント識別子を生成するよう更に構成でき、薬局アカウント識別子は、例えば、データベースサーバ１１２内で作成されたアカウント情報記録に索引をつけ、参照するために使用されてもよい。作成されたアカウント情報記録は、一意のユーザ名で識別され、パスワードで保護され、薬局管理者が、アプリケーションサーバ１１６にアクセスする際に、関連する医師アカウントにログインするために利用され得る。
【０１４６】
例示的実施形態では、アカウント管理サービス１３１によって実装されるユーザインタフェースは、マーケットプレイスシステム１００内で購入される医療製品を提案する能力へのアクセスを得るために、所定料金の支払い承認を要請するユーザインタフェースコントロールを提供するよう更に構成されてもよい。このような料金は、例えば、一括払い、又は、定期払い（月ごと、年２回、又は、年払いなど）でもよい。アカウント管理サービス１３１は、承認と適切な支払い情報が利用者によって提供されると、該当する第三者の決算サービスシステムにアクセスし、支払い情報を使用して、決算サービスシステムに、利用者のアカウントサービサーから、マーケットプレイスシステム１００の提供者によって維持される会計アカウントに、利用者が承認した支払額を送金させるよう構成できる。或いは、アカウント管理サービス１３１によって実装されたユーザインタフェースは、マーケットプレイスシステム１００内で購入される医療製品を提案する能力にアクセスを得るための起動コードを受け取るためのユーザインタフェースコントロールを提供するよう構成されてもよい。その際、薬局プロファイルデータベース１１４ｅ内に、薬局管理者のために構築されたアカウント情報記録は、利用者のアカウント状態を更に含むことがある。利用者のアカウント状態は、アカウント管理サービス１３１によって管理され、薬局が、マーケットプレイスシステム１００内で購入される医療製品を提案する能力を現在備えるかを示す。
【０１４７】
利用者が、サーバシステム１１０に薬局アカウントを登録し、薬局アカウントにログインすると（例えば、ナビゲーション及び検索サービス１２４に実装されるユーザインタフェース内のログインユーザインタフェース要素又はログイン画面にアクセスし、アカウントに関連付けられたユーザ名及びパスワードを提供することで）、利用者は、提供者ポータル１３０に実装された薬局アカウントページに誘導されてもよい。薬局アカウントページには、利用者がアクセス可能な一式のユーザインタフェースコントロールが提供され、システムに登録された顧客利用者が購入するための医療製品を提案するために製品管理サービス１３４によって提供される機能へのアクセス、及び、アカウント管理サービス１３１によって提供される各種アカウント管理機能へのアクセスが可能になる。
【０１４８】
利用者が、購入される医療製品を提案する意図を示すと（例えば、提供者ポータル１３０によって実装される薬局アカウントページ内で「サービスの提案」タブを選択することで）、利用者は、サーバシステム１１０を介した購入に対して医療製品を提案するため、製品管理サービス１３４において製品の提案を開始することができるようになる。製品管理サービス１３４は、例えば、利用者がアクセス可能なユーザインタフェースのコントロールを有する一連のページを含むユーザインタフェースを実装し、これによって、利用者のサービス提案プロセスをガイドし、製品提案データベース１１４ｊ内に薬局の一意の薬局アカウント識別子に関連付けられて構築された情報記録に、利用者がデータベースサーバ１１２によって維持されることになる各種情報を入力するのを促すよう構成されてもよい。例えば、利用者に、選択可能な処方薬のアルファベット順一覧及び選択可能な医療用品のアルファベット順一覧へのアクセスを提供するメニュー選択肢が提供されてもよく、利用者は、一覧の一つを選択し、選択された一覧から特定の製品を選択できる。
【０１４９】
利用者が特定の製品を選択すると、製品管理サービス１３４は購入のために利用者が製品を提案するのを補助し、利用可能な製品データベース１１４ｉ内の選択された製品の情報記録に対する一意の製品識別子、薬局プロファイルデータベース１１４ｅ内の、システムを通して製品を提案する提供者としての薬局のアカウント情報記録に対する一意のアカウント識別子、薬局管理者から受信した利用者の入力によって指定された製品の購入に対して薬局に送金される支払い額、マーケットプレイスシステム１００内で製品を購入する際の割引額（例えば、交渉された委託手数料を薬局管理者によって指定された支払い額に加えることで計算されてもよい）、製品がシステム外部で購入される場合の製品の通常価格、薬局管理者から受信した入力を介して提供されることがある追加の説明的情報、製品提案識別子、及び、その他いずれかの適切な情報（製品が医療専門家からの処方箋に関連して購入される必要があるという指定など）を情報記録に入力することで、製品提案データベース１１４ｊ内に提案された製品の情報記録を構築することができる。上述したように、提案された製品の支払いが購入サービス１２６によって処理される場合、購入サーバ１２６は、トランザクション情報データベース１１４ｋ内の該当情報で、完了した購入の情報記録を作成するように構成できる。
【０１５０】
利用者が、提供者ポータル１３０によって実装される薬局アカウントページで、各種アカウント管理機能にアクセスする意図を示すと、薬局管理者は、アカウント管理サービス１３１によって提供された各種ユーザインタフェース要素にアクセスでき、例えば、薬局情報及び支払い情報又は報酬情報を管理し、購入のために薬局より提案された製品に係わる情報を管理し、及び、サーバシステム１１０内で薬局によって購入のために提案された製品に関して実施されたトランザクション履歴を閲覧することができる。
【０１５１】
本明細書で開示された例示的実施形態では、一定の医療情報は、高度な機密事項とみなされることがあるため、マーケットプレイスシステム１００は、クライアントシステム１４２上で実行されるクライアントアプリケーションとアプリケーションサーバ１１６との間で転送される情報に高い水準のセキュリティを提供するよう実装できる。説明のため、適用できる場合は、マーケットプレイスシステム１００は（例えば、操作及び機能について）、米国における医療保険の相互運用性と説明責任に関する法律（Ｈｅａｌｔｈ  Ｉｎｓｕｒａｎｃｅ  Ｐｏｒｔａｂｉｌｉｔｙ  ａｎｄ  Ａｃｃｏｕｎｔａｂｉｌｉｔｙ  Ａｃｔ；ＨＩＰＡＡ）の要件を満たすように実装されてもよい。例えば、ＨＩＰＡＡの要求事項、又は、その他の機密に関する懸念に基づいて、一定の種類の情報は、一定の当事者（例えば、処方製品の製造業者又はサービス提供者）によってアクセスされるべきではない場合、システム１００は特定の当時者がその種類の情報にアクセスできないことを確実にする情報制御又は情報保護措置を実装できる。別の例として、患者のプライバシーを保護するため、アプリケーションサーバ１１６といずれかのクライアントシステム１４０間を転送される情報や、サーバシステム１１０によって送信される電子メッセージなど、コンピュータ又は通信ネットワーク上を転送される情報は暗号化され得る。例示的実施形態では、システム１００は、プライバシーを確保し、全ての要求事項を満たすため、ＨＩＰＡＡ適合性の検証を行ってもよい。
【０１５２】
本明細書で説明される本発明の例示的実施形態の局面は、一以上のプログラムモジュール及びデータ記憶部を用いて実装できる。本明細書では、「モジュール」「プログラムモジュール」、「構成要素」、「システム」、「ツール」、「ユーティリティ」などの用語は、特定のタスクを実施する、又は特定の抽象データ型を実装するルーチン、プログラム、オブジェクト、コンポーネント、データ構造、及び、命令又は命令セットなどを含む。当然のことながら、モジュールは、説明された機能を提供するソフトウェア、ハードウェア、ファームウェア、及び／又は、その他の適切な構成要素として実装され得るコンピュータ関連のエンティティを意味し、本発明の例示的実施形態を具現化する機械のメモリ上に読みこまれてもよい。モジュールの局面は、Ｃ、Ｃ＋＋、Ｊａｖａ（登録商標）など様々なプログラミング言語で記述され得る。本明細書に説明される例示的実施形態の局面で使用されるモジュールによって提供される機能は、組み合わされ、及び／又は、分割できる。
【０１５３】
本明細書中において、「データ記憶部」、「データストア」、「記憶部」などの用語は、マニュアルファイル、機械判読可能なファイル、及びデータベースを含む、データの記憶に使用されることがある、いかなる適切な記憶装置でもよい。モジュール及び／又は記憶部は、同一のコンピューティングシステム上に実装され、動作することができる（例えば、図５及び以下に説明される典型的なコンピュータシステム）、又は、異なるコンピューティングシステム上に実装され、動作することができる。例えば、一以上のモジュールが、利用者によって操作されるパーソナルコンピュータ上に実装され、その他のモジュールが遠隔のサーバ上に実装され、ネットワークを介してアクセスされてもよい。
【０１５４】
例示的実施形態では、本発明の例示的実施形態で使用されるクライアントアプリケーションは、プラグイン、アドオン、又は拡張としていずれかの適切なネットワークコンピューティング環境内に組みこまれてもよい。本明細書中の、「プラグイン」という用語は、ソフトウェアアプリケーション又はモジュールプログラム、又は、一以上のコンピュータ命令を意味し、その他のソフトウェアアプリケーション又はモジュールと通信することも、しないこともあり、ホストアプリケーションとやりとりして指定された機能を提供し、そして、いずれかのファイル、画像、グラフィック、アイコン、音声、動画、又は、その他いずれかの添付物を含むことがある。他の例示的実施形態では、クライアントアプリケーションは、分離されたコンピュータプロセスとして動作するスタンドアロンプログラム、ポータブルアプリケーション、自動化されたソフトウェア試験ツールのネイティブコンポーネント、ソフトウェアバンドルの一部、又は、その他いずれかの適切な実装として実装できる。
【０１５５】
前出の説明では、説明のために、記載した例示的実施形態の充分な理解を提供するため、多くの特定の詳細が記載された。それにもかかわらず、当業者には、その他多くの実施形態が、これらの特定の詳細がなくとも実施されることが可能で、また、構造的、論理的、及び、電気的変更がなされ得ることが理解されるであろう。
【０１５６】
上述した例示的実施形態の一部分は、プロセッサベースのシステム内で、データビット操作のアルゴリズム及び記号表現として、提示される。この操作には、物理的量の物理的操作が必要とされる。これらの量は、記憶し、転送し、組み合わせ、比較し、又は、操作できる電子、磁気、光、又は、その他の物理的信号の形式をとり、主として一般的に使用されているという理由から、ビット、値、要素、記号、文字、条件、数字などして言及される。しかしながら、これら全ての及び類似した用語は、適切な物理的量と関連付けられており、これらの量に適用される便宜上の名称にすぎないことに留意すべきである。具体的に説明されるか、説明から明らかではない限り、「実行する」又は「処理する」又は「算定する（computing）」又は「計算する」又は「決定する」などの用語は、プロセッサベースのシステムの記憶装置内において物理的量で表されるデータを操作し、その他の同様に表されるデータに変化させるプロセッサベースのシステム、同様の電子コンピューティング装置、又は、その他のそのような情報記憶装置、転送装置、又は、表示装置の動作とプロセスを意味することがある。
【０１５７】
本発明の例示的実施形態は、ハードウェア、ソフトウェア、又は、ハードウェア及びソフトウェアの組合せで実現できる。例示的実施形態は、一つのコンピュータシステムに集中した形式で、又は、異なる要素が幾つかの互いに接続されたコンピュータシステムに分散した形式で実現されてもよい。どのような種類のコンピュータシステム、又は、本明細書に記載の方法を実施するのに適用されるその他の機器、でも使用できる。ハードウェア及びソフトウェアの典型的な組合せは、読み込まれて実行されると、コンピュータシステムを制御して本明細書に記載された方法を実行するようなコンピュータプログラムを有する汎用コンピュータシステムであってもよい。
【０１５８】
本発明の例示的実施形態は、コンピュータプログラム製品に組み込まれてもよく、本明細書に記載された方法の実装を可能にする全ての機能を備え、コンピュータシステムに読み込まれるとこれらの方法を実施することができる。本発明で使用されるコンピュータプログラム手段又はコンピュータプログラムは、情報処理能力を有するシステムに、直接、又は、（ａ）他の言語、コード、又は、表記法への変換、及び、（ｂ）異なる実体での再生、のいずれか又は両方の後に、特定の機能を実施させることを意図した命令セットの、いずれかの言語、コード又は表記法におけるいずれかの表現を示す。
【０１５９】
例示的実施形態が実装できるコンピュータシステムは、とりわけ、一以上のコンピュータ、及び、少なくともコンピュータ判読可能な媒体上のコンピュータプログラム製品を含むことがあり、コンピュータシステムがデータ、命令、メッセージ、又は、メッセージパケット、及びその他のコンピュータ判読可能な情報を、コンピュータ判読可能な媒体から読み込むのを可能にする。コンピュータ判読可能な媒体は、ＲＯＭ、フラッシュメモリ、ディスクドライブメモリ、ＣＤ−ＲＯＭ、及び、その他の永久記憶装置などの不揮発性メモリを含むことがある。加えて、コンピュータ判読可能な媒体は、例えば、ＲＡＭ、バッファ、キャッシュメモリ、及び、ネットワーク回路などの揮発性記憶装置を含んでもよい。更に、コンピュータ判読可能な媒体は、コンピュータ判読可能な情報を、コンピュータシステムがそのようなコンピュータ判読可能な情報を読み込むことを可能にする、有線ネットワーク又は無線ネットワークを含む、ネットワークリンク及び／又はネットワークインタフェースなどの一時的な状態の媒体に備えることがある。
【０１６０】
図５は、本発明の例示的実施形態の実装に使用され得る、典型的なコンピュータシステム６００のブロック図である。コンピュータシステム６００は、プロセッサ６０４などの一以上のプロセッサを含む。プロセッサ６０４は、通信基盤６０２（例えば、通信バス、渡りバー、又はネットワーク）に接続する。この典型的なコンピュータシステムに関して、各種ソフトウェアの実施形態を説明する。この説明を読むことで、当業者には、その他のコンピュータシステム及び／又はコンピュータ構成を用いて本発明を実装する方法が明らかになるであろう。
【０１６１】
典型的なコンピュータシステム６００は、グラフィック、テキスト、及び、その他のデータを、通信基盤６０２（又は、図示されないフレームバッファ）から表示部６１０での表示のために転送する表示インタフェース６０８を含むことがある。コンピュータシステム６００は、また、ランダムアクセスメモリ（ＲＡＭ）などの主記憶装置６０６を含むことがあり、更に、補助記憶装置６１２も含むことがある。補助記憶装置６１２は、例えば、ハードディスクドライブ６１４、及び／又は、フロッピー（登録商標）ディスクドライブ、磁気テープドライブ、光ディスクドライブなどの取り外し可能な記憶ドライブ６１６を含むことがある。取り外し可能な記憶ドライブ６１６は、当業者によく知られた方法で、取り外し可能な記憶部６１８から読み出し、及び／又は、書き込む。取り外し可能な記憶部６１８は、例えば、フロッピー（登録商標）ディスク、磁気テープ、光ディスクなどを表し、取り外し可能な記憶ドライブ６１６によって読み書きされる。当然のことながら、取り外し可能な記憶部６１８は、コンピュータ使用可能な記憶媒体とそこに記憶されたコンピュータソフトウェア及び／又はデータを含む。
【０１６２】
例示的実施形態では、補助記憶装置６１２は、コンピュータプログラム又はその他の命令がコンピュータシステムに読み込まれるようにするその他の同様の手段も含むことがある。そのような手段は、例えば、取り外し可能な記憶部６２２及びインタフェース６２０を含むことがある。このような例としては、プログラムカートリッジ及びカートリッジインタフェース（ビデオゲーム機器にあるような）、取り外し可能なメモリチップ（ＥＰＲＯＭ又はＰＲＯＭなど）及び関連ソケット、及び、その他取り外し可能な記憶部６２２、及び、ソフトウェア及びデータが取り外し可能な記憶部６２２からコンピュータシステム６００に転送されるのを可能にするインタフェース６２０を含むことがある。
【０１６３】
コンピュータシステム６００は、また、通信インタフェース６２４を含むことがある。通信インタフェース６２４は、ソフトウェア及びデータがコンピュータシステム及び外部装置の間を転送されるのを可能にする。通信インタフェース６２４の例はモデム、ネットワークインタフェース（イーサネット（登録商標）カードなど）、通信ポート、ＰＣＭＣＩＡスロット及びカードなどを含むことがある。通信インタフェース６２４を介して転送されるソフトウェア及びデータは、信号の形式で、例えば電子、電磁気、光、又は、通信インタフェース６２４によって受け取られることが可能なその他の信号でもよい。これらの信号は、通信経路（つまり、チャネル）６２６を介して通信インタフェース６２４に提供される。チャネル６２６は信号を運び、有線又はケーブル、光ファイバ、電話線、携帯電話リンク、ＲＦリンク、及び／又は、その他の通信チャネルを使用して実装されうる。
【０１６４】
本文書中では、「コンピュータプログラム媒体」、「コンピュータ使用可能媒体」、及び、「コンピュータ判読可能媒体」という用語は、概して、主記憶装置６０６及び補助記憶装置６１２、取り外し可能な記憶ドライブ６１６、ハードディスクドライブ６１４にインストールされたハードディスク、信号などの媒体を意味する。これらのコンピュータプログラム製品は、ソフトウェアをコンピュータシステムに提供する手段である。コンピュータ判読可能な媒体は、コンピュータシステムがデータ、命令、メッセージ又はメッセージパケット、及び、その他のコンピュータ判読可能な情報を、コンピュータ判読可能な媒体から読み込むのを可能にする。コンピュータ判読可能な媒体は、例えば、フロッピー（登録商標）、ＲＯＭ、フラッシュメモリ、ディスクドライブメモリ、ＣＤ−ＲＯＭ、及び、その他の永久記憶装置などの不揮発性メモリを含むことがある。コンピュータ判読可能な媒体は、例えば、データ及びコンピュータ命令などの情報のコンピュータシステム間の移動に使用され得る。更に、コンピュータ判読可能な媒体は、コンピュータ判読可能な情報を、コンピュータがそのようなコンピュータ判読可能な情報を読み込むことができる、有線ネットワーク又は無線ネットワークを含む、ネットワークリンク及び／又はネットワークインタフェースなどの一時的な状態の媒体中に備えることがある。
【０１６５】
コンピュータプログラム（又は、コンピュータ制御論理とも呼ばれる）は、主記憶装置６０６及び／又は補助記憶装置６１２に格納される。コンピュータプログラムは、また、コミュニケーションインタフェース６２４を介して受け取られても良い。このようなコンピュータプログラムが実行されると、コンピュータシステムは、本明細書に記載された本発明の例示的実施形態の機能を実行できる。特に、このようなコンピュータプログラムが実行されると、プロセッサ６０４はコンピュータシステム６００の機能を実行できる。従って、このようなコンピュータプログラムは、コンピュータシステムの制御部に相当する。
【０１６６】
本発明は、例示的実施形態を参照して詳細に説明されたが、末尾記載の特許請求の範囲に定義された発明の範囲を逸脱することなく、各種変更及び代替がなされ、等価物で要素を置き換えられることが当業者には理解されるであろう。加えて、本発明の基本的な範囲から逸脱することなく、特定の用途又は実体を発明の教示に適用するために多くの修正がなされてもよい。
【０１６７】
本発明の例示的実施形態を説明する変形例は、各特定の用途について好ましいいかなる組み合わせで実現してもよい。従って、本明細書に記載された具体的限定及び／又は具体的限定を伴う実施形態の拡張は、本発明の例示的実施形態と関連して記載される一以上の概念を含む方法、システム、及び／又は、装置で実施することができる。
【０１６８】
従って、本発明は、本発明を実施するために考えられる最良の形態として開示された特定の実施形態に制限されることなく、本発明は下記特許請求の範囲に記載される本願の範囲に該当する全ての実施形態を含むことが意図され、冠詞「ａ」又は「ａｎ」の使用などによる、単数形の要素への言及は、特別に記載されない限りは「一つのみ」を意図せず「一以上」が意図される。更に、いかなる請求項の要素も、その要素が「〜の手段（ｍｅａｎｓ  ｆｏｒ）」又は「〜の工程（ｓｔｅｐ  ｆｏｒ）」を使用して明確に指定されない限り、米国特許法第１１２条第６項が適用されると解釈されない。以下の特許請求の範囲は、本発明の適切な保護を維持すると解釈される。
【図１】
0006566948.tif 000002
【図２】
0006566948.tif 000003
【図３Ａ】
0006566948.tif 000004
【図３Ｂ】
0006566948.tif 000005
【図３Ｃ】
0006566948.tif 000006
【図３Ｄ】
0006566948.tif 000007
【図４Ａ】
0006566948.tif 000008
【図４Ｂ】
0006566948.tif 000009
【図５】
0006566948.tif 000010